(57)【要約】      （修正有）【課題】  装置種類および装置モードに関わらず精度良く動作音の音質を評価できる音質評価方法を提供する。【解決手段】  画像形成装置が画像形成時に発する複数種類の音に対して任意の２音を取りだして一対比較法による評価を行い、該評価による２音の不快確率を目的変数とし、２音の音響物理量の差の値を説明変数として決定木(decision tree)を作成して一対比較結果を層別し、該層別した層ごとに２音の不快確率を目的変数とし、２音の音響物理量の差の値を説明変数として多重ロジスティック回帰分析を行ない、該分析の結果をつなぎ合せて２音の音響物理量の差の値から２音の不快確率を予測する式を導出し、その式より、一対比較実験に用いた全ての音（母集団）の音響物理量の平均値である音は、不快確率Ｐを０．５と定義することにより、単独の音の不快さの確率を予測する音質評価式を導出し、該導出した音質評価式を用いて音質評価を行う。【選択図】図３９
2006214911.tif 000002
【特許請求の範囲】
【請求項１】
画像形成装置が画像形成時に発する音を評価する方法であって、
画像形成装置が画像形成時に発する複数種類の音に対して任意の２音を取りだして一対比較法による評価を行い、
該評価による２音の不快確率を目的変数とし、２音の音響物理量の差の値を説明変数として決定木(decision tree)を作成して一対比較結果を層別し、
該層別した層ごとに２音の不快確率を目的変数とし、２音の音響物理量の差の値を説明変数として多重ロジスティック回帰分析を行ない、該分析の結果をつなぎ合せて２音の音響物理量の差の値から２音の不快確率を予測する下記の式（ｆ）を導出し、
【数１】
2006214911.tif 000045
上記の式（ｆ）より、一対比較実験に用いた全ての音（母集団）の音響物理量の平均値である音は、不快確率Ｐを０．５と定義することにより、
単独の音の不快さの確率を予測する音質評価式を導出し、
該導出した音質評価式を用いて音質評価を行う
ことを特徴とする音質評価方法。
【請求項２】
画像形成装置の製造方法であって、
画像形成装置が画像形成時に発する複数種類の音に対して任意の２音を取りだして一対比較法による評価を行い、
該評価による２音の不快確率を目的変数とし、２音の音響物理量の差の値を説明変数として決定木(decision tree)を作成して一対比較結果を層別し、
該層別した層ごとに２音の不快確率を目的変数とし、２音の音響物理量の差の値を説明変数として多重ロジスティック回帰分析を行ない、該分析の結果をつなぎ合せて２音の音響物理量の差の値から２音の不快確率を予測する下記の式（ｆ）を導出し、
【数１】
2006214911.tif 000046
上記の式（ｆ）より、一対比較実験に用いた全ての音（母集団）の音響物理量の平均値である音は、不快確率Ｐを０．５と定義することにより、
単独の音の不快さの確率を予測する音質評価式を導出し、
該導出した音質評価式を用い、その音質評価式による音質評価が所定の条件を満たすよう装置各部を設計し、
当該設計内容にしたがって画像形成装置を製造する
ことを特徴とする画像形成装置の製造方法。
【請求項３】
画像形成装置の改造方法であって、
画像形成装置が画像形成時に発する複数種類の音に対して任意の２音を取りだして一対比較法による評価を行い、
該評価による２音の不快確率を目的変数とし、２音の音響物理量の差の値を説明変数として決定木(decision tree)を作成して一対比較結果を層別し、
該層別した層ごとに２音の不快確率を目的変数とし、２音の音響物理量の差の値を説明変数として多重ロジスティック回帰分析を行ない、該分析の結果をつなぎ合せて２音の音響物理量の差の値から２音の不快確率を予測する下記の式（ｆ）を導出し、
【数１】
2006214911.tif 000047
上記の式（ｆ）より、一対比較実験に用いた全ての音（母集団）の音響物理量の平均値である音は、不快確率Ｐを０．５と定義することにより、
単独の音の不快さの確率を予測する音質評価式を導出し、
該導出した音質評価式を用いて改造対象となる画像形成装置の発する音の音質評価を行い、
当該音質評価結果に基づいて改造対象となる前記画像形成装置の構成を改造する
ことを特徴とする画像形成装置の改造方法。
【請求項４】
画像形成対象シートに対して画像を形成する画像形成装置であって、
画像形成装置端面から略１ｍ離れた収音位置で収音される前記画像形成対象シートに対して画像形成を行うときに画像形成装置が発する音から得られる音響物理量の音圧レベル値，ラウドネス値，シャープネス値，トーナリティ値，インパルシブネス値，フラクチュエーション・ストレングス（Ｆ．ストレングス）値と、
前記一対比較実験に用いた全供試音の音響物理量の平均値である、音圧レベル平均値，ラウドネス平均値，シャープネス平均値，トーナリティ平均値，インパルシブネス平均値，フラクチュエーション・ストレングス（Ｆ．ストレングス）平均値と、
１分間あたりの前記画像形成対象シート（Ａ４サイズ横方向）の出力数値（ｐｐｍ）とを用い、
以下の（ａ）式により算出される不快確率Ｐが、以下の条件（ｂ）を満たすことを特徴とする画像形成装置。
［式（ａ）］
不快確率Ｐ＝１／（１＋exp（−ｚ））
【表２４】
2006214911.tif 000048
if  Ｉ層（層平均値：−0.851538）⇒
ｚ＝＋Ａ×（音圧レベル値−音圧レベル平均値）
＋Ｂ×（ラウドネス値−ラウドネス平均値）
＋Ｃ×（シャープネス値−シャープネス平均値）
＋Ｄ×（トーナリティ値−トーナリティ平均値）
＋Ｅ×（インパルシブネス値−インパルシブネス平均値）
＋Ｆ×（F.ストレングス値−F．ストレングス平均値）
0.17459921 ≦Ａ ≦ 0.25650429
0.08954826 ≦Ｂ ≦ 0.26709314
0.87674777 ≦Ｃ ≦ 1.19578972
4.67553345 ≦Ｄ ≦ 7.05271429
2.04427886 ≦Ｅ ≦ 2.95236972
Ｆ＝０
if  II層（層平均値：−0.0706261）⇒
ｚ＝＋Ａ×（音圧レベル値−音圧レベル平均値）
＋Ｂ×（ラウドネス値−ラウドネス平均値）
＋Ｃ×（シャープネス値−シャープネス平均値）
＋Ｄ×（トーナリティ値−トーナリティ平均値）
＋Ｅ×（インパルシブネス値−インパルシブネス平均値）
＋Ｆ×（F.ストレングス値−F．ストレングス平均値）
0.17712057 ≦Ａ ≦ 0.41122376
0.34459228 ≦Ｂ ≦ 0.58256976
0.93882176 ≦Ｃ ≦ 1.31455684
6.57701754 ≦Ｄ ≦ 10.2722954
2.66553478 ≦Ｅ ≦ 4.09204697
Ｆ＝０
if  III層（層平均値：0.5523788）⇒
ｚ＝＋Ａ×（音圧レベル値−音圧レベル平均値）
＋Ｂ×（ラウドネス値−ラウドネス平均値）
＋Ｃ×（シャープネス値−シャープネス平均値）
＋Ｄ×（トーナリティ値−トーナリティ平均値）
＋Ｅ×（インパルシブネス値−インパルシブネス平均値）
＋Ｆ×（F.ストレングス値−F．ストレングス平均値）
0.05217947 ≦Ａ ≦ 0.20400871
0.29360137 ≦Ｂ ≦ 0.5873409
0.87202954 ≦Ｃ ≦ 1.46762402
Ｄ＝０
2.30105319 ≦Ｅ ≦ 3.88509254
Ｆ＝０
if  IV層（層平均値：0.58948295）⇒
ｚ＝＋Ａ×（音圧レベル値−音圧レベル平均値）
＋Ｂ×（ラウドネス値−ラウドネス平均値）
＋Ｃ×（シャープネス値−シャープネス平均値）
＋Ｄ×（トーナリティ値−トーナリティ平均値）
＋Ｅ×（インパルシブネス値−インパルシブネス平均値）
＋Ｆ×（F.ストレングス値−F．ストレングス平均値）
Ａ＝０
0.38508559 ≦Ｂ ≦ 0.89131794
0.47781725 ≦Ｃ ≦ 1.38759467
3.10067427 ≦Ｄ ≦ 7.94452001
2.67714335 ≦Ｅ ≦ 4.99843731
Ｆ＝０
if  Ｖ層（層平均値：0.69003038）⇒
ｚ＝＋Ａ×（音圧レベル値−音圧レベル平均値）
＋Ｂ×（ラウドネス値−ラウドネス平均値）
＋Ｃ×（シャープネス値−シャープネス平均値）
＋Ｄ×（トーナリティ値−トーナリティ平均値）
＋Ｅ×（インパルシブネス値−インパルシブネス平均値）
＋Ｆ×（F.ストレングス値−F．ストレングス平均値）
Ａ＝０
0.67510108 ≦Ｂ ≦ 1.17240664
0.36212612 ≦Ｃ ≦ 1.20868807
2.7784442  ≦Ｄ ≦ 7.85993889
4.069329   ≦Ｅ ≦ 6.14635806
Ｆ＝０
if  VI層（層平均値：1.12069926）⇒
ｚ＝＋Ａ×（音圧レベル値−音圧レベル平均値）
＋Ｂ×（ラウドネス値−ラウドネス平均値）
＋Ｃ×（シャープネス値−シャープネス平均値）
＋Ｄ×（トーナリティ値−トーナリティ平均値）
＋Ｅ×（インパルシブネス値−インパルシブネス平均値）
＋Ｆ×（F.ストレングス値−F．ストレングス平均値）
0.17865148 ≦Ａ ≦ 0.3052116
0.29877118 ≦Ｂ ≦ 0.51759447
1.00111197 ≦Ｃ ≦ 1.47539298
3.89613139 ≦Ｄ ≦ 6.87116467
2.97407435 ≦Ｅ ≦ 4.13523532
Ｆ＝０
if  VII層（層平均値：1.70518814）⇒
ｚ＝＋Ａ×（音圧レベル値−音圧レベル平均値）
＋Ｂ×（ラウドネス値−ラウドネス平均値）
＋Ｃ×（シャープネス値−シャープネス平均値）
＋Ｄ×（トーナリティ値−トーナリティ平均値）
＋Ｅ×（インパルシブネス値−インパルシブネス平均値）
＋Ｆ×（F.ストレングス値−F．ストレングス平均値）
0.39866582 ≦Ａ ≦ 0.87493076
0.34157505 ≦Ｂ ≦ 0.71116464
1.81139192 ≦Ｃ ≦ 2.53882546
7.76070427 ≦Ｄ ≦ 15.9726217
1.24131801 ≦Ｅ ≦ 3.69327198
5.1108143 ≦Ｆ ≦ 15.5038527
if  VIII層（層平均値：2.24648746）
ｚ＝＋Ａ×（音圧レベル値−音圧レベル平均値）
＋Ｂ×（ラウドネス値−ラウドネス平均値）
＋Ｃ×（シャープネス値−シャープネス平均値）
＋Ｄ×（トーナリティ値−トーナリティ平均値）
＋Ｅ×（インパルシブネス値−インパルシブネス平均値）
＋Ｆ×（F.ストレングス値−F．ストレングス平均値）
0.06562274 ≦Ａ ≦ 0.32355283
0.23370151 ≦Ｂ ≦ 0.71540287
1.00831861 ≦Ｃ ≦ 2.01396218
4.35252092 ≦Ｄ ≦ 10.2346432
2.47144678 ≦Ｅ ≦ 4.5862928
Ｆ＝０
if  IX層（層平均値：2.37734355）⇒
ｚ＝＋Ａ×（音圧レベル値−音圧レベル平均値）
＋Ｂ×（ラウドネス値−ラウドネス平均値）
＋Ｃ×（シャープネス値−シャープネス平均値）
＋Ｄ×（トーナリティ値−トーナリティ平均値）
＋Ｅ×（インパルシブネス値−インパルシブネス平均値）
＋Ｆ×（F.ストレングス値−F．ストレングス平均値）
0.29721025 ≦Ａ ≦ 0.33898939
Ｂ＝０
0.49535777 ≦Ｃ ≦ 0.94732127
0.53949286 ≦Ｄ ≦ 5.184987
1.33596983 ≦Ｅ ≦2.72919696
Ｆ＝０
・・・・・・・・・（ａ）
［条件（ｂ）］
Ｐ ≦ 0.3077Ln(ppm) - 0.726・・・・・・（ｂ）
14≦ppm≦65
【請求項５】
画像形成対象シートに対して画像を形成する画像形成装置であって、
画像形成装置端面から略１ｍ離れた収音位置で収音される前記画像形成対象シートに対して画像形成を行うときに画像形成装置が発する音から得られる音響物理量の音圧レベル値，ラウドネス値，シャープネス値，トーナリティ値，インパルシブネス値，フラクチュエーション・ストレングス（Ｆ．ストレングス）値と、
前記一対比較実験に用いた全供試音の音響物理量の平均値である、音圧レベル平均値，ラウドネス平均値，シャープネス平均値，トーナリティ平均値，インパルシブネス平均値，フラクチュエーション・ストレングス（Ｆ．ストレングス）平均値と、
ロジットｚの標準偏差σと、
１分間あたりの前記画像形成対象シート（Ａ４サイズ横方向）の出力数値（ｐｐｍ）とを用い、
以下の（ｃ）式により算出される不快確率Ｐが、以下の条件（ｂ）を満たすことを特徴とする画像形成装置。
［式（ｃ）］
不快確率Ｐ＝１／（１＋exp（−ｚ±２σ））
【表２４】
2006214911.tif 000049
if  Ｉ層（層平均値：−0.851538）⇒
ｚ＝＋Ａ×（音圧レベル値−音圧レベル平均値）
＋Ｂ×（ラウドネス値−ラウドネス平均値）
＋Ｃ×（シャープネス値−シャープネス平均値）
＋Ｄ×（トーナリティ値−トーナリティ平均値）
＋Ｅ×（インパルシブネス値−インパルシブネス平均値）
＋Ｆ×（F.ストレングス値−F．ストレングス平均値）
Ａ＝0.21555107
Ｂ＝0.17832089
Ｃ＝1.03626251
Ｄ＝5.86411143
Ｅ＝2.49831660
Ｆ＝0
σ＝0.753153
if  II層（層平均値：−0.0706261）⇒
ｚ＝＋Ａ×（音圧レベル値−音圧レベル平均値）
＋Ｂ×（ラウドネス値−ラウドネス平均値）
＋Ｃ×（シャープネス値−シャープネス平均値）
＋Ｄ×（トーナリティ値−トーナリティ平均値）
＋Ｅ×（インパルシブネス値−インパルシブネス平均値）
＋Ｆ×（F.ストレングス値−F．ストレングス平均値）
Ａ＝0.29415304
Ｂ＝0.46277236
Ｃ＝1.12479939
Ｄ＝8.40500668
Ｅ＝3.37198180
Ｆ＝0
σ＝0.900555
if  III層（層平均値：0.5523788）⇒
ｚ＝＋Ａ×（音圧レベル値−音圧レベル平均値）
＋Ｂ×（ラウドネス値−ラウドネス平均値）
＋Ｃ×（シャープネス値−シャープネス平均値）
＋Ｄ×（トーナリティ値−トーナリティ平均値）
＋Ｅ×（インパルシブネス値−インパルシブネス平均値）
＋Ｆ×（F.ストレングス値−F．ストレングス平均値）
Ａ＝0.12767865
Ｂ＝0.43878495
Ｃ＝1.16681535
Ｄ＝0
Ｅ＝3.08130910
Ｆ＝0
σ＝0.816356
if  IV層（層平均値：0.58948295）⇒
ｚ＝＋Ａ×（音圧レベル値−音圧レベル平均値）
＋Ｂ×（ラウドネス値−ラウドネス平均値）
＋Ｃ×（シャープネス値−シャープネス平均値）
＋Ｄ×（トーナリティ値−トーナリティ平均値）
＋Ｅ×（インパルシブネス値−インパルシブネス平均値）
＋Ｆ×（F.ストレングス値−F．ストレングス平均値）
Ａ＝0
Ｂ＝0.63535348
Ｃ＝0.92869305
Ｄ＝5.49307973
Ｅ＝3.82174749
Ｆ＝0
σ＝0.485654
if  Ｖ層（層平均値：0.69003038）⇒
ｚ＝＋Ａ×（音圧レベル値−音圧レベル平均値）
＋Ｂ×（ラウドネス値−ラウドネス平均値）
＋Ｃ×（シャープネス値−シャープネス平均値）
＋Ｄ×（トーナリティ値−トーナリティ平均値）
＋Ｅ×（インパルシブネス値−インパルシブネス平均値）
＋Ｆ×（F.ストレングス値−F．ストレングス平均値）
Ａ＝0
Ｂ＝0.91968054
Ｃ＝0.78312761
Ｄ＝5.29399995
Ｅ＝5.08602977
Ｆ＝0
σ＝0.643639
if  VI層（層平均値：1.12069926）⇒
ｚ＝＋Ａ×（音圧レベル値−音圧レベル平均値）
＋Ｂ×（ラウドネス値−ラウドネス平均値）
＋Ｃ×（シャープネス値−シャープネス平均値）
＋Ｄ×（トーナリティ値−トーナリティ平均値）
＋Ｅ×（インパルシブネス値−インパルシブネス平均値）
＋Ｆ×（F.ストレングス値−F．ストレングス平均値）
Ａ＝0.24159805
Ｂ＝0.40793206
Ｃ＝1.23702636
Ｄ＝5.38364801
Ｅ＝3.54994177
Ｆ＝0
σ＝0.635901
if  VII層（層平均値：1.70518814）⇒
ｚ＝＋Ａ×（音圧レベル値−音圧レベル平均値）
＋Ｂ×（ラウドネス値−ラウドネス平均値）
＋Ｃ×（シャープネス値−シャープネス平均値）
＋Ｄ×（トーナリティ値−トーナリティ平均値）
＋Ｅ×（インパルシブネス値−インパルシブネス平均値）
＋Ｆ×（F.ストレングス値−F．ストレングス平均値）
Ａ＝0.63307170
Ｂ＝0.52423191
Ｃ＝2.16581638
Ｄ＝11.83662780
Ｅ＝2.45003365
Ｆ＝10.23925380
σ＝0.925801
if  VIII層（層平均値：2.24648746）
ｚ＝＋Ａ×（音圧レベル値−音圧レベル平均値）
＋Ｂ×（ラウドネス値−ラウドネス平均値）
＋Ｃ×（シャープネス値−シャープネス平均値）
＋Ｄ×（トーナリティ値−トーナリティ平均値）
＋Ｅ×（インパルシブネス値−インパルシブネス平均値）
＋Ｆ×（F.ストレングス値−F．ストレングス平均値）
Ａ＝0.19307892
Ｂ＝0.47512151
Ｃ＝1.50392757
Ｄ＝7.28249947
Ｅ＝3.52318670
Ｆ＝0
σ＝0.872629
if  IX層（層平均値：2.37734355）⇒
ｚ＝＋Ａ×（音圧レベル値−音圧レベル平均値）
＋Ｂ×（ラウドネス値−ラウドネス平均値）
＋Ｃ×（シャープネス値−シャープネス平均値）
＋Ｄ×（トーナリティ値−トーナリティ平均値）
＋Ｅ×（インパルシブネス値−インパルシブネス平均値）
＋Ｆ×（F.ストレングス値−F．ストレングス平均値）
Ａ＝0.31764449
Ｂ＝0
Ｃ＝0.71962000
Ｄ＝2.86942452
Ｅ＝2.02961962
Ｆ＝0
σ＝0.710973
・・・・・・・・・・・・・（ｃ）
［条件（ｂ）］
Ｐ ≦ 0.3077Ln(ppm) - 0.726・・・・・・（ｂ）
14≦ppm≦65
【請求項６】
画像形成対象シートに対して画像を形成する画像形成装置であって、
画像形成装置端面から略１ｍ離れた収音位置で収音される前記画像形成対象シートに対して画像形成を行うときに画像形成装置が発する音から得られる音響物理量の音圧レベル値，ラウドネス値，シャープネス値，トーナリティ値，インパルシブネス値，フラクチュエーション・ストレングス（Ｆ．ストレングス）値と、
前記一対比較実験に用いた全供試音の音響物理量の平均値である、音圧レベル平均値，ラウドネス平均値，シャープネス平均値，トーナリティ平均値，インパルシブネス平均値，フラクチュエーション・ストレングス（Ｆ．ストレングス）平均値と、
１分間あたりの前記画像形成対象シート（Ａ４サイズ横方向）の出力数値（ｐｐｍ）とを用い、
以下の（ｄ）式により算出される不快確率Ｐが、以下の条件（ｂ）を満たすことを特徴とする画像形成装置。
［式（ｄ）］
不快確率Ｐ＝１／（１＋exp（−ｚ））
【表２４】
2006214911.tif 000050
if  Ｉ層（層平均値：−0.851538）⇒
ｚ ＝＋Ａ×（音圧レベル値−音圧レベル平均値）
＋Ｂ×（ラウドネス値−ラウドネス平均値）
＋Ｃ×（シャープネス値−シャープネス平均値）
＋Ｄ×（トーナリティ値−トーナリティ平均値）
＋Ｅ×（インパルシブネス値−インパルシブネス平均値）
＋Ｆ×（F.ストレングス値−F．ストレングス平均値）
Ａ＝0.21555107
Ｂ＝0.17832089
Ｃ＝1.03626251
Ｄ＝5.86411143
Ｅ＝2.49831660
Ｆ＝0
if  II層（層平均値：−0.0706261）⇒
ｚ＝＋Ａ×（音圧レベル値−音圧レベル平均値）
＋Ｂ×（ラウドネス値−ラウドネス平均値）
＋Ｃ×（シャープネス値−シャープネス平均値）
＋Ｄ×（トーナリティ値−トーナリティ平均値）
＋Ｅ×（インパルシブネス値−インパルシブネス平均値）
＋Ｆ×（F.ストレングス値−F．ストレングス平均値）
Ａ＝0.29415304
Ｂ＝ 0.46277236
Ｃ＝ 1.12479939
Ｄ＝ 8.40500668
Ｅ＝ 3.37198180
Ｆ＝0
if  III層（層平均値：0.5523788）⇒
ｚ＝＋Ａ×（音圧レベル値−音圧レベル平均値）
＋Ｂ×（ラウドネス値−ラウドネス平均値）
＋Ｃ×（シャープネス値−シャープネス平均値）
＋Ｄ×（トーナリティ値−トーナリティ平均値）
＋Ｅ×（インパルシブネス値−インパルシブネス平均値）
＋Ｆ×（F.ストレングス値−F．ストレングス平均値）
Ａ＝0.12767865
Ｂ＝0.43878495
Ｃ＝1.16681535
Ｄ＝0
Ｅ＝3.08130910
Ｆ＝0
if  IV層（層平均値：0.58948295）⇒
ｚ＝＋Ａ×（音圧レベル値−音圧レベル平均値）
＋Ｂ×（ラウドネス値−ラウドネス平均値）
＋Ｃ×（シャープネス値−シャープネス平均値）
＋Ｄ×（トーナリティ値−トーナリティ平均値）
＋Ｅ×（インパルシブネス値−インパルシブネス平均値）
＋Ｆ×（F.ストレングス値−F．ストレングス平均値）
Ａ＝0
Ｂ＝0.63535348
Ｃ＝0.92869305
Ｄ＝5.49307973
Ｅ＝3.82174749
Ｆ＝0
if  Ｖ層（層平均値：0.69003038）⇒
ｚ＝＋Ａ×（音圧レベル値−音圧レベル平均値）
＋Ｂ×（ラウドネス値−ラウドネス平均値）
＋Ｃ×（シャープネス値−シャープネス平均値）
＋Ｄ×（トーナリティ値−トーナリティ平均値）
＋Ｅ×（インパルシブネス値−インパルシブネス平均値）
＋Ｆ×（F.ストレングス値−F．ストレングス平均値）
Ａ＝0
Ｂ＝0.91968054
Ｃ＝0.78312761
Ｄ＝5.29399995
Ｅ＝5.08602977
Ｆ＝0
if  VI層（層平均値：1.12069926）⇒
ｚ＝＋Ａ×（音圧レベル値−音圧レベル平均値）
＋Ｂ×（ラウドネス値−ラウドネス平均値）
＋Ｃ×（シャープネス値−シャープネス平均値）
＋Ｄ×（トーナリティ値−トーナリティ平均値）
＋Ｅ×（インパルシブネス値−インパルシブネス平均値）
＋Ｆ×（F.ストレングス値−F．ストレングス平均値）
Ａ＝0.24159805
Ｂ＝0.40793206
Ｃ＝1.23702636
Ｄ＝5.38364801
Ｅ＝3.54994177
Ｆ＝0
if  VII層（層平均値：1.70518814）⇒
ｚ＝＋Ａ×（音圧レベル値−音圧レベル平均値）
＋Ｂ×（ラウドネス値−ラウドネス平均値）
＋Ｃ×（シャープネス値−シャープネス平均値）
＋Ｄ×（トーナリティ値−トーナリティ平均値）
＋Ｅ×（インパルシブネス値−インパルシブネス平均値）
＋Ｆ×（F.ストレングス値−F．ストレングス平均値）
Ａ＝0.63307170
Ｂ＝0.52423191
Ｃ＝2.16581638
Ｄ＝11.83662780
Ｅ＝2.45003365
Ｆ＝10.23925380
if  VIII層（層平均値：2.24648746）
ｚ＝＋Ａ×（音圧レベル値−音圧レベル平均値）
＋Ｂ×（ラウドネス値−ラウドネス平均値）
＋Ｃ×（シャープネス値−シャープネス平均値）
＋Ｄ×（トーナリティ値−トーナリティ平均値）
＋Ｅ×（インパルシブネス値−インパルシブネス平均値）
＋Ｆ×（F.ストレングス値−F．ストレングス平均値）
Ａ＝0.19307892
Ｂ＝0.47512151
Ｃ＝1.50392757
Ｄ＝7.28249947
Ｅ＝3.52318670
Ｆ＝0
if  IX層（層平均値：2.37734355）⇒
ｚ＝＋Ａ×（音圧レベル値−音圧レベル平均値）
＋Ｂ×（ラウドネス値−ラウドネス平均値）
＋Ｃ×（シャープネス値−シャープネス平均値）
＋Ｄ×（トーナリティ値−トーナリティ平均値）
＋Ｅ×（インパルシブネス値−インパルシブネス平均値）
＋Ｆ×（F.ストレングス値−F．ストレングス平均値）
Ａ＝0.31764449
Ｂ＝0
Ｃ＝0.71962000
Ｄ＝2.86942452
Ｅ＝2.02961962
Ｆ＝0
・・・・・・・・・・（ｄ）
［条件（ｂ）］
Ｐ ≦ 0.3077Ln(ppm) - 0.726・・・・・・（ｂ）
14≦ppm≦65
【請求項７】
画像形成対象シートに対して画像を形成する画像形成装置であって、
画像形成装置端面から略１ｍ離れた収音位置で収音される前記画像形成対象シートに対して画像形成を行うときに画像形成装置が発する音から得られる音響物理量の音圧レベル値，ラウドネス値，シャープネス値，トーナリティ値，インパルシブネス値，フラクチュエーション・ストレングス（Ｆ．ストレングス）値と、
前記一対比較実験に用いた全供試音の音響物理量の平均値である、音圧レベル平均値，ラウドネス平均値，シャープネス平均値，トーナリティ平均値，インパルシブネス平均値，フラクチュエーション・ストレングス（Ｆ．ストレングス）平均値と、
前記画像形成対象シートに対する画像形成速度（ｖ：ｍｍ／ｓ）とを用い、
以下の（ａ）式により算出される不快確率Ｐが、以下の条件（ｅ）を満たす
ことを特徴とする画像形成装置。
［式（ａ）］
不快確率Ｐ＝１／（１＋exp（−ｚ））
【表２４】
2006214911.tif 000051
if  Ｉ層（層平均値：−0.851538）⇒
ｚ＝＋Ａ×（音圧レベル値−音圧レベル平均値）
＋Ｂ×（ラウドネス値−ラウドネス平均値）
＋Ｃ×（シャープネス値−シャープネス平均値）
＋Ｄ×（トーナリティ値−トーナリティ平均値）
＋Ｅ×（インパルシブネス値−インパルシブネス平均値）
＋Ｆ×（F.ストレングス値−F．ストレングス平均値）
0.17459921 ≦Ａ ≦ 0.25650429
0.08954826 ≦Ｂ ≦ 0.26709314
0.87674777 ≦Ｃ ≦ 1.19578972
4.67553345 ≦Ｄ ≦ 7.05271429
2.04427886 ≦Ｅ ≦ 2.95236972
Ｆ＝０
if  II層（層平均値：−0.0706261）⇒
ｚ＝＋Ａ×（音圧レベル値−音圧レベル平均値）
＋Ｂ×（ラウドネス値−ラウドネス平均値）
＋Ｃ×（シャープネス値−シャープネス平均値）
＋Ｄ×（トーナリティ値−トーナリティ平均値）
＋Ｅ×（インパルシブネス値−インパルシブネス平均値）
＋Ｆ×（F.ストレングス値−F．ストレングス平均値）
0.17712057 ≦Ａ ≦ 0.41122376
0.34459228 ≦Ｂ ≦ 0.58256976
0.93882176 ≦Ｃ ≦ 1.31455684
6.57701754 ≦Ｄ ≦ 10.2722954
2.66553478 ≦Ｅ ≦ 4.09204697
Ｆ＝０
if  III層（層平均値：0.5523788）⇒
ｚ＝＋Ａ×（音圧レベル値−音圧レベル平均値）
＋Ｂ×（ラウドネス値−ラウドネス平均値）
＋Ｃ×（シャープネス値−シャープネス平均値）
＋Ｄ×（トーナリティ値−トーナリティ平均値）
＋Ｅ×（インパルシブネス値−インパルシブネス平均値）
＋Ｆ×（F.ストレングス値−F．ストレングス平均値）
0.05217947 ≦Ａ ≦ 0.20400871
0.29360137 ≦Ｂ ≦ 0.5873409
0.87202954 ≦Ｃ ≦ 1.46762402
Ｄ＝０
2.30105319 ≦Ｅ ≦ 3.88509254
Ｆ＝０
if  IV層（層平均値：0.58948295）⇒
ｚ＝＋Ａ×（音圧レベル値−音圧レベル平均値）
＋Ｂ×（ラウドネス値−ラウドネス平均値）
＋Ｃ×（シャープネス値−シャープネス平均値）
＋Ｄ×（トーナリティ値−トーナリティ平均値）
＋Ｅ×（インパルシブネス値−インパルシブネス平均値）
＋Ｆ×（F.ストレングス値−F．ストレングス平均値）
Ａ＝０
0.38508559 ≦Ｂ ≦ 0.89131794
0.47781725 ≦Ｃ ≦ 1.38759467
3.10067427 ≦Ｄ ≦ 7.94452001
2.67714335 ≦Ｅ ≦ 4.99843731
Ｆ＝０
if  Ｖ層（層平均値：0.69003038）⇒
ｚ＝＋Ａ×（音圧レベル値−音圧レベル平均値）
＋Ｂ×（ラウドネス値−ラウドネス平均値）
＋Ｃ×（シャープネス値−シャープネス平均値）
＋Ｄ×（トーナリティ値−トーナリティ平均値）
＋Ｅ×（インパルシブネス値−インパルシブネス平均値）
＋Ｆ×（F.ストレングス値−F．ストレングス平均値）
Ａ＝０
0.67510108 ≦Ｂ ≦ 1.17240664
0.36212612 ≦Ｃ ≦ 1.20868807
2.7784442  ≦Ｄ ≦ 7.85993889
4.069329   ≦Ｅ ≦ 6.14635806
Ｆ＝０
if  VI層（層平均値：1.12069926）⇒
ｚ＝＋Ａ×（音圧レベル値−音圧レベル平均値）
＋Ｂ×（ラウドネス値−ラウドネス平均値）
＋Ｃ×（シャープネス値−シャープネス平均値）
＋Ｄ×（トーナリティ値−トーナリティ平均値）
＋Ｅ×（インパルシブネス値−インパルシブネス平均値）
＋Ｆ×（F.ストレングス値−F．ストレングス平均値）
0.17865148 ≦Ａ ≦ 0.3052116
0.29877118 ≦Ｂ ≦ 0.51759447
1.00111197 ≦Ｃ ≦ 1.47539298
3.89613139 ≦Ｄ ≦ 6.87116467
2.97407435 ≦Ｅ ≦ 4.13523532
Ｆ＝０
if  VII層（層平均値：1.70518814）⇒
ｚ＝＋Ａ×（音圧レベル値−音圧レベル平均値）
＋Ｂ×（ラウドネス値−ラウドネス平均値）
＋Ｃ×（シャープネス値−シャープネス平均値）
＋Ｄ×（トーナリティ値−トーナリティ平均値）
＋Ｅ×（インパルシブネス値−インパルシブネス平均値）
＋Ｆ×（F.ストレングス値−F．ストレングス平均値）
0.39866582 ≦Ａ ≦ 0.87493076
0.34157505 ≦Ｂ ≦ 0.71116464
1.81139192 ≦Ｃ ≦ 2.53882546
7.76070427 ≦Ｄ ≦ 15.9726217
1.24131801 ≦Ｅ ≦ 3.69327198
5.1108143 ≦Ｆ ≦ 15.5038527
if  VIII層（層平均値：2.24648746）
ｚ＝＋Ａ×（音圧レベル値−音圧レベル平均値）
＋Ｂ×（ラウドネス値−ラウドネス平均値）
＋Ｃ×（シャープネス値−シャープネス平均値）
＋Ｄ×（トーナリティ値−トーナリティ平均値）
＋Ｅ×（インパルシブネス値−インパルシブネス平均値）
＋Ｆ×（F.ストレングス値−F．ストレングス平均値）
0.06562274 ≦Ａ ≦ 0.32355283
0.23370151 ≦Ｂ ≦ 0.71540287
1.00831861 ≦Ｃ ≦ 2.01396218
4.35252092 ≦Ｄ ≦ 10.2346432
2.47144678 ≦Ｅ ≦ 4.5862928
Ｆ＝０
if  IX層（層平均値：2.37734355）⇒
ｚ＝＋Ａ×（音圧レベル値−音圧レベル平均値）
＋Ｂ×（ラウドネス値−ラウドネス平均値）
＋Ｃ×（シャープネス値−シャープネス平均値）
＋Ｄ×（トーナリティ値−トーナリティ平均値）
＋Ｅ×（インパルシブネス値−インパルシブネス平均値）
＋Ｆ×（F.ストレングス値−F．ストレングス平均値）
0.29721025 ≦Ａ ≦ 0.33898939
Ｂ＝０
0.49535777 ≦Ｃ ≦ 0.94732127
0.53949286 ≦Ｄ ≦ 5.184987
1.33596983 ≦Ｅ ≦2.72919696
Ｆ＝０
・・・・・・・・・（ａ）
［条件（ｅ）］
Ｐ ≦ 0.2714Ln(ｖ) - 1.028・・・・・・（ｅ）
62.5≦ｖ≦362
【請求項８】
画像形成対象シートに対して画像を形成する画像形成装置であって、
画像形成装置端面から略１ｍ離れた収音位置で収音される前記画像形成対象シートに対して画像形成を行うときに画像形成装置が発する音から得られる音響物理量の音圧レベル値，ラウドネス値，シャープネス値，トーナリティ値，インパルシブネス値，フラクチュエーション・ストレングス（Ｆ．ストレングス）値と、
前記一対比較実験に用いた全供試音の音響物理量の平均値である、音圧レベル平均値，ラウドネス平均値，シャープネス平均値，トーナリティ平均値，インパルシブネス平均値，フラクチュエーション・ストレングス（Ｆ．ストレングス）平均値と、
ロジットｚの標準偏差σと、
前記画像形成対象シートに対する画像形成速度（ｖ：ｍｍ／ｓ）とを用い、
以下の（ｃ）式により算出される不快確率Ｐが、以下の条件（ｅ）を満たすことを特徴とする画像形成装置。
［式（ｃ）］
不快確率Ｐ＝１／（１＋exp（−ｚ±２σ））
【表２４】
2006214911.tif 000052
if  Ｉ層（層平均値：−0.851538）⇒
ｚ＝＋Ａ×（音圧レベル値−音圧レベル平均値）
＋Ｂ×（ラウドネス値−ラウドネス平均値）
＋Ｃ×（シャープネス値−シャープネス平均値）
＋Ｄ×（トーナリティ値−トーナリティ平均値）
＋Ｅ×（インパルシブネス値−インパルシブネス平均値）
＋Ｆ×（F.ストレングス値−F．ストレングス平均値）
Ａ＝0.21555107
Ｂ＝0.17832089
Ｃ＝1.03626251
Ｄ＝5.86411143
Ｅ＝2.49831660
Ｆ＝0
σ＝0.753153
if  II層（層平均値：−0.0706261）⇒
ｚ＝＋Ａ×（音圧レベル値−音圧レベル平均値）
＋Ｂ×（ラウドネス値−ラウドネス平均値）
＋Ｃ×（シャープネス値−シャープネス平均値）
＋Ｄ×（トーナリティ値−トーナリティ平均値）
＋Ｅ×（インパルシブネス値−インパルシブネス平均値）
＋Ｆ×（F.ストレングス値−F．ストレングス平均値）
Ａ＝0.29415304
Ｂ＝0.46277236
Ｃ＝1.12479939
Ｄ＝8.40500668
Ｅ＝3.37198180
Ｆ＝0
σ＝0.900555
if  III層（層平均値：0.5523788）⇒
ｚ＝＋Ａ×（音圧レベル値−音圧レベル平均値）
＋Ｂ×（ラウドネス値−ラウドネス平均値）
＋Ｃ×（シャープネス値−シャープネス平均値）
＋Ｄ×（トーナリティ値−トーナリティ平均値）
＋Ｅ×（インパルシブネス値−インパルシブネス平均値）
＋Ｆ×（F.ストレングス値−F．ストレングス平均値）
Ａ＝0.12767865
Ｂ＝0.43878495
Ｃ＝1.16681535
Ｄ＝0
Ｅ＝3.08130910
Ｆ＝0
σ＝0.816356
if  IV層（層平均値：0.58948295）⇒
ｚ＝＋Ａ×（音圧レベル値−音圧レベル平均値）
＋Ｂ×（ラウドネス値−ラウドネス平均値）
＋Ｃ×（シャープネス値−シャープネス平均値）
＋Ｄ×（トーナリティ値−トーナリティ平均値）
＋Ｅ×（インパルシブネス値−インパルシブネス平均値）
＋Ｆ×（F.ストレングス値−F．ストレングス平均値）
Ａ＝0
Ｂ＝0.63535348
Ｃ＝0.92869305
Ｄ＝5.49307973
Ｅ＝3.82174749
Ｆ＝0
σ＝0.485654
if  Ｖ層（層平均値：0.69003038）⇒
ｚ＝＋Ａ×（音圧レベル値−音圧レベル平均値）
＋Ｂ×（ラウドネス値−ラウドネス平均値）
＋Ｃ×（シャープネス値−シャープネス平均値）
＋Ｄ×（トーナリティ値−トーナリティ平均値）
＋Ｅ×（インパルシブネス値−インパルシブネス平均値）
＋Ｆ×（F.ストレングス値−F．ストレングス平均値）
Ａ＝0
Ｂ＝0.91968054
Ｃ＝0.78312761
Ｄ＝5.29399995
Ｅ＝5.08602977
Ｆ＝0
σ＝0.643639
if  VI層（層平均値：1.12069926）⇒
ｚ＝＋Ａ×（音圧レベル値−音圧レベル平均値）
＋Ｂ×（ラウドネス値−ラウドネス平均値）
＋Ｃ×（シャープネス値−シャープネス平均値）
＋Ｄ×（トーナリティ値−トーナリティ平均値）
＋Ｅ×（インパルシブネス値−インパルシブネス平均値）
＋Ｆ×（F.ストレングス値−F．ストレングス平均値）
Ａ＝0.24159805
Ｂ＝0.40793206
Ｃ＝1.23702636
Ｄ＝5.38364801
Ｅ＝3.54994177
Ｆ＝0
σ＝0.635901
if  VII層（層平均値：1.70518814）⇒
ｚ＝＋Ａ×（音圧レベル値−音圧レベル平均値）
＋Ｂ×（ラウドネス値−ラウドネス平均値）
＋Ｃ×（シャープネス値−シャープネス平均値）
＋Ｄ×（トーナリティ値−トーナリティ平均値）
＋Ｅ×（インパルシブネス値−インパルシブネス平均値）
＋Ｆ×（F.ストレングス値−F．ストレングス平均値）
Ａ＝0.63307170
Ｂ＝0.52423191
Ｃ＝2.16581638
Ｄ＝11.83662780
Ｅ＝2.45003365
Ｆ＝10.23925380
σ＝0.925801
if  VIII層（層平均値：2.24648746）
ｚ＝＋Ａ×（音圧レベル値−音圧レベル平均値）
＋Ｂ×（ラウドネス値−ラウドネス平均値）
＋Ｃ×（シャープネス値−シャープネス平均値）
＋Ｄ×（トーナリティ値−トーナリティ平均値）
＋Ｅ×（インパルシブネス値−インパルシブネス平均値）
＋Ｆ×（F.ストレングス値−F．ストレングス平均値）
Ａ＝0.19307892
Ｂ＝0.47512151
Ｃ＝1.50392757
Ｄ＝7.28249947
Ｅ＝3.52318670
Ｆ＝0
σ＝0.872629
if  IX層（層平均値：2.37734355）⇒
ｚ＝＋Ａ×（音圧レベル値−音圧レベル平均値）
＋Ｂ×（ラウドネス値−ラウドネス平均値）
＋Ｃ×（シャープネス値−シャープネス平均値）
＋Ｄ×（トーナリティ値−トーナリティ平均値）
＋Ｅ×（インパルシブネス値−インパルシブネス平均値）
＋Ｆ×（F.ストレングス値−F．ストレングス平均値）
Ａ＝0.31764449
Ｂ＝0
Ｃ＝0.71962000
Ｄ＝2.86942452
Ｅ＝2.02961962
Ｆ＝0
σ＝0.710973
・・・・・・・・・・・・・（ｃ）
［条件（ｅ）］
Ｐ ≦ 0.2714Ln(ｖ) - 1.028・・・・・・（ｅ）
62.5≦ｖ≦362
【請求項９】
画像形成対象シートに対して画像を形成する画像形成装置であって、
画像形成装置端面から略１ｍ離れた収音位置で収音される前記画像形成対象シートに対して画像形成を行うときに画像形成装置が発する音から得られる音響物理量の音圧レベル値，ラウドネス値，シャープネス値，トーナリティ値，インパルシブネス値，フラクチュエーション・ストレングス（Ｆ．ストレングス）値と、
前記一対比較実験に用いた全供試音の音響物理量の平均値である、音圧レベル平均値，ラウドネス平均値，シャープネス平均値，トーナリティ平均値，インパルシブネス平均値，フラクチュエーション・ストレングス（Ｆ．ストレングス）平均値と、
前記画像形成対象シートに対する画像形成速度（ｖ：ｍｍ／ｓ）とを用い、
以下の（ｄ）式により算出される不快確率Ｐが、以下の条件（ｅ）を満たすことを特徴とする画像形成装置。
［式（ｄ）］
不快確率Ｐ＝１／（１＋exp（−ｚ））
【表２４】
2006214911.tif 000053
if  Ｉ層（層平均値：−0.851538）⇒
ｚ ＝＋Ａ×（音圧レベル値−音圧レベル平均値）
＋Ｂ×（ラウドネス値−ラウドネス平均値）
＋Ｃ×（シャープネス値−シャープネス平均値）
＋Ｄ×（トーナリティ値−トーナリティ平均値）
＋Ｅ×（インパルシブネス値−インパルシブネス平均値）
＋Ｆ×（F.ストレングス値−F．ストレングス平均値）
Ａ＝0.21555107
Ｂ＝0.17832089
Ｃ＝1.03626251
Ｄ＝5.86411143
Ｅ＝2.49831660
Ｆ＝0
if  II層（層平均値：−0.0706261）⇒
ｚ＝＋Ａ×（音圧レベル値−音圧レベル平均値）
＋Ｂ×（ラウドネス値−ラウドネス平均値）
＋Ｃ×（シャープネス値−シャープネス平均値）
＋Ｄ×（トーナリティ値−トーナリティ平均値）
＋Ｅ×（インパルシブネス値−インパルシブネス平均値）
＋Ｆ×（F.ストレングス値−F．ストレングス平均値）
Ａ＝0.29415304
Ｂ＝ 0.46277236
Ｃ＝ 1.12479939
Ｄ＝ 8.40500668
Ｅ＝ 3.37198180
Ｆ＝0
if  III層（層平均値：0.5523788）⇒
ｚ＝＋Ａ×（音圧レベル値−音圧レベル平均値）
＋Ｂ×（ラウドネス値−ラウドネス平均値）
＋Ｃ×（シャープネス値−シャープネス平均値）
＋Ｄ×（トーナリティ値−トーナリティ平均値）
＋Ｅ×（インパルシブネス値−インパルシブネス平均値）
＋Ｆ×（F.ストレングス値−F．ストレングス平均値）
Ａ＝0.12767865
Ｂ＝0.43878495
Ｃ＝1.16681535
Ｄ＝0
Ｅ＝3.08130910
Ｆ＝0
if  IV層（層平均値：0.58948295）⇒
ｚ＝＋Ａ×（音圧レベル値−音圧レベル平均値）
＋Ｂ×（ラウドネス値−ラウドネス平均値）
＋Ｃ×（シャープネス値−シャープネス平均値）
＋Ｄ×（トーナリティ値−トーナリティ平均値）
＋Ｅ×（インパルシブネス値−インパルシブネス平均値）
＋Ｆ×（F.ストレングス値−F．ストレングス平均値）
Ａ＝0
Ｂ＝0.63535348
Ｃ＝0.92869305
Ｄ＝5.49307973
Ｅ＝3.82174749
Ｆ＝0
if  Ｖ層（層平均値：0.69003038）⇒
ｚ＝＋Ａ×（音圧レベル値−音圧レベル平均値）
＋Ｂ×（ラウドネス値−ラウドネス平均値）
＋Ｃ×（シャープネス値−シャープネス平均値）
＋Ｄ×（トーナリティ値−トーナリティ平均値）
＋Ｅ×（インパルシブネス値−インパルシブネス平均値）
＋Ｆ×（F.ストレングス値−F．ストレングス平均値）
Ａ＝0
Ｂ＝0.91968054
Ｃ＝0.78312761
Ｄ＝5.29399995
Ｅ＝5.08602977
Ｆ＝0
if  VI層（層平均値：1.12069926）⇒
ｚ＝＋Ａ×（音圧レベル値−音圧レベル平均値）
＋Ｂ×（ラウドネス値−ラウドネス平均値）
＋Ｃ×（シャープネス値−シャープネス平均値）
＋Ｄ×（トーナリティ値−トーナリティ平均値）
＋Ｅ×（インパルシブネス値−インパルシブネス平均値）
＋Ｆ×（F.ストレングス値−F．ストレングス平均値）
Ａ＝0.24159805
Ｂ＝0.40793206
Ｃ＝1.23702636
Ｄ＝5.38364801
Ｅ＝3.54994177
Ｆ＝0
if  VII層（層平均値：1.70518814）⇒
ｚ＝＋Ａ×（音圧レベル値−音圧レベル平均値）
＋Ｂ×（ラウドネス値−ラウドネス平均値）
＋Ｃ×（シャープネス値−シャープネス平均値）
＋Ｄ×（トーナリティ値−トーナリティ平均値）
＋Ｅ×（インパルシブネス値−インパルシブネス平均値）
＋Ｆ×（F.ストレングス値−F．ストレングス平均値）
Ａ＝0.63307170
Ｂ＝0.52423191
Ｃ＝2.16581638
Ｄ＝11.83662780
Ｅ＝2.45003365
Ｆ＝10.23925380
if  VIII層（層平均値：2.24648746）
ｚ＝＋Ａ×（音圧レベル値−音圧レベル平均値）
＋Ｂ×（ラウドネス値−ラウドネス平均値）
＋Ｃ×（シャープネス値−シャープネス平均値）
＋Ｄ×（トーナリティ値−トーナリティ平均値）
＋Ｅ×（インパルシブネス値−インパルシブネス平均値）
＋Ｆ×（F.ストレングス値−F．ストレングス平均値）
Ａ＝0.19307892
Ｂ＝0.47512151
Ｃ＝1.50392757
Ｄ＝7.28249947
Ｅ＝3.52318670
Ｆ＝0
if  IX層（層平均値：2.37734355）⇒
ｚ＝＋Ａ×（音圧レベル値−音圧レベル平均値）
＋Ｂ×（ラウドネス値−ラウドネス平均値）
＋Ｃ×（シャープネス値−シャープネス平均値）
＋Ｄ×（トーナリティ値−トーナリティ平均値）
＋Ｅ×（インパルシブネス値−インパルシブネス平均値）
＋Ｆ×（F.ストレングス値−F．ストレングス平均値）
Ａ＝0.31764449
Ｂ＝0
Ｃ＝0.71962000
Ｄ＝2.86942452
Ｅ＝2.02961962
Ｆ＝0
・・・・・・・・・・（ｄ）
［条件（ｅ）］
Ｐ ≦ 0.2714Ln(ｖ) - 1.028・・・・・・（ｅ）
62.5≦ｖ≦362
【請求項１０】
複数の画像形成速度あるいは複数の動作モードを有し、
前記画像形成速度あるいは動作モードに関わりなく、前記確率Ｐが前記条件を満たすことを特徴とする、請求項４〜９のいずれか１項に記載の画像形成装置。
【請求項１１】
前記収音位置は、ＩＳＯ（International Organization For Standardization）７７７９に規定された近在者位置であり、少なくとも装置前面方向の音の収音結果から算出される前記確率Ｐが前記条件を満たすことを特徴とする、請求項４〜９のいずれか１項に記載の画像形成装置。
【請求項１２】
前記収音位置は、ＩＳＯ（International Organization For Standardization）７７７９に規定された近在者位置であり、装置前後左右の４方向の音の収音結果の各々から算出される前記確率Ｐの平均値が前記条件を満たすことを特徴とする、請求項４〜９のいずれか１項に記載の画像形成装置。
【請求項１３】
前記収音位置は、ＩＳＯ（International Organization For Standardization）７７７９に規定された近在者位置であり、少なくとも装置前後左右のいずれか１方向の音の収音結果から算出される前記確率Ｐが前記条件を満たすことを特徴とする、請求項４〜９のいずれか１項に記載の画像形成装置。
【請求項１４】
前記収音位置は、ＩＳＯ（International Organization For Standardization）７７７９に規定された近在者位置であり、装置前後左右の４方向の音の収音結果の各々から算出されるすべての前記確率Ｐが前記条件を満たすことを特徴とする、請求項４〜９のいずれか１項に記載の画像形成装置。
【請求項１５】
前記画像形成対象シートへの画像形成時に当該装置が発する音を低減させる低減手段を具備することを特徴とする、請求項４〜１４のいずれか１項に記載の画像形成装置。
【請求項１６】
前記画像形成対象シートへの画像形成時に所定の部位を駆動するステッピングモータと、該ステッピングモータを保持するブラケット部材とをさらに具備し、
前記低減手段は、前記ステッピングモータと前記ブラケット部材との間に介在配置される弾性体を有していることを特徴とする請求項１５に記載の画像形成装置。
【請求項１７】
前記画像形成対象シートへの画像形成時に所定の部位を駆動するステッピングモータをさらに具備し、
前記低減手段は、前記ステッピングモータをマイクロステップ駆動させる駆動制御手段を有していることを特徴とする請求項１５に記載の画像形成装置。
【請求項１８】
前記画像形成対象シートへの画像形成時に所定の部位を駆動するモータをさらに具備し、
前記低減手段は、前記モータ近傍に配置されるヘルムホルツ共鳴器を有していることを特徴とする請求項１５に記載の画像形成装置。
【請求項１９】
中空部を有する円柱状の像担持体と、該像担持体の表面を帯電させる帯電手段とをさらに具備し、
前記低減手段は、前記像担持体の中空部に当該像担持体の振動を抑制する制振部材を有することを特徴とする請求項１５に記載の画像形成装置。
【請求項２０】
前記画像形成対象シートを所定の搬送経路に沿って案内する可撓性シートからなる案内部材であって、搬送される前記画像形成対象シートに接する端部が前記可撓性シートの折り曲げ部分となっている案内部材をさらに具備することを特徴とする請求項１５に記載の画像形成装置。
【請求項２１】
前記画像形成対象シートへの画像形成に用いられるトナーがワックスを含むトナーであることを特徴とする請求項１５に記載の画像形成装置。
【請求項２２】
前記低減手段は、複数の給紙段を有する給紙搬送路それぞれに設けられた電磁クラッチの動作を、使用する給紙段以上の電磁クラッチとするように制御する給紙搬送制御手段でなることを特徴とする請求項１５に記載の画像形成装置。
【請求項２３】
画像形成対象シートに対して画像を形成する画像形成装置を製造する方法であって、
製造対象となる画像形成装置の端面から略１ｍ離れた収音位置で収音される、前記画像形成対象シートに対して画像形成を行うときに当該画像形成装置が発する音から得られる音響物理量の音圧レベル値，ラウドネス値，シャープネス値，トーナリティ値，インパルシブネス値，フラクチュエーション・ストレングス（Ｆ．ストレングス）値と、
前記一対比較実験に用いた全供試音の音響物理量の平均値である、音圧レベル平均値，ラウドネス平均値，シャープネス平均値，トーナリティ平均値，インパルシブネス平均値，フラクチュエーション・ストレングス（Ｆ．ストレングス）平均値と、
１分間あたりの前記画像形成対象シート（Ａ４サイズ横方向）の出力数値（ｐｐｍ）とを用い、
以下の（ａ）式により算出される不快確率Ｐが、以下の条件（ｂ）を満たすよう装置各部を設計する設計ステップと、
前記設計ステップによってなされた設計内容にしたがって画像形成装置を製造する製造ステップと
を具備することを特徴とする画像形成装置の製造方法。
［式（ａ）］
不快確率Ｐ＝１／（１＋exp（−ｚ））
【表２４】
2006214911.tif 000054
if  Ｉ層（層平均値：−0.851538）⇒
ｚ＝＋Ａ×（音圧レベル値−音圧レベル平均値）
＋Ｂ×（ラウドネス値−ラウドネス平均値）
＋Ｃ×（シャープネス値−シャープネス平均値）
＋Ｄ×（トーナリティ値−トーナリティ平均値）
＋Ｅ×（インパルシブネス値−インパルシブネス平均値）
＋Ｆ×（F.ストレングス値−F．ストレングス平均値）
0.17459921 ≦Ａ ≦ 0.25650429
0.08954826 ≦Ｂ ≦ 0.26709314
0.87674777 ≦Ｃ ≦ 1.19578972
4.67553345 ≦Ｄ ≦ 7.05271429
2.04427886 ≦Ｅ ≦ 2.95236972
Ｆ＝０
if  II層（層平均値：−0.0706261）⇒
ｚ＝＋Ａ×（音圧レベル値−音圧レベル平均値）
＋Ｂ×（ラウドネス値−ラウドネス平均値）
＋Ｃ×（シャープネス値−シャープネス平均値）
＋Ｄ×（トーナリティ値−トーナリティ平均値）
＋Ｅ×（インパルシブネス値−インパルシブネス平均値）
＋Ｆ×（F.ストレングス値−F．ストレングス平均値）
0.17712057 ≦Ａ ≦ 0.41122376
0.34459228 ≦Ｂ ≦ 0.58256976
0.93882176 ≦Ｃ ≦ 1.31455684
6.57701754 ≦Ｄ ≦ 10.2722954
2.66553478 ≦Ｅ ≦ 4.09204697
Ｆ＝０
if  III層（層平均値：0.5523788）⇒
ｚ＝＋Ａ×（音圧レベル値−音圧レベル平均値）
＋Ｂ×（ラウドネス値−ラウドネス平均値）
＋Ｃ×（シャープネス値−シャープネス平均値）
＋Ｄ×（トーナリティ値−トーナリティ平均値）
＋Ｅ×（インパルシブネス値−インパルシブネス平均値）
＋Ｆ×（F.ストレングス値−F．ストレングス平均値）
0.05217947 ≦Ａ ≦ 0.20400871
0.29360137 ≦Ｂ ≦ 0.5873409
0.87202954 ≦Ｃ ≦ 1.46762402
Ｄ＝０
2.30105319 ≦Ｅ ≦ 3.88509254
Ｆ＝０
if  IV層（層平均値：0.58948295）⇒
ｚ＝＋Ａ×（音圧レベル値−音圧レベル平均値）
＋Ｂ×（ラウドネス値−ラウドネス平均値）
＋Ｃ×（シャープネス値−シャープネス平均値）
＋Ｄ×（トーナリティ値−トーナリティ平均値）
＋Ｅ×（インパルシブネス値−インパルシブネス平均値）
＋Ｆ×（F.ストレングス値−F．ストレングス平均値）
Ａ＝０
0.38508559 ≦Ｂ ≦ 0.89131794
0.47781725 ≦Ｃ ≦ 1.38759467
3.10067427 ≦Ｄ ≦ 7.94452001
2.67714335 ≦Ｅ ≦ 4.99843731
Ｆ＝０
if  Ｖ層（層平均値：0.69003038）⇒
ｚ＝＋Ａ×（音圧レベル値−音圧レベル平均値）
＋Ｂ×（ラウドネス値−ラウドネス平均値）
＋Ｃ×（シャープネス値−シャープネス平均値）
＋Ｄ×（トーナリティ値−トーナリティ平均値）
＋Ｅ×（インパルシブネス値−インパルシブネス平均値）
＋Ｆ×（F.ストレングス値−F．ストレングス平均値）
Ａ＝０
0.67510108 ≦Ｂ ≦ 1.17240664
0.36212612 ≦Ｃ ≦ 1.20868807
2.7784442  ≦Ｄ ≦ 7.85993889
4.069329   ≦Ｅ ≦ 6.14635806
Ｆ＝０
if  VI層（層平均値：1.12069926）⇒
ｚ＝＋Ａ×（音圧レベル値−音圧レベル平均値）
＋Ｂ×（ラウドネス値−ラウドネス平均値）
＋Ｃ×（シャープネス値−シャープネス平均値）
＋Ｄ×（トーナリティ値−トーナリティ平均値）
＋Ｅ×（インパルシブネス値−インパルシブネス平均値）
＋Ｆ×（F.ストレングス値−F．ストレングス平均値）
0.17865148 ≦Ａ ≦ 0.3052116
0.29877118 ≦Ｂ ≦ 0.51759447
1.00111197 ≦Ｃ ≦ 1.47539298
3.89613139 ≦Ｄ ≦ 6.87116467
2.97407435 ≦Ｅ ≦ 4.13523532
Ｆ＝０
if  VII層（層平均値：1.70518814）⇒
ｚ＝＋Ａ×（音圧レベル値−音圧レベル平均値）
＋Ｂ×（ラウドネス値−ラウドネス平均値）
＋Ｃ×（シャープネス値−シャープネス平均値）
＋Ｄ×（トーナリティ値−トーナリティ平均値）
＋Ｅ×（インパルシブネス値−インパルシブネス平均値）
＋Ｆ×（F.ストレングス値−F．ストレングス平均値）
0.39866582 ≦Ａ ≦ 0.87493076
0.34157505 ≦Ｂ ≦ 0.71116464
1.81139192 ≦Ｃ ≦ 2.53882546
7.76070427 ≦Ｄ ≦ 15.9726217
1.24131801 ≦Ｅ ≦ 3.69327198
5.1108143  ≦Ｆ ≦ 15.5038527
if  VIII層（層平均値：2.24648746）
ｚ＝＋Ａ×（音圧レベル値−音圧レベル平均値）
＋Ｂ×（ラウドネス値−ラウドネス平均値）
＋Ｃ×（シャープネス値−シャープネス平均値）
＋Ｄ×（トーナリティ値−トーナリティ平均値）
＋Ｅ×（インパルシブネス値−インパルシブネス平均値）
＋Ｆ×（F.ストレングス値−F．ストレングス平均値）
0.06562274 ≦Ａ ≦ 0.32355283
0.23370151 ≦Ｂ ≦ 0.71540287
1.00831861 ≦Ｃ ≦ 2.01396218
4.35252092 ≦Ｄ ≦ 10.2346432
2.47144678 ≦Ｅ ≦ 4.5862928
Ｆ＝０
if  IX層（層平均値：2.37734355）⇒
ｚ＝＋Ａ×（音圧レベル値−音圧レベル平均値）
＋Ｂ×（ラウドネス値−ラウドネス平均値）
＋Ｃ×（シャープネス値−シャープネス平均値）
＋Ｄ×（トーナリティ値−トーナリティ平均値）
＋Ｅ×（インパルシブネス値−インパルシブネス平均値）
＋Ｆ×（F.ストレングス値−F．ストレングス平均値）
0.29721025 ≦Ａ ≦ 0.33898939
Ｂ＝０
0.49535777 ≦Ｃ ≦ 0.94732127
0.53949286 ≦Ｄ ≦ 5.184987
1.33596983 ≦Ｅ ≦2.72919696
Ｆ＝０
・・・・・・・・・（ａ）
［条件（ｂ）］
Ｐ ≦ 0.3077Ln(ppm) - 0.726・・・・・・（ｂ）
14≦ppm≦65
【請求項２４】
画像形成対象シートに対して画像を形成する画像形成装置を製造する方法であって、
製造対象となる画像形成装置の端面から略１ｍ離れた収音位置で収音される、前記画像形成対象シートに対して画像形成を行うときに当該画像形成装置が発する音から得られる音響物理量の音圧レベル値，ラウドネス値，シャープネス値，トーナリティ値，インパルシブネス値，フラクチュエーション・ストレングス（Ｆ．ストレングス）値と、
前記一対比較実験に用いた全供試音の音響物理量の平均値である、音圧レベル平均値，ラウドネス平均値，シャープネス平均値，トーナリティ平均値，インパルシブネス平均値，フラクチュエーション・ストレングス（Ｆ．ストレングス）平均値と、
ロジットｚの標準偏差σと、
１分間あたりの前記画像形成対象シート（Ａ４サイズ横方向）の出力数値（ｐｐｍ）とを用い、
以下の（ｃ）式により算出される不快確率Ｐが、以下の条件（ｂ）を満たすよう当該装置各部を設計する設計ステップと、
前記設計ステップによってなされた設計内容にしたがって画像形成装置を製造する製造ステップと
を具備することを特徴とする画像形成装置の製造方法。
［式（ｃ）］
不快確率Ｐ＝１／（１＋exp（−ｚ±２σ））
【表２４】
2006214911.tif 000055
if  Ｉ層（層平均値：−0.851538）⇒
ｚ＝＋Ａ×（音圧レベル値−音圧レベル平均値）
＋Ｂ×（ラウドネス値−ラウドネス平均値）
＋Ｃ×（シャープネス値−シャープネス平均値）
＋Ｄ×（トーナリティ値−トーナリティ平均値）
＋Ｅ×（インパルシブネス値−インパルシブネス平均値）
＋Ｆ×（F.ストレングス値−F．ストレングス平均値）
Ａ＝0.21555107
Ｂ＝0.17832089
Ｃ＝1.03626251
Ｄ＝5.86411143
Ｅ＝2.49831660
Ｆ＝0
σ＝0.753153
if  II層（層平均値：−0.0706261）⇒
ｚ＝＋Ａ×（音圧レベル値−音圧レベル平均値）
＋Ｂ×（ラウドネス値−ラウドネス平均値）
＋Ｃ×（シャープネス値−シャープネス平均値）
＋Ｄ×（トーナリティ値−トーナリティ平均値）
＋Ｅ×（インパルシブネス値−インパルシブネス平均値）
＋Ｆ×（F.ストレングス値−F．ストレングス平均値）
Ａ＝0.29415304
Ｂ＝0.46277236
Ｃ＝1.12479939
Ｄ＝8.40500668
Ｅ＝3.37198180
Ｆ＝0
σ＝0.900555
if  III層（層平均値：0.5523788）⇒
ｚ＝＋Ａ×（音圧レベル値−音圧レベル平均値）
＋Ｂ×（ラウドネス値−ラウドネス平均値）
＋Ｃ×（シャープネス値−シャープネス平均値）
＋Ｄ×（トーナリティ値−トーナリティ平均値）
＋Ｅ×（インパルシブネス値−インパルシブネス平均値）
＋Ｆ×（F.ストレングス値−F．ストレングス平均値）
Ａ＝0.12767865
Ｂ＝0.43878495
Ｃ＝1.16681535
Ｄ＝0
Ｅ＝3.08130910
Ｆ＝0
σ＝0.816356
if  IV層（層平均値：0.58948295）⇒
ｚ＝＋Ａ×（音圧レベル値−音圧レベル平均値）
＋Ｂ×（ラウドネス値−ラウドネス平均値）
＋Ｃ×（シャープネス値−シャープネス平均値）
＋Ｄ×（トーナリティ値−トーナリティ平均値）
＋Ｅ×（インパルシブネス値−インパルシブネス平均値）
＋Ｆ×（F.ストレングス値−F．ストレングス平均値）
Ａ＝0
Ｂ＝0.63535348
Ｃ＝0.92869305
Ｄ＝5.49307973
Ｅ＝3.82174749
Ｆ＝0
σ＝0.485654
if  Ｖ層（層平均値：0.69003038）⇒
ｚ＝＋Ａ×（音圧レベル値−音圧レベル平均値）
＋Ｂ×（ラウドネス値−ラウドネス平均値）
＋Ｃ×（シャープネス値−シャープネス平均値）
＋Ｄ×（トーナリティ値−トーナリティ平均値）
＋Ｅ×（インパルシブネス値−インパルシブネス平均値）
＋Ｆ×（F.ストレングス値−F．ストレングス平均値）
Ａ＝0
Ｂ＝0.91968054
Ｃ＝0.78312761
Ｄ＝5.29399995
Ｅ＝5.08602977
Ｆ＝0
σ＝0.643639
if  VI層（層平均値：1.12069926）⇒
ｚ＝＋Ａ×（音圧レベル値−音圧レベル平均値）
＋Ｂ×（ラウドネス値−ラウドネス平均値）
＋Ｃ×（シャープネス値−シャープネス平均値）
＋Ｄ×（トーナリティ値−トーナリティ平均値）
＋Ｅ×（インパルシブネス値−インパルシブネス平均値）
＋Ｆ×（F.ストレングス値−F．ストレングス平均値）
Ａ＝0.24159805
Ｂ＝0.40793206
Ｃ＝1.23702636
Ｄ＝5.38364801
Ｅ＝3.54994177
Ｆ＝0
σ＝0.635901
if  VII層（層平均値：1.70518814）⇒
ｚ＝＋Ａ×（音圧レベル値−音圧レベル平均値）
＋Ｂ×（ラウドネス値−ラウドネス平均値）
＋Ｃ×（シャープネス値−シャープネス平均値）
＋Ｄ×（トーナリティ値−トーナリティ平均値）
＋Ｅ×（インパルシブネス値−インパルシブネス平均値）
＋Ｆ×（F.ストレングス値−F．ストレングス平均値）
Ａ＝0.63307170
Ｂ＝0.52423191
Ｃ＝2.16581638
Ｄ＝11.83662780
Ｅ＝2.45003365
Ｆ＝10.23925380
σ＝0.925801
if  VIII層（層平均値：2.24648746）
ｚ＝＋Ａ×（音圧レベル値−音圧レベル平均値）
＋Ｂ×（ラウドネス値−ラウドネス平均値）
＋Ｃ×（シャープネス値−シャープネス平均値）
＋Ｄ×（トーナリティ値−トーナリティ平均値）
＋Ｅ×（インパルシブネス値−インパルシブネス平均値）
＋Ｆ×（F.ストレングス値−F．ストレングス平均値）
Ａ＝0.19307892
Ｂ＝0.47512151
Ｃ＝1.50392757
Ｄ＝7.28249947
Ｅ＝3.52318670
Ｆ＝0
σ＝0.872629
if  IX層（層平均値：2.37734355）⇒
ｚ＝＋Ａ×（音圧レベル値−音圧レベル平均値）
＋Ｂ×（ラウドネス値−ラウドネス平均値）
＋Ｃ×（シャープネス値−シャープネス平均値）
＋Ｄ×（トーナリティ値−トーナリティ平均値）
＋Ｅ×（インパルシブネス値−インパルシブネス平均値）
＋Ｆ×（F.ストレングス値−F．ストレングス平均値）
Ａ＝0.31764449
Ｂ＝0
Ｃ＝0.71962000
Ｄ＝2.86942452
Ｅ＝2.02961962
Ｆ＝0
σ＝0.710973
・・・・・・・・・・・・・（ｃ）
［条件（ｂ）］
Ｐ ≦ 0.3077Ln(ppm) - 0.726・・・・・・（ｂ）
14≦ppm≦65
【請求項２５】
画像形成対象シートに対して画像を形成する画像形成装置を製造する方法であって、
製造対象となる画像形成装置の端面から略１ｍ離れた収音位置で収音される、前記画像形成対象シートに対して画像形成を行うときに当該画像形成装置が発する音から得られる音響物理量の音圧レベル値，ラウドネス値，シャープネス値，トーナリティ値，インパルシブネス値，フラクチュエーション・ストレングス（Ｆ．ストレングス）値と、
前記一対比較実験に用いた全供試音の音響物理量の平均値である、音圧レベル平均値，ラウドネス平均値，シャープネス平均値，トーナリティ平均値，インパルシブネス平均値，フラクチュエーション・ストレングス（Ｆ．ストレングス）平均値と、
１分間あたりの前記画像形成対象シート（Ａ４サイズ横方向）の出力数値（ｐｐｍ）とを用い、
以下の（ｄ）式により算出される不快確率Ｐが、以下の条件（ｂ）を満たすよう当該装置各部を設計する設計ステップと、
前記設計ステップによってなされた設計内容にしたがって画像形成装置を製造する製造ステップと
を具備することを特徴とする画像形成装置の製造方法。
［式（ｄ）］
不快確率Ｐ＝１／（１＋exp（−ｚ））
【表２４】
2006214911.tif 000056
if  Ｉ層（層平均値：−0.851538）⇒
ｚ ＝＋Ａ×（音圧レベル値−音圧レベル平均値）
＋Ｂ×（ラウドネス値−ラウドネス平均値）
＋Ｃ×（シャープネス値−シャープネス平均値）
＋Ｄ×（トーナリティ値−トーナリティ平均値）
＋Ｅ×（インパルシブネス値−インパルシブネス平均値）
＋Ｆ×（F.ストレングス値−F．ストレングス平均値）
Ａ＝0.21555107
Ｂ＝0.17832089
Ｃ＝1.03626251
Ｄ＝5.86411143
Ｅ＝2.49831660
Ｆ＝0
if  II層（層平均値：−0.0706261）⇒
ｚ＝＋Ａ×（音圧レベル値−音圧レベル平均値）
＋Ｂ×（ラウドネス値−ラウドネス平均値）
＋Ｃ×（シャープネス値−シャープネス平均値）
＋Ｄ×（トーナリティ値−トーナリティ平均値）
＋Ｅ×（インパルシブネス値−インパルシブネス平均値）
＋Ｆ×（F.ストレングス値−F．ストレングス平均値）
Ａ＝0.29415304
Ｂ＝ 0.46277236
Ｃ＝ 1.12479939
Ｄ＝ 8.40500668
Ｅ＝ 3.37198180
Ｆ＝0
if  III層（層平均値：0.5523788）⇒
ｚ＝＋Ａ×（音圧レベル値−音圧レベル平均値）
＋Ｂ×（ラウドネス値−ラウドネス平均値）
＋Ｃ×（シャープネス値−シャープネス平均値）
＋Ｄ×（トーナリティ値−トーナリティ平均値）
＋Ｅ×（インパルシブネス値−インパルシブネス平均値）
＋Ｆ×（F.ストレングス値−F．ストレングス平均値）
Ａ＝0.12767865
Ｂ＝0.43878495
Ｃ＝1.16681535
Ｄ＝0
Ｅ＝3.08130910
Ｆ＝0
if  IV層（層平均値：0.58948295）⇒
ｚ＝＋Ａ×（音圧レベル値−音圧レベル平均値）
＋Ｂ×（ラウドネス値−ラウドネス平均値）
＋Ｃ×（シャープネス値−シャープネス平均値）
＋Ｄ×（トーナリティ値−トーナリティ平均値）
＋Ｅ×（インパルシブネス値−インパルシブネス平均値）
＋Ｆ×（F.ストレングス値−F．ストレングス平均値）
Ａ＝0
Ｂ＝0.63535348
Ｃ＝0.92869305
Ｄ＝5.49307973
Ｅ＝3.82174749
Ｆ＝0
if  Ｖ層（層平均値：0.69003038）⇒
ｚ＝＋Ａ×（音圧レベル値−音圧レベル平均値）
＋Ｂ×（ラウドネス値−ラウドネス平均値）
＋Ｃ×（シャープネス値−シャープネス平均値）
＋Ｄ×（トーナリティ値−トーナリティ平均値）
＋Ｅ×（インパルシブネス値−インパルシブネス平均値）
＋Ｆ×（F.ストレングス値−F．ストレングス平均値）
Ａ＝0
Ｂ＝0.91968054
Ｃ＝0.78312761
Ｄ＝5.29399995
Ｅ＝5.08602977
Ｆ＝0
if  VI層（層平均値：1.12069926）⇒
ｚ＝＋Ａ×（音圧レベル値−音圧レベル平均値）
＋Ｂ×（ラウドネス値−ラウドネス平均値）
＋Ｃ×（シャープネス値−シャープネス平均値）
＋Ｄ×（トーナリティ値−トーナリティ平均値）
＋Ｅ×（インパルシブネス値−インパルシブネス平均値）
＋Ｆ×（F.ストレングス値−F．ストレングス平均値）
Ａ＝0.24159805
Ｂ＝0.40793206
Ｃ＝1.23702636
Ｄ＝5.38364801
Ｅ＝3.54994177
Ｆ＝0
if  VII層（層平均値：1.70518814）⇒
ｚ＝＋Ａ×（音圧レベル値−音圧レベル平均値）
＋Ｂ×（ラウドネス値−ラウドネス平均値）
＋Ｃ×（シャープネス値−シャープネス平均値）
＋Ｄ×（トーナリティ値−トーナリティ平均値）
＋Ｅ×（インパルシブネス値−インパルシブネス平均値）
＋Ｆ×（F.ストレングス値−F．ストレングス平均値）
Ａ＝0.63307170
Ｂ＝0.52423191
Ｃ＝2.16581638
Ｄ＝11.83662780
Ｅ＝2.45003365
Ｆ＝10.23925380
if  VIII層（層平均値：2.24648746）
ｚ＝＋Ａ×（音圧レベル値−音圧レベル平均値）
＋Ｂ×（ラウドネス値−ラウドネス平均値）
＋Ｃ×（シャープネス値−シャープネス平均値）
＋Ｄ×（トーナリティ値−トーナリティ平均値）
＋Ｅ×（インパルシブネス値−インパルシブネス平均値）
＋Ｆ×（F.ストレングス値−F．ストレングス平均値）
Ａ＝0.19307892
Ｂ＝0.47512151
Ｃ＝1.50392757
Ｄ＝7.28249947
Ｅ＝3.52318670
Ｆ＝0
if  IX層（層平均値：2.37734355）⇒
ｚ＝＋Ａ×（音圧レベル値−音圧レベル平均値）
＋Ｂ×（ラウドネス値−ラウドネス平均値）
＋Ｃ×（シャープネス値−シャープネス平均値）
＋Ｄ×（トーナリティ値−トーナリティ平均値）
＋Ｅ×（インパルシブネス値−インパルシブネス平均値）
＋Ｆ×（F.ストレングス値−F．ストレングス平均値）
Ａ＝0.31764449
Ｂ＝0
Ｃ＝0.71962000
Ｄ＝2.86942452
Ｅ＝2.02961962
Ｆ＝0
・・・・・・・・・・（ｄ）
［条件（ｂ）］
Ｐ ≦ 0.3077Ln(ppm) - 0.726・・・・・・（ｂ）
14≦ppm≦65
【請求項２６】
画像形成対象シートに対して画像を形成する画像形成装置を製造する方法であって、
製造対象となる画像形成装置の端面から略１ｍ離れた収音位置で収音される、前記画像形成対象シートに対して画像形成を行うときに当該画像形成装置が発する音から得られる音響物理量の音圧レベル値，ラウドネス値，シャープネス値，トーナリティ値，インパルシブネス値，フラクチュエーション・ストレングス（Ｆ．ストレングス）値と、
前記一対比較実験に用いた全供試音の音響物理量の平均値である、音圧レベル平均値，ラウドネス平均値，シャープネス平均値，トーナリティ平均値，インパルシブネス平均値，フラクチュエーション・ストレングス（Ｆ．ストレングス）平均値と、
前記画像形成対象シートに対する画像形成速度（ｖ：ｍｍ／ｓ）とを用い、
以下の（ａ）式により算出される不快確率Ｐが、以下の条件（ｅ）を満たすよう当該装置各部を設計する設計ステップと、
前記設計ステップによってなされた設計内容にしたがって画像形成装置を製造する製造ステップと
を具備することを特徴とする画像形成装置の製造方法。
［式（ａ）］
不快確率Ｐ＝１／（１＋exp（−ｚ））
【表２４】
2006214911.tif 000057
if  Ｉ層（層平均値：−0.851538）⇒
ｚ＝＋Ａ×（音圧レベル値−音圧レベル平均値）
＋Ｂ×（ラウドネス値−ラウドネス平均値）
＋Ｃ×（シャープネス値−シャープネス平均値）
＋Ｄ×（トーナリティ値−トーナリティ平均値）
＋Ｅ×（インパルシブネス値−インパルシブネス平均値）
＋Ｆ×（F.ストレングス値−F．ストレングス平均値）
0.17459921 ≦Ａ ≦ 0.25650429
0.08954826 ≦Ｂ ≦ 0.26709314
0.87674777 ≦Ｃ ≦ 1.19578972
4.67553345 ≦Ｄ ≦ 7.05271429
2.04427886 ≦Ｅ ≦ 2.95236972
Ｆ＝０
if  II層（層平均値：−0.0706261）⇒
ｚ＝＋Ａ×（音圧レベル値−音圧レベル平均値）
＋Ｂ×（ラウドネス値−ラウドネス平均値）
＋Ｃ×（シャープネス値−シャープネス平均値）
＋Ｄ×（トーナリティ値−トーナリティ平均値）
＋Ｅ×（インパルシブネス値−インパルシブネス平均値）
＋Ｆ×（F.ストレングス値−F．ストレングス平均値）
0.17712057 ≦Ａ ≦ 0.41122376
0.34459228 ≦Ｂ ≦ 0.58256976
0.93882176 ≦Ｃ ≦ 1.31455684
6.57701754 ≦Ｄ ≦ 10.2722954
2.66553478 ≦Ｅ ≦ 4.09204697
Ｆ＝０
if  III層（層平均値：0.5523788）⇒
ｚ＝＋Ａ×（音圧レベル値−音圧レベル平均値）
＋Ｂ×（ラウドネス値−ラウドネス平均値）
＋Ｃ×（シャープネス値−シャープネス平均値）
＋Ｄ×（トーナリティ値−トーナリティ平均値）
＋Ｅ×（インパルシブネス値−インパルシブネス平均値）
＋Ｆ×（F.ストレングス値−F．ストレングス平均値）
0.05217947 ≦Ａ ≦ 0.20400871
0.29360137 ≦Ｂ ≦ 0.5873409
0.87202954 ≦Ｃ ≦ 1.46762402
Ｄ＝０
2.30105319 ≦Ｅ ≦ 3.88509254
Ｆ＝０
if  IV層（層平均値：0.58948295）⇒
ｚ＝＋Ａ×（音圧レベル値−音圧レベル平均値）
＋Ｂ×（ラウドネス値−ラウドネス平均値）
＋Ｃ×（シャープネス値−シャープネス平均値）
＋Ｄ×（トーナリティ値−トーナリティ平均値）
＋Ｅ×（インパルシブネス値−インパルシブネス平均値）
＋Ｆ×（F.ストレングス値−F．ストレングス平均値）
Ａ＝０
0.38508559 ≦Ｂ ≦ 0.89131794
0.47781725 ≦Ｃ ≦ 1.38759467
3.10067427 ≦Ｄ ≦ 7.94452001
2.67714335 ≦Ｅ ≦ 4.99843731
Ｆ＝０
if  Ｖ層（層平均値：0.69003038）⇒
ｚ＝＋Ａ×（音圧レベル値−音圧レベル平均値）
＋Ｂ×（ラウドネス値−ラウドネス平均値）
＋Ｃ×（シャープネス値−シャープネス平均値）
＋Ｄ×（トーナリティ値−トーナリティ平均値）
＋Ｅ×（インパルシブネス値−インパルシブネス平均値）
＋Ｆ×（F.ストレングス値−F．ストレングス平均値）
Ａ＝０
0.67510108 ≦Ｂ ≦ 1.17240664
0.36212612 ≦Ｃ ≦ 1.20868807
2.7784442  ≦Ｄ ≦ 7.85993889
4.069329   ≦Ｅ ≦ 6.14635806
Ｆ＝０
if  VI層（層平均値：1.12069926）⇒
ｚ＝＋Ａ×（音圧レベル値−音圧レベル平均値）
＋Ｂ×（ラウドネス値−ラウドネス平均値）
＋Ｃ×（シャープネス値−シャープネス平均値）
＋Ｄ×（トーナリティ値−トーナリティ平均値）
＋Ｅ×（インパルシブネス値−インパルシブネス平均値）
＋Ｆ×（F.ストレングス値−F．ストレングス平均値）
0.17865148 ≦Ａ ≦ 0.3052116
0.29877118 ≦Ｂ ≦ 0.51759447
1.00111197 ≦Ｃ ≦ 1.47539298
3.89613139 ≦Ｄ ≦ 6.87116467
2.97407435 ≦Ｅ ≦ 4.13523532
Ｆ＝０
if  VII層（層平均値：1.70518814）⇒
ｚ＝＋Ａ×（音圧レベル値−音圧レベル平均値）
＋Ｂ×（ラウドネス値−ラウドネス平均値）
＋Ｃ×（シャープネス値−シャープネス平均値）
＋Ｄ×（トーナリティ値−トーナリティ平均値）
＋Ｅ×（インパルシブネス値−インパルシブネス平均値）
＋Ｆ×（F.ストレングス値−F．ストレングス平均値）
0.39866582 ≦Ａ ≦ 0.87493076
0.34157505 ≦Ｂ ≦ 0.71116464
1.81139192 ≦Ｃ ≦ 2.53882546
7.76070427 ≦Ｄ ≦ 15.9726217
1.24131801 ≦Ｅ ≦ 3.69327198
5.1108143 ≦Ｆ ≦ 15.5038527
if  VIII層（層平均値：2.24648746）
ｚ＝＋Ａ×（音圧レベル値−音圧レベル平均値）
＋Ｂ×（ラウドネス値−ラウドネス平均値）
＋Ｃ×（シャープネス値−シャープネス平均値）
＋Ｄ×（トーナリティ値−トーナリティ平均値）
＋Ｅ×（インパルシブネス値−インパルシブネス平均値）
＋Ｆ×（F.ストレングス値−F．ストレングス平均値）
0.06562274 ≦Ａ ≦ 0.32355283
0.23370151 ≦Ｂ ≦ 0.71540287
1.00831861 ≦Ｃ ≦ 2.01396218
4.35252092 ≦Ｄ ≦ 10.2346432
2.47144678 ≦Ｅ ≦ 4.5862928
Ｆ＝０
if  IX層（層平均値：2.37734355）⇒
ｚ＝＋Ａ×（音圧レベル値−音圧レベル平均値）
＋Ｂ×（ラウドネス値−ラウドネス平均値）
＋Ｃ×（シャープネス値−シャープネス平均値）
＋Ｄ×（トーナリティ値−トーナリティ平均値）
＋Ｅ×（インパルシブネス値−インパルシブネス平均値）
＋Ｆ×（F.ストレングス値−F．ストレングス平均値）
0.29721025 ≦Ａ ≦ 0.33898939
Ｂ＝０
0.49535777 ≦Ｃ ≦ 0.94732127
0.53949286 ≦Ｄ ≦ 5.184987
1.33596983 ≦Ｅ ≦ 2.72919696
Ｆ＝０
・・・・・・・・・（ａ）
［条件（ｅ）］
Ｐ ≦ 0.2714Ln(ｖ) - 1.028・・・・・・（ｅ）
62.5≦ｖ≦362
【請求項２７】
画像形成対象シートに対して画像を形成する画像形成装置を製造する方法であって、
製造対象となる画像形成装置の端面から略１ｍ離れた収音位置で収音される、前記画像形成対象シートに対して画像形成を行うときに当該画像形成装置が発する音から得られる音響物理量の音圧レベル値，ラウドネス値，シャープネス値，トーナリティ値，インパルシブネス値，フラクチュエーション・ストレングス（Ｆ．ストレングス）値と、
前記一対比較実験に用いた全供試音の音響物理量の平均値である、音圧レベル平均値，ラウドネス平均値，シャープネス平均値，トーナリティ平均値，インパルシブネス平均値，フラクチュエーション・ストレングス（Ｆ．ストレングス）平均値と、
ロジットｚの標準偏差σと、
前記画像形成対象シートに対する画像形成速度（ｖ：ｍｍ／ｓ）とを用い、
以下の（ｃ）式により算出される不快確率Ｐが、以下の条件（ｅ）を満たすよう当該装置各部を設計する設計ステップと、
前記設計ステップによってなされた設計内容にしたがって画像形成装置を製造する製造ステップと
を具備することを特徴とする画像形成装置の製造方法。
［式（ｃ）］
不快確率Ｐ＝１／（１＋exp（−ｚ±２σ））
【表２４】
2006214911.tif 000058
if  Ｉ層（層平均値：−0.851538）⇒
ｚ＝＋Ａ×（音圧レベル値−音圧レベル平均値）
＋Ｂ×（ラウドネス値−ラウドネス平均値）
＋Ｃ×（シャープネス値−シャープネス平均値）
＋Ｄ×（トーナリティ値−トーナリティ平均値）
＋Ｅ×（インパルシブネス値−インパルシブネス平均値）
＋Ｆ×（F.ストレングス値−F．ストレングス平均値）
Ａ＝0.21555107
Ｂ＝0.17832089
Ｃ＝1.03626251
Ｄ＝5.86411143
Ｅ＝2.49831660
Ｆ＝0
σ＝0.753153
if  II層（層平均値：−0.0706261）⇒
ｚ＝＋Ａ×（音圧レベル値−音圧レベル平均値）
＋Ｂ×（ラウドネス値−ラウドネス平均値）
＋Ｃ×（シャープネス値−シャープネス平均値）
＋Ｄ×（トーナリティ値−トーナリティ平均値）
＋Ｅ×（インパルシブネス値−インパルシブネス平均値）
＋Ｆ×（F.ストレングス値−F．ストレングス平均値）
Ａ＝0.29415304
Ｂ＝0.46277236
Ｃ＝1.12479939
Ｄ＝8.40500668
Ｅ＝3.37198180
Ｆ＝0
σ＝0.900555
if  III層（層平均値：0.5523788）⇒
ｚ＝＋Ａ×（音圧レベル値−音圧レベル平均値）
＋Ｂ×（ラウドネス値−ラウドネス平均値）
＋Ｃ×（シャープネス値−シャープネス平均値）
＋Ｄ×（トーナリティ値−トーナリティ平均値）
＋Ｅ×（インパルシブネス値−インパルシブネス平均値）
＋Ｆ×（F.ストレングス値−F．ストレングス平均値）
Ａ＝0.12767865
Ｂ＝0.43878495
Ｃ＝1.16681535
Ｄ＝0
Ｅ＝3.08130910
Ｆ＝0
σ＝0.816356
if  IV層（層平均値：0.58948295）⇒
ｚ＝＋Ａ×（音圧レベル値−音圧レベル平均値）
＋Ｂ×（ラウドネス値−ラウドネス平均値）
＋Ｃ×（シャープネス値−シャープネス平均値）
＋Ｄ×（トーナリティ値−トーナリティ平均値）
＋Ｅ×（インパルシブネス値−インパルシブネス平均値）
＋Ｆ×（F.ストレングス値−F．ストレングス平均値）
Ａ＝0
Ｂ＝0.63535348
Ｃ＝0.92869305
Ｄ＝5.49307973
Ｅ＝3.82174749
Ｆ＝0
σ＝0.485654
if  Ｖ層（層平均値：0.69003038）⇒
ｚ＝＋Ａ×（音圧レベル値−音圧レベル平均値）
＋Ｂ×（ラウドネス値−ラウドネス平均値）
＋Ｃ×（シャープネス値−シャープネス平均値）
＋Ｄ×（トーナリティ値−トーナリティ平均値）
＋Ｅ×（インパルシブネス値−インパルシブネス平均値）
＋Ｆ×（F.ストレングス値−F．ストレングス平均値）
Ａ＝0
Ｂ＝0.91968054
Ｃ＝0.78312761
Ｄ＝5.29399995
Ｅ＝5.08602977
Ｆ＝0
σ＝0.643639
if  VI層（層平均値：1.12069926）⇒
ｚ＝＋Ａ×（音圧レベル値−音圧レベル平均値）
＋Ｂ×（ラウドネス値−ラウドネス平均値）
＋Ｃ×（シャープネス値−シャープネス平均値）
＋Ｄ×（トーナリティ値−トーナリティ平均値）
＋Ｅ×（インパルシブネス値−インパルシブネス平均値）
＋Ｆ×（F.ストレングス値−F．ストレングス平均値）
Ａ＝0.24159805
Ｂ＝0.40793206
Ｃ＝1.23702636
Ｄ＝5.38364801
Ｅ＝3.54994177
Ｆ＝0
σ＝0.635901
if  VII層（層平均値：1.70518814）⇒
ｚ＝＋Ａ×（音圧レベル値−音圧レベル平均値）
＋Ｂ×（ラウドネス値−ラウドネス平均値）
＋Ｃ×（シャープネス値−シャープネス平均値）
＋Ｄ×（トーナリティ値−トーナリティ平均値）
＋Ｅ×（インパルシブネス値−インパルシブネス平均値）
＋Ｆ×（F.ストレングス値−F．ストレングス平均値）
Ａ＝0.63307170
Ｂ＝0.52423191
Ｃ＝2.16581638
Ｄ＝11.83662780
Ｅ＝2.45003365
Ｆ＝10.23925380
σ＝0.925801
if  VIII層（層平均値：2.24648746）
ｚ＝＋Ａ×（音圧レベル値−音圧レベル平均値）
＋Ｂ×（ラウドネス値−ラウドネス平均値）
＋Ｃ×（シャープネス値−シャープネス平均値）
＋Ｄ×（トーナリティ値−トーナリティ平均値）
＋Ｅ×（インパルシブネス値−インパルシブネス平均値）
＋Ｆ×（F.ストレングス値−F．ストレングス平均値）
Ａ＝0.19307892
Ｂ＝0.47512151
Ｃ＝1.50392757
Ｄ＝7.28249947
Ｅ＝3.52318670
Ｆ＝0
σ＝0.872629
if  IX層（層平均値：2.37734355）⇒
ｚ＝＋Ａ×（音圧レベル値−音圧レベル平均値）
＋Ｂ×（ラウドネス値−ラウドネス平均値）
＋Ｃ×（シャープネス値−シャープネス平均値）
＋Ｄ×（トーナリティ値−トーナリティ平均値）
＋Ｅ×（インパルシブネス値−インパルシブネス平均値）
＋Ｆ×（F.ストレングス値−F．ストレングス平均値）
Ａ＝0.31764449
Ｂ＝0
Ｃ＝0.71962000
Ｄ＝2.86942452
Ｅ＝2.02961962
Ｆ＝0
σ＝0.710973
・・・・・・・・・・・・・（ｃ）
［条件（ｅ）］
Ｐ ≦ 0.2714Ln(ｖ) - 1.028・・・・・・（ｅ）
62.5≦ｖ≦362
【請求項２８】
画像形成対象シートに対して画像を形成する画像形成装置を製造する方法であって、
製造対象となる画像形成装置の端面から略１ｍ離れた収音位置で収音される、前記画像形成対象シートに対して画像形成を行うときに当該画像形成装置が発する音から得られる音響物理量の音圧レベル値，ラウドネス値，シャープネス値，トーナリティ値，インパルシブネス値，フラクチュエーション・ストレングス（Ｆ．ストレングス）値と、
前記一対比較実験に用いた全供試音の音響物理量の平均値である、音圧レベル平均値，ラウドネス平均値，シャープネス平均値，トーナリティ平均値，インパルシブネス平均値，フラクチュエーション・ストレングス（Ｆ．ストレングス）平均値と、
前記画像形成対象シートに対する画像形成速度（ｖ：ｍｍ／ｓ）とを用い、
以下の（ｄ）式により算出される不快確率Ｐが、以下の条件（ｅ）を満たすよう当該装置各部を設計する設計ステップと、
前記設計ステップによってなされた設計内容にしたがって画像形成装置を製造する製造ステップと
を具備することを特徴とする画像形成装置の製造方法。
［式（ｄ）］
不快確率Ｐ＝１／（１＋exp（−ｚ））
【表２４】
2006214911.tif 000059
if  Ｉ層（層平均値：−0.851538）⇒
ｚ ＝＋Ａ×（音圧レベル値−音圧レベル平均値）
＋Ｂ×（ラウドネス値−ラウドネス平均値）
＋Ｃ×（シャープネス値−シャープネス平均値）
＋Ｄ×（トーナリティ値−トーナリティ平均値）
＋Ｅ×（インパルシブネス値−インパルシブネス平均値）
＋Ｆ×（F.ストレングス値−F．ストレングス平均値）
Ａ＝0.21555107
Ｂ＝0.17832089
Ｃ＝1.03626251
Ｄ＝5.86411143
Ｅ＝2.49831660
Ｆ＝0
if  II層（層平均値：−0.0706261）⇒
ｚ＝＋Ａ×（音圧レベル値−音圧レベル平均値）
＋Ｂ×（ラウドネス値−ラウドネス平均値）
＋Ｃ×（シャープネス値−シャープネス平均値）
＋Ｄ×（トーナリティ値−トーナリティ平均値）
＋Ｅ×（インパルシブネス値−インパルシブネス平均値）
＋Ｆ×（F.ストレングス値−F．ストレングス平均値）
Ａ＝0.29415304
Ｂ＝ 0.46277236
Ｃ＝ 1.12479939
Ｄ＝ 8.40500668
Ｅ＝ 3.37198180
Ｆ＝0
if  III層（層平均値：0.5523788）⇒
ｚ＝＋Ａ×（音圧レベル値−音圧レベル平均値）
＋Ｂ×（ラウドネス値−ラウドネス平均値）
＋Ｃ×（シャープネス値−シャープネス平均値）
＋Ｄ×（トーナリティ値−トーナリティ平均値）
＋Ｅ×（インパルシブネス値−インパルシブネス平均値）
＋Ｆ×（F.ストレングス値−F．ストレングス平均値）
Ａ＝0.12767865
Ｂ＝0.43878495
Ｃ＝1.16681535
Ｄ＝0
Ｅ＝3.08130910
Ｆ＝0
if  IV層（層平均値：0.58948295）⇒
ｚ＝＋Ａ×（音圧レベル値−音圧レベル平均値）
＋Ｂ×（ラウドネス値−ラウドネス平均値）
＋Ｃ×（シャープネス値−シャープネス平均値）
＋Ｄ×（トーナリティ値−トーナリティ平均値）
＋Ｅ×（インパルシブネス値−インパルシブネス平均値）
＋Ｆ×（F.ストレングス値−F．ストレングス平均値）
Ａ＝0
Ｂ＝0.63535348
Ｃ＝0.92869305
Ｄ＝5.49307973
Ｅ＝3.82174749
Ｆ＝0
if  Ｖ層（層平均値：0.69003038）⇒
ｚ＝＋Ａ×（音圧レベル値−音圧レベル平均値）
＋Ｂ×（ラウドネス値−ラウドネス平均値）
＋Ｃ×（シャープネス値−シャープネス平均値）
＋Ｄ×（トーナリティ値−トーナリティ平均値）
＋Ｅ×（インパルシブネス値−インパルシブネス平均値）
＋Ｆ×（F.ストレングス値−F．ストレングス平均値）
Ａ＝0
Ｂ＝0.91968054
Ｃ＝0.78312761
Ｄ＝5.29399995
Ｅ＝5.08602977
Ｆ＝0
if  VI層（層平均値：1.12069926）⇒
ｚ＝＋Ａ×（音圧レベル値−音圧レベル平均値）
＋Ｂ×（ラウドネス値−ラウドネス平均値）
＋Ｃ×（シャープネス値−シャープネス平均値）
＋Ｄ×（トーナリティ値−トーナリティ平均値）
＋Ｅ×（インパルシブネス値−インパルシブネス平均値）
＋Ｆ×（F.ストレングス値−F．ストレングス平均値）
Ａ＝0.24159805
Ｂ＝0.40793206
Ｃ＝1.23702636
Ｄ＝5.38364801
Ｅ＝3.54994177
Ｆ＝0
if  VII層（層平均値：1.70518814）⇒
ｚ＝＋Ａ×（音圧レベル値−音圧レベル平均値）
＋Ｂ×（ラウドネス値−ラウドネス平均値）
＋Ｃ×（シャープネス値−シャープネス平均値）
＋Ｄ×（トーナリティ値−トーナリティ平均値）
＋Ｅ×（インパルシブネス値−インパルシブネス平均値）
＋Ｆ×（F.ストレングス値−F．ストレングス平均値）
Ａ＝0.63307170
Ｂ＝0.52423191
Ｃ＝2.16581638
Ｄ＝11.83662780
Ｅ＝2.45003365
Ｆ＝10.23925380
if  VIII層（層平均値：2.24648746）
ｚ＝＋Ａ×（音圧レベル値−音圧レベル平均値）
＋Ｂ×（ラウドネス値−ラウドネス平均値）
＋Ｃ×（シャープネス値−シャープネス平均値）
＋Ｄ×（トーナリティ値−トーナリティ平均値）
＋Ｅ×（インパルシブネス値−インパルシブネス平均値）
＋Ｆ×（F.ストレングス値−F．ストレングス平均値）
Ａ＝0.19307892
Ｂ＝0.47512151
Ｃ＝1.50392757
Ｄ＝7.28249947
Ｅ＝3.52318670
Ｆ＝0
if  IX層（層平均値：2.37734355）⇒
ｚ＝＋Ａ×（音圧レベル値−音圧レベル平均値）
＋Ｂ×（ラウドネス値−ラウドネス平均値）
＋Ｃ×（シャープネス値−シャープネス平均値）
＋Ｄ×（トーナリティ値−トーナリティ平均値）
＋Ｅ×（インパルシブネス値−インパルシブネス平均値）
＋Ｆ×（F.ストレングス値−F．ストレングス平均値）
Ａ＝0.31764449
Ｂ＝0
Ｃ＝0.71962000
Ｄ＝2.86942452
Ｅ＝2.02961962
Ｆ＝0
・・・・・・・・・・（ｄ）
［条件（ｅ）］
Ｐ ≦ 0.2714Ln(ｖ) - 1.028・・・・・・（ｅ）
62.5≦ｖ≦362
【請求項２９】
画像形成対象シートに対して画像を形成する画像形成装置を改造する方法であって、
改造対象となる画像形成装置の端面から略１ｍ離れた収音位置で、前記画像形成対象シートに対して画像形成を行うときに当該画像形成装置が発する音を収音する収音ステップと、
前記収音ステップでの収音結果から得られる音響物理量の音圧レベル値，ラウドネス値，シャープネス値，トーナリティ値，インパルシブネス値，フラクチュエーション・ストレングス（Ｆ．ストレングス）値と、
前記一対比較実験に用いた全供試音の音響物理量の平均値である、音圧レベル平均値，ラウドネス平均値，シャープネス平均値，トーナリティ平均値，インパルシブネス平均値，フラクチュエーション・ストレングス（Ｆ．ストレングス）平均値と、
１分間あたりの前記画像形成対象シート（Ａ４サイズ横方向）の出力数値（ｐｐｍ）とを用い、
以下の（ａ）式により算出される不快確率Ｐが、以下の条件（ｂ）を満たすよう当該装置の構成を改造する改造ステップと
を具備することを特徴とする画像形成装置の改造方法。
［式（ａ）］
不快確率Ｐ＝１／（１＋exp（−ｚ））
【表２４】
2006214911.tif 000060
if  Ｉ層（層平均値：−0.851538）⇒
ｚ＝＋Ａ×（音圧レベル値−音圧レベル平均値）
＋Ｂ×（ラウドネス値−ラウドネス平均値）
＋Ｃ×（シャープネス値−シャープネス平均値）
＋Ｄ×（トーナリティ値−トーナリティ平均値）
＋Ｅ×（インパルシブネス値−インパルシブネス平均値）
＋Ｆ×（F.ストレングス値−F．ストレングス平均値）
0.17459921 ≦Ａ ≦ 0.25650429
0.08954826 ≦Ｂ ≦ 0.26709314
0.87674777 ≦Ｃ ≦ 1.19578972
4.67553345 ≦Ｄ ≦ 7.05271429
2.04427886 ≦Ｅ ≦ 2.95236972
Ｆ＝０
if  II層（層平均値：−0.0706261）⇒
ｚ＝＋Ａ×（音圧レベル値−音圧レベル平均値）
＋Ｂ×（ラウドネス値−ラウドネス平均値）
＋Ｃ×（シャープネス値−シャープネス平均値）
＋Ｄ×（トーナリティ値−トーナリティ平均値）
＋Ｅ×（インパルシブネス値−インパルシブネス平均値）
＋Ｆ×（F.ストレングス値−F．ストレングス平均値）
0.17712057 ≦Ａ ≦ 0.41122376
0.34459228 ≦Ｂ ≦ 0.58256976
0.93882176 ≦Ｃ ≦ 1.31455684
6.57701754 ≦Ｄ ≦ 10.2722954
2.66553478 ≦Ｅ ≦ 4.09204697
Ｆ＝０
if  III層（層平均値：0.5523788）⇒
ｚ＝＋Ａ×（音圧レベル値−音圧レベル平均値）
＋Ｂ×（ラウドネス値−ラウドネス平均値）
＋Ｃ×（シャープネス値−シャープネス平均値）
＋Ｄ×（トーナリティ値−トーナリティ平均値）
＋Ｅ×（インパルシブネス値−インパルシブネス平均値）
＋Ｆ×（F.ストレングス値−F．ストレングス平均値）
0.05217947 ≦Ａ ≦ 0.20400871
0.29360137 ≦Ｂ ≦ 0.5873409
0.87202954 ≦Ｃ ≦ 1.46762402
Ｄ＝０
2.30105319 ≦Ｅ ≦ 3.88509254
Ｆ＝０
if  IV層（層平均値：0.58948295）⇒
ｚ＝＋Ａ×（音圧レベル値−音圧レベル平均値）
＋Ｂ×（ラウドネス値−ラウドネス平均値）
＋Ｃ×（シャープネス値−シャープネス平均値）
＋Ｄ×（トーナリティ値−トーナリティ平均値）
＋Ｅ×（インパルシブネス値−インパルシブネス平均値）
＋Ｆ×（F.ストレングス値−F．ストレングス平均値）
Ａ＝０
0.38508559 ≦Ｂ ≦ 0.89131794
0.47781725 ≦Ｃ ≦ 1.38759467
3.10067427 ≦Ｄ ≦ 7.94452001
2.67714335 ≦Ｅ ≦ 4.99843731
Ｆ＝０
if  Ｖ層（層平均値：0.69003038）⇒
ｚ＝＋Ａ×（音圧レベル値−音圧レベル平均値）
＋Ｂ×（ラウドネス値−ラウドネス平均値）
＋Ｃ×（シャープネス値−シャープネス平均値）
＋Ｄ×（トーナリティ値−トーナリティ平均値）
＋Ｅ×（インパルシブネス値−インパルシブネス平均値）
＋Ｆ×（F.ストレングス値−F．ストレングス平均値）
Ａ＝０
0.67510108 ≦Ｂ ≦ 1.17240664
0.36212612 ≦Ｃ ≦ 1.20868807
2.7784442  ≦Ｄ ≦ 7.85993889
4.069329   ≦Ｅ ≦ 6.14635806
Ｆ＝０
if  VI層（層平均値：1.12069926）⇒
ｚ＝＋Ａ×（音圧レベル値−音圧レベル平均値）
＋Ｂ×（ラウドネス値−ラウドネス平均値）
＋Ｃ×（シャープネス値−シャープネス平均値）
＋Ｄ×（トーナリティ値−トーナリティ平均値）
＋Ｅ×（インパルシブネス値−インパルシブネス平均値）
＋Ｆ×（F.ストレングス値−F．ストレングス平均値）
0.17865148 ≦Ａ ≦ 0.3052116
0.29877118 ≦Ｂ ≦ 0.51759447
1.00111197 ≦Ｃ ≦ 1.47539298
3.89613139 ≦Ｄ ≦ 6.87116467
2.97407435 ≦Ｅ ≦ 4.13523532
Ｆ＝０
if  VII層（層平均値：1.70518814）⇒
ｚ＝＋Ａ×（音圧レベル値−音圧レベル平均値）
＋Ｂ×（ラウドネス値−ラウドネス平均値）
＋Ｃ×（シャープネス値−シャープネス平均値）
＋Ｄ×（トーナリティ値−トーナリティ平均値）
＋Ｅ×（インパルシブネス値−インパルシブネス平均値）
＋Ｆ×（F.ストレングス値−F．ストレングス平均値）
0.39866582 ≦Ａ ≦ 0.87493076
0.34157505 ≦Ｂ ≦ 0.71116464
1.81139192 ≦Ｃ ≦ 2.53882546
7.76070427 ≦Ｄ ≦ 15.9726217
1.24131801 ≦Ｅ ≦ 3.69327198
5.1108143 ≦Ｆ ≦ 15.5038527
if  VIII層（層平均値：2.24648746）
ｚ＝＋Ａ×（音圧レベル値−音圧レベル平均値）
＋Ｂ×（ラウドネス値−ラウドネス平均値）
＋Ｃ×（シャープネス値−シャープネス平均値）
＋Ｄ×（トーナリティ値−トーナリティ平均値）
＋Ｅ×（インパルシブネス値−インパルシブネス平均値）
＋Ｆ×（F.ストレングス値−F．ストレングス平均値）
0.06562274 ≦Ａ ≦ 0.32355283
0.23370151 ≦Ｂ ≦ 0.71540287
1.00831861 ≦Ｃ ≦ 2.01396218
4.35252092 ≦Ｄ ≦ 10.2346432
2.47144678 ≦Ｅ ≦ 4.5862928
Ｆ＝０
if  IX層（層平均値：2.37734355）⇒
ｚ＝＋Ａ×（音圧レベル値−音圧レベル平均値）
＋Ｂ×（ラウドネス値−ラウドネス平均値）
＋Ｃ×（シャープネス値−シャープネス平均値）
＋Ｄ×（トーナリティ値−トーナリティ平均値）
＋Ｅ×（インパルシブネス値−インパルシブネス平均値）
＋Ｆ×（F.ストレングス値−F．ストレングス平均値）
0.29721025 ≦Ａ ≦ 0.33898939
Ｂ＝０
0.49535777 ≦Ｃ ≦ 0.94732127
0.53949286 ≦Ｄ ≦ 5.184987
1.33596983 ≦Ｅ ≦2.72919696
Ｆ＝０
・・・・・・・・・（ａ）
［条件（ｂ）］
Ｐ ≦ 0.3077Ln(ppm) - 0.726・・・・・・（ｂ）
14≦ppm≦65
【請求項３０】
画像形成対象シートに対して画像を形成する画像形成装置を改造する方法であって、
改造対象となる画像形成装置の端面から略１ｍ離れた収音位置で、前記画像形成対象シートに対して画像形成を行うときに当該画像形成装置が発する音を収音する収音ステップと、
前記収音ステップでの収音結果から得られる音響物理量の音圧レベル値，ラウドネス値，シャープネス値，トーナリティ値，インパルシブネス値，フラクチュエーション・ストレングス（Ｆ．ストレングス）値と、
前記一対比較実験に用いた全供試音の音響物理量の平均値である、音圧レベル平均値，ラウドネス平均値，シャープネス平均値，トーナリティ平均値，インパルシブネス平均値，フラクチュエーション・ストレングス（Ｆ．ストレングス）平均値と、
ロジットｚの標準偏差σと、
１分間あたりの前記画像形成対象シート（Ａ４サイズ横方向）の出力数値（ｐｐｍ）とを用い、
以下の（ｃ）式により算出される不快確率Ｐが、以下の条件（ｂ）を満たすよう当該装置の構成を改造する改造ステップと
を具備することを特徴とする画像形成装置の改造方法。
［式（ｃ）］
不快確率Ｐ＝１／（１＋exp（−ｚ±２σ））
【表２４】
2006214911.tif 000061
if  Ｉ層（層平均値：−0.851538）⇒
ｚ＝＋Ａ×（音圧レベル値−音圧レベル平均値）
＋Ｂ×（ラウドネス値−ラウドネス平均値）
＋Ｃ×（シャープネス値−シャープネス平均値）
＋Ｄ×（トーナリティ値−トーナリティ平均値）
＋Ｅ×（インパルシブネス値−インパルシブネス平均値）
＋Ｆ×（F.ストレングス値−F．ストレングス平均値）
Ａ＝0.21555107
Ｂ＝0.17832089
Ｃ＝1.03626251
Ｄ＝5.86411143
Ｅ＝2.49831660
Ｆ＝0
σ＝0.753153
if  II層（層平均値：−0.0706261）⇒
ｚ＝＋Ａ×（音圧レベル値−音圧レベル平均値）
＋Ｂ×（ラウドネス値−ラウドネス平均値）
＋Ｃ×（シャープネス値−シャープネス平均値）
＋Ｄ×（トーナリティ値−トーナリティ平均値）
＋Ｅ×（インパルシブネス値−インパルシブネス平均値）
＋Ｆ×（F.ストレングス値−F．ストレングス平均値）
Ａ＝0.29415304
Ｂ＝0.46277236
Ｃ＝1.12479939
Ｄ＝8.40500668
Ｅ＝3.37198180
Ｆ＝0
σ＝0.900555
if  III層（層平均値：0.5523788）⇒
ｚ＝＋Ａ×（音圧レベル値−音圧レベル平均値）
＋Ｂ×（ラウドネス値−ラウドネス平均値）
＋Ｃ×（シャープネス値−シャープネス平均値）
＋Ｄ×（トーナリティ値−トーナリティ平均値）
＋Ｅ×（インパルシブネス値−インパルシブネス平均値）
＋Ｆ×（F.ストレングス値−F．ストレングス平均値）
Ａ＝0.12767865
Ｂ＝0.43878495
Ｃ＝1.16681535
Ｄ＝0
Ｅ＝3.08130910
Ｆ＝0
σ＝0.816356
if  IV層（層平均値：0.58948295）⇒
ｚ＝＋Ａ×（音圧レベル値−音圧レベル平均値）
＋Ｂ×（ラウドネス値−ラウドネス平均値）
＋Ｃ×（シャープネス値−シャープネス平均値）
＋Ｄ×（トーナリティ値−トーナリティ平均値）
＋Ｅ×（インパルシブネス値−インパルシブネス平均値）
＋Ｆ×（F.ストレングス値−F．ストレングス平均値）
Ａ＝0
Ｂ＝0.63535348
Ｃ＝0.92869305
Ｄ＝5.49307973
Ｅ＝3.82174749
Ｆ＝0
σ＝0.485654
if  Ｖ層（層平均値：0.69003038）⇒
ｚ＝＋Ａ×（音圧レベル値−音圧レベル平均値）
＋Ｂ×（ラウドネス値−ラウドネス平均値）
＋Ｃ×（シャープネス値−シャープネス平均値）
＋Ｄ×（トーナリティ値−トーナリティ平均値）
＋Ｅ×（インパルシブネス値−インパルシブネス平均値）
＋Ｆ×（F.ストレングス値−F．ストレングス平均値）
Ａ＝0
Ｂ＝0.91968054
Ｃ＝0.78312761
Ｄ＝5.29399995
Ｅ＝5.08602977
Ｆ＝0
σ＝0.643639
if  VI層（層平均値：1.12069926）⇒
ｚ＝＋Ａ×（音圧レベル値−音圧レベル平均値）
＋Ｂ×（ラウドネス値−ラウドネス平均値）
＋Ｃ×（シャープネス値−シャープネス平均値）
＋Ｄ×（トーナリティ値−トーナリティ平均値）
＋Ｅ×（インパルシブネス値−インパルシブネス平均値）
＋Ｆ×（F.ストレングス値−F．ストレングス平均値）
Ａ＝0.24159805
Ｂ＝0.40793206
Ｃ＝1.23702636
Ｄ＝5.38364801
Ｅ＝3.54994177
Ｆ＝0
σ＝0.635901
if  VII層（層平均値：1.70518814）⇒
ｚ＝＋Ａ×（音圧レベル値−音圧レベル平均値）
＋Ｂ×（ラウドネス値−ラウドネス平均値）
＋Ｃ×（シャープネス値−シャープネス平均値）
＋Ｄ×（トーナリティ値−トーナリティ平均値）
＋Ｅ×（インパルシブネス値−インパルシブネス平均値）
＋Ｆ×（F.ストレングス値−F．ストレングス平均値）
Ａ＝0.63307170
Ｂ＝0.52423191
Ｃ＝2.16581638
Ｄ＝11.83662780
Ｅ＝2.45003365
Ｆ＝10.23925380
σ＝0.925801
if  VIII層（層平均値：2.24648746）
ｚ＝＋Ａ×（音圧レベル値−音圧レベル平均値）
＋Ｂ×（ラウドネス値−ラウドネス平均値）
＋Ｃ×（シャープネス値−シャープネス平均値）
＋Ｄ×（トーナリティ値−トーナリティ平均値）
＋Ｅ×（インパルシブネス値−インパルシブネス平均値）
＋Ｆ×（F.ストレングス値−F．ストレングス平均値）
Ａ＝0.19307892
Ｂ＝0.47512151
Ｃ＝1.50392757
Ｄ＝7.28249947
Ｅ＝3.52318670
Ｆ＝0
σ＝0.872629
if  IX層（層平均値：2.37734355）⇒
ｚ＝＋Ａ×（音圧レベル値−音圧レベル平均値）
＋Ｂ×（ラウドネス値−ラウドネス平均値）
＋Ｃ×（シャープネス値−シャープネス平均値）
＋Ｄ×（トーナリティ値−トーナリティ平均値）
＋Ｅ×（インパルシブネス値−インパルシブネス平均値）
＋Ｆ×（F.ストレングス値−F．ストレングス平均値）
Ａ＝0.31764449
Ｂ＝0
Ｃ＝0.71962000
Ｄ＝2.86942452
Ｅ＝2.02961962
Ｆ＝0
σ＝0.710973
・・・・・・・・・・・・・（ｃ）
［条件（ｂ）］
Ｐ ≦ 0.3077Ln(ppm) - 0.726・・・・・・（ｂ）
14≦ppm≦65
【請求項３１】
画像形成対象シートに対して画像を形成する画像形成装置を改造する方法であって、
改造対象となる画像形成装置の端面から略１ｍ離れた収音位置で、前記画像形成対象シートに対して画像形成を行うときに当該画像形成装置が発する音を収音する収音ステップと、
前記収音ステップでの収音結果から得られる音響物理量の音圧レベル値，ラウドネス値，シャープネス値，トーナリティ値，インパルシブネス値，フラクチュエーション・ストレングス（Ｆ．ストレングス）値と、
前記一対比較実験に用いた全供試音の音響物理量の平均値である、音圧レベル平均値，ラウドネス平均値，シャープネス平均値，トーナリティ平均値，インパルシブネス平均値，フラクチュエーション・ストレングス（Ｆ．ストレングス）平均値と、
１分間あたりの前記画像形成対象シート（Ａ４サイズ横方向）の出力数値（ｐｐｍ）とを用い、
以下の（ｄ）式により算出される不快確率Ｐが、以下の条件（ｂ）を満たすよう当該装置の構成を改造する改造ステップと
を具備することを特徴とする画像形成装置の改造方法。
［式（ｄ）］
不快確率Ｐ＝１／（１＋exp（−ｚ））
【表２４】
2006214911.tif 000062
if  Ｉ層（層平均値：−0.851538）⇒
ｚ ＝＋Ａ×（音圧レベル値−音圧レベル平均値）
＋Ｂ×（ラウドネス値−ラウドネス平均値）
＋Ｃ×（シャープネス値−シャープネス平均値）
＋Ｄ×（トーナリティ値−トーナリティ平均値）
＋Ｅ×（インパルシブネス値−インパルシブネス平均値）
＋Ｆ×（F.ストレングス値−F．ストレングス平均値）
Ａ＝0.21555107
Ｂ＝0.17832089
Ｃ＝1.03626251
Ｄ＝5.86411143
Ｅ＝2.49831660
Ｆ＝0
if  II層（層平均値：−0.0706261）⇒
ｚ＝＋Ａ×（音圧レベル値−音圧レベル平均値）
＋Ｂ×（ラウドネス値−ラウドネス平均値）
＋Ｃ×（シャープネス値−シャープネス平均値）
＋Ｄ×（トーナリティ値−トーナリティ平均値）
＋Ｅ×（インパルシブネス値−インパルシブネス平均値）
＋Ｆ×（F.ストレングス値−F．ストレングス平均値）
Ａ＝0.29415304
Ｂ＝ 0.46277236
Ｃ＝ 1.12479939
Ｄ＝ 8.40500668
Ｅ＝ 3.37198180
Ｆ＝0
if  III層（層平均値：0.5523788）⇒
ｚ＝＋Ａ×（音圧レベル値−音圧レベル平均値）
＋Ｂ×（ラウドネス値−ラウドネス平均値）
＋Ｃ×（シャープネス値−シャープネス平均値）
＋Ｄ×（トーナリティ値−トーナリティ平均値）
＋Ｅ×（インパルシブネス値−インパルシブネス平均値）
＋Ｆ×（F.ストレングス値−F．ストレングス平均値）
Ａ＝0.12767865
Ｂ＝0.43878495
Ｃ＝1.16681535
Ｄ＝0
Ｅ＝3.08130910
Ｆ＝0
if  IV層（層平均値：0.58948295）⇒
ｚ＝＋Ａ×（音圧レベル値−音圧レベル平均値）
＋Ｂ×（ラウドネス値−ラウドネス平均値）
＋Ｃ×（シャープネス値−シャープネス平均値）
＋Ｄ×（トーナリティ値−トーナリティ平均値）
＋Ｅ×（インパルシブネス値−インパルシブネス平均値）
＋Ｆ×（F.ストレングス値−F．ストレングス平均値）
Ａ＝0
Ｂ＝0.63535348
Ｃ＝0.92869305
Ｄ＝5.49307973
Ｅ＝3.82174749
Ｆ＝0
if  Ｖ層（層平均値：0.69003038）⇒
ｚ＝＋Ａ×（音圧レベル値−音圧レベル平均値）
＋Ｂ×（ラウドネス値−ラウドネス平均値）
＋Ｃ×（シャープネス値−シャープネス平均値）
＋Ｄ×（トーナリティ値−トーナリティ平均値）
＋Ｅ×（インパルシブネス値−インパルシブネス平均値）
＋Ｆ×（F.ストレングス値−F．ストレングス平均値）
Ａ＝0
Ｂ＝0.91968054
Ｃ＝0.78312761
Ｄ＝5.29399995
Ｅ＝5.08602977
Ｆ＝0
if  VI層（層平均値：1.12069926）⇒
ｚ＝＋Ａ×（音圧レベル値−音圧レベル平均値）
＋Ｂ×（ラウドネス値−ラウドネス平均値）
＋Ｃ×（シャープネス値−シャープネス平均値）
＋Ｄ×（トーナリティ値−トーナリティ平均値）
＋Ｅ×（インパルシブネス値−インパルシブネス平均値）
＋Ｆ×（F.ストレングス値−F．ストレングス平均値）
Ａ＝0.24159805
Ｂ＝0.40793206
Ｃ＝1.23702636
Ｄ＝5.38364801
Ｅ＝3.54994177
Ｆ＝0
if  VII層（層平均値：1.70518814）⇒
ｚ＝＋Ａ×（音圧レベル値−音圧レベル平均値）
＋Ｂ×（ラウドネス値−ラウドネス平均値）
＋Ｃ×（シャープネス値−シャープネス平均値）
＋Ｄ×（トーナリティ値−トーナリティ平均値）
＋Ｅ×（インパルシブネス値−インパルシブネス平均値）
＋Ｆ×（F.ストレングス値−F．ストレングス平均値）
Ａ＝0.63307170
Ｂ＝0.52423191
Ｃ＝2.16581638
Ｄ＝11.83662780
Ｅ＝2.45003365
Ｆ＝10.23925380
if  VIII層（層平均値：2.24648746）
ｚ＝＋Ａ×（音圧レベル値−音圧レベル平均値）
＋Ｂ×（ラウドネス値−ラウドネス平均値）
＋Ｃ×（シャープネス値−シャープネス平均値）
＋Ｄ×（トーナリティ値−トーナリティ平均値）
＋Ｅ×（インパルシブネス値−インパルシブネス平均値）
＋Ｆ×（F.ストレングス値−F．ストレングス平均値）
Ａ＝0.19307892
Ｂ＝0.47512151
Ｃ＝1.50392757
Ｄ＝7.28249947
Ｅ＝3.52318670
Ｆ＝0
if  IX層（層平均値：2.37734355）⇒
ｚ＝＋Ａ×（音圧レベル値−音圧レベル平均値）
＋Ｂ×（ラウドネス値−ラウドネス平均値）
＋Ｃ×（シャープネス値−シャープネス平均値）
＋Ｄ×（トーナリティ値−トーナリティ平均値）
＋Ｅ×（インパルシブネス値−インパルシブネス平均値）
＋Ｆ×（F.ストレングス値−F．ストレングス平均値）
Ａ＝0.31764449
Ｂ＝0
Ｃ＝0.71962000
Ｄ＝2.86942452
Ｅ＝2.02961962
Ｆ＝0
・・・・・・・・・・（ｄ）
［条件（ｂ）］
Ｐ ≦ 0.3077Ln(ppm) - 0.726・・・・・・（ｂ）
14≦ppm≦65
【請求項３２】
画像形成対象シートに対して画像を形成する画像形成装置を改造する方法であって、
改造対象となる画像形成装置の端面から略１ｍ離れた収音位置で、前記画像形成対象シートに対して画像形成を行うときに当該画像形成装置が発する音を収音する収音ステップと、
前記収音ステップでの収音結果から得られる音響物理量の音圧レベル値，ラウドネス値，シャープネス値，トーナリティ値，インパルシブネス値，フラクチュエーション・ストレングス（Ｆ．ストレングス）値と、
前記一対比較実験に用いた全供試音の音響物理量の平均値である、音圧レベル平均値，ラウドネス平均値，シャープネス平均値，トーナリティ平均値，インパルシブネス平均値，フラクチュエーション・ストレングス（Ｆ．ストレングス）平均値と、
前記画像形成対象シートに対する画像形成速度（ｖ：ｍｍ／ｓ）とを用い、
以下の（ａ）式により算出される不快確率Ｐが、以下の条件（ｅ）を満たすよう当該装置の構成を改造する改造ステップと
を具備することを特徴とする画像形成装置の改造方法。
［式（ａ）］
不快確率Ｐ＝１／（１＋exp（−ｚ））
【表２４】
2006214911.tif 000063
if  Ｉ層（層平均値：−0.851538）⇒
ｚ＝＋Ａ×（音圧レベル値−音圧レベル平均値）
＋Ｂ×（ラウドネス値−ラウドネス平均値）
＋Ｃ×（シャープネス値−シャープネス平均値）
＋Ｄ×（トーナリティ値−トーナリティ平均値）
＋Ｅ×（インパルシブネス値−インパルシブネス平均値）
＋Ｆ×（F.ストレングス値−F．ストレングス平均値）
0.17459921 ≦Ａ ≦ 0.25650429
0.08954826 ≦Ｂ ≦ 0.26709314
0.87674777 ≦Ｃ ≦ 1.19578972
4.67553345 ≦Ｄ ≦ 7.05271429
2.04427886 ≦Ｅ ≦ 2.95236972
Ｆ＝０
if  II層（層平均値：−0.0706261）⇒
ｚ＝＋Ａ×（音圧レベル値−音圧レベル平均値）
＋Ｂ×（ラウドネス値−ラウドネス平均値）
＋Ｃ×（シャープネス値−シャープネス平均値）
＋Ｄ×（トーナリティ値−トーナリティ平均値）
＋Ｅ×（インパルシブネス値−インパルシブネス平均値）
＋Ｆ×（F.ストレングス値−F．ストレングス平均値）
0.17712057 ≦Ａ ≦ 0.41122376
0.34459228 ≦Ｂ ≦ 0.58256976
0.93882176 ≦Ｃ ≦ 1.31455684
6.57701754 ≦Ｄ ≦ 10.2722954
2.66553478 ≦Ｅ ≦ 4.09204697
Ｆ＝０
if  III層（層平均値：0.5523788）⇒
ｚ＝＋Ａ×（音圧レベル値−音圧レベル平均値）
＋Ｂ×（ラウドネス値−ラウドネス平均値）
＋Ｃ×（シャープネス値−シャープネス平均値）
＋Ｄ×（トーナリティ値−トーナリティ平均値）
＋Ｅ×（インパルシブネス値−インパルシブネス平均値）
＋Ｆ×（F.ストレングス値−F．ストレングス平均値）
0.05217947 ≦Ａ ≦ 0.20400871
0.29360137 ≦Ｂ ≦ 0.5873409
0.87202954 ≦Ｃ ≦ 1.46762402
Ｄ＝０
2.30105319 ≦Ｅ ≦ 3.88509254
Ｆ＝０
if  IV層（層平均値：0.58948295）⇒
ｚ＝＋Ａ×（音圧レベル値−音圧レベル平均値）
＋Ｂ×（ラウドネス値−ラウドネス平均値）
＋Ｃ×（シャープネス値−シャープネス平均値）
＋Ｄ×（トーナリティ値−トーナリティ平均値）
＋Ｅ×（インパルシブネス値−インパルシブネス平均値）
＋Ｆ×（F.ストレングス値−F．ストレングス平均値）
Ａ＝０
0.38508559 ≦Ｂ ≦ 0.89131794
0.47781725 ≦Ｃ ≦ 1.38759467
3.10067427 ≦Ｄ ≦ 7.94452001
2.67714335 ≦Ｅ ≦ 4.99843731
Ｆ＝０
if  Ｖ層（層平均値：0.69003038）⇒
ｚ＝＋Ａ×（音圧レベル値−音圧レベル平均値）
＋Ｂ×（ラウドネス値−ラウドネス平均値）
＋Ｃ×（シャープネス値−シャープネス平均値）
＋Ｄ×（トーナリティ値−トーナリティ平均値）
＋Ｅ×（インパルシブネス値−インパルシブネス平均値）
＋Ｆ×（F.ストレングス値−F．ストレングス平均値）
Ａ＝０
0.67510108 ≦Ｂ ≦ 1.17240664
0.36212612 ≦Ｃ ≦ 1.20868807
2.7784442  ≦Ｄ ≦ 7.85993889
4.069329   ≦Ｅ ≦ 6.14635806
Ｆ＝０
if  VI層（層平均値：1.12069926）⇒
ｚ＝＋Ａ×（音圧レベル値−音圧レベル平均値）
＋Ｂ×（ラウドネス値−ラウドネス平均値）
＋Ｃ×（シャープネス値−シャープネス平均値）
＋Ｄ×（トーナリティ値−トーナリティ平均値）
＋Ｅ×（インパルシブネス値−インパルシブネス平均値）
＋Ｆ×（F.ストレングス値−F．ストレングス平均値）
0.17865148 ≦Ａ ≦ 0.3052116
0.29877118 ≦Ｂ ≦ 0.51759447
1.00111197 ≦Ｃ ≦ 1.47539298
3.89613139 ≦Ｄ ≦ 6.87116467
2.97407435 ≦Ｅ ≦ 4.13523532
Ｆ＝０
if  VII層（層平均値：1.70518814）⇒
ｚ＝＋Ａ×（音圧レベル値−音圧レベル平均値）
＋Ｂ×（ラウドネス値−ラウドネス平均値）
＋Ｃ×（シャープネス値−シャープネス平均値）
＋Ｄ×（トーナリティ値−トーナリティ平均値）
＋Ｅ×（インパルシブネス値−インパルシブネス平均値）
＋Ｆ×（F.ストレングス値−F．ストレングス平均値）
0.39866582 ≦Ａ ≦ 0.87493076
0.34157505 ≦Ｂ ≦ 0.71116464
1.81139192 ≦Ｃ ≦ 2.53882546
7.76070427 ≦Ｄ ≦ 15.9726217
1.24131801 ≦Ｅ ≦ 3.69327198
5.1108143 ≦Ｆ ≦ 15.5038527
if  VIII層（層平均値：2.24648746）
ｚ＝＋Ａ×（音圧レベル値−音圧レベル平均値）
＋Ｂ×（ラウドネス値−ラウドネス平均値）
＋Ｃ×（シャープネス値−シャープネス平均値）
＋Ｄ×（トーナリティ値−トーナリティ平均値）
＋Ｅ×（インパルシブネス値−インパルシブネス平均値）
＋Ｆ×（F.ストレングス値−F．ストレングス平均値）
0.06562274 ≦Ａ ≦ 0.32355283
0.23370151 ≦Ｂ ≦ 0.71540287
1.00831861 ≦Ｃ ≦ 2.01396218
4.35252092 ≦Ｄ ≦ 10.2346432
2.47144678 ≦Ｅ ≦ 4.5862928
Ｆ＝０
if  IX層（層平均値：2.37734355）⇒
ｚ＝＋Ａ×（音圧レベル値−音圧レベル平均値）
＋Ｂ×（ラウドネス値−ラウドネス平均値）
＋Ｃ×（シャープネス値−シャープネス平均値）
＋Ｄ×（トーナリティ値−トーナリティ平均値）
＋Ｅ×（インパルシブネス値−インパルシブネス平均値）
＋Ｆ×（F.ストレングス値−F．ストレングス平均値）
0.29721025 ≦Ａ ≦ 0.33898939
Ｂ＝０
0.49535777 ≦Ｃ ≦ 0.94732127
0.53949286 ≦Ｄ ≦ 5.184987
1.33596983 ≦Ｅ ≦2.72919696
Ｆ＝０
・・・・・・・・・（ａ）
［条件（ｅ）］
Ｐ ≦ 0.2714Ln(ｖ) - 1.028・・・・・・（ｅ）
62.5≦ｖ≦362
【請求項３３】
画像形成対象シートに対して画像を形成する画像形成装置を改造する方法であって、
改造対象となる画像形成装置の端面から略１ｍ離れた収音位置で、前記画像形成対象シートに対して画像形成を行うときに当該画像形成装置が発する音を収音する収音ステップと、
前記収音ステップでの収音結果から得られる音響物理量の音圧レベル値，ラウドネス値，シャープネス値，トーナリティ値，インパルシブネス値，フラクチュエーション・ストレングス（Ｆ．ストレングス）値と、
前記一対比較実験に用いた全供試音の音響物理量の平均値である、音圧レベル平均値，ラウドネス平均値，シャープネス平均値，トーナリティ平均値，インパルシブネス平均値，フラクチュエーション・ストレングス（Ｆ．ストレングス）平均値と、
ロジットｚの標準偏差σと、
前記画像形成対象シートに対する画像形成速度（ｖ：ｍｍ／ｓ）とを用い、
以下の（ｃ）式により算出される不快確率Ｐが、以下の条件（ｅ）を満たすよう当該装置の構成を改造する改造ステップと
を具備することを特徴とする画像形成装置の改造方法。
［式（ｃ）］
不快確率Ｐ＝１／（１＋exp（−ｚ±２σ））
【表２４】
2006214911.tif 000064
if  Ｉ層（層平均値：−0.851538）⇒
ｚ＝＋Ａ×（音圧レベル値−音圧レベル平均値）
＋Ｂ×（ラウドネス値−ラウドネス平均値）
＋Ｃ×（シャープネス値−シャープネス平均値）
＋Ｄ×（トーナリティ値−トーナリティ平均値）
＋Ｅ×（インパルシブネス値−インパルシブネス平均値）
＋Ｆ×（F.ストレングス値−F．ストレングス平均値）
Ａ＝0.21555107
Ｂ＝0.17832089
Ｃ＝1.03626251
Ｄ＝5.86411143
Ｅ＝2.49831660
Ｆ＝0
σ＝0.753153
if  II層（層平均値：−0.0706261）⇒
ｚ＝＋Ａ×（音圧レベル値−音圧レベル平均値）
＋Ｂ×（ラウドネス値−ラウドネス平均値）
＋Ｃ×（シャープネス値−シャープネス平均値）
＋Ｄ×（トーナリティ値−トーナリティ平均値）
＋Ｅ×（インパルシブネス値−インパルシブネス平均値）
＋Ｆ×（F.ストレングス値−F．ストレングス平均値）
Ａ＝0.29415304
Ｂ＝0.46277236
Ｃ＝1.12479939
Ｄ＝8.40500668
Ｅ＝3.37198180
Ｆ＝0
σ＝0.900555
if  III層（層平均値：0.5523788）⇒
ｚ＝＋Ａ×（音圧レベル値−音圧レベル平均値）
＋Ｂ×（ラウドネス値−ラウドネス平均値）
＋Ｃ×（シャープネス値−シャープネス平均値）
＋Ｄ×（トーナリティ値−トーナリティ平均値）
＋Ｅ×（インパルシブネス値−インパルシブネス平均値）
＋Ｆ×（F.ストレングス値−F．ストレングス平均値）
Ａ＝0.12767865
Ｂ＝0.43878495
Ｃ＝1.16681535
Ｄ＝0
Ｅ＝3.08130910
Ｆ＝0
σ＝0.816356
if  IV層（層平均値：0.58948295）⇒
ｚ＝＋Ａ×（音圧レベル値−音圧レベル平均値）
＋Ｂ×（ラウドネス値−ラウドネス平均値）
＋Ｃ×（シャープネス値−シャープネス平均値）
＋Ｄ×（トーナリティ値−トーナリティ平均値）
＋Ｅ×（インパルシブネス値−インパルシブネス平均値）
＋Ｆ×（F.ストレングス値−F．ストレングス平均値）
Ａ＝0
Ｂ＝0.63535348
Ｃ＝0.92869305
Ｄ＝5.49307973
Ｅ＝3.82174749
Ｆ＝0
σ＝0.485654
if  Ｖ層（層平均値：0.69003038）⇒
ｚ＝＋Ａ×（音圧レベル値−音圧レベル平均値）
＋Ｂ×（ラウドネス値−ラウドネス平均値）
＋Ｃ×（シャープネス値−シャープネス平均値）
＋Ｄ×（トーナリティ値−トーナリティ平均値）
＋Ｅ×（インパルシブネス値−インパルシブネス平均値）
＋Ｆ×（F.ストレングス値−F．ストレングス平均値）
Ａ＝0
Ｂ＝0.91968054
Ｃ＝0.78312761
Ｄ＝5.29399995
Ｅ＝5.08602977
Ｆ＝0
σ＝0.643639
if  VI層（層平均値：1.12069926）⇒
ｚ＝＋Ａ×（音圧レベル値−音圧レベル平均値）
＋Ｂ×（ラウドネス値−ラウドネス平均値）
＋Ｃ×（シャープネス値−シャープネス平均値）
＋Ｄ×（トーナリティ値−トーナリティ平均値）
＋Ｅ×（インパルシブネス値−インパルシブネス平均値）
＋Ｆ×（F.ストレングス値−F．ストレングス平均値）
Ａ＝0.24159805
Ｂ＝0.40793206
Ｃ＝1.23702636
Ｄ＝5.38364801
Ｅ＝3.54994177
Ｆ＝0
σ＝0.635901
if  VII層（層平均値：1.70518814）⇒
ｚ＝＋Ａ×（音圧レベル値−音圧レベル平均値）
＋Ｂ×（ラウドネス値−ラウドネス平均値）
＋Ｃ×（シャープネス値−シャープネス平均値）
＋Ｄ×（トーナリティ値−トーナリティ平均値）
＋Ｅ×（インパルシブネス値−インパルシブネス平均値）
＋Ｆ×（F.ストレングス値−F．ストレングス平均値）
Ａ＝0.63307170
Ｂ＝0.52423191
Ｃ＝2.16581638
Ｄ＝11.83662780
Ｅ＝2.45003365
Ｆ＝10.23925380
σ＝0.925801
if  VIII層（層平均値：2.24648746）
ｚ＝＋Ａ×（音圧レベル値−音圧レベル平均値）
＋Ｂ×（ラウドネス値−ラウドネス平均値）
＋Ｃ×（シャープネス値−シャープネス平均値）
＋Ｄ×（トーナリティ値−トーナリティ平均値）
＋Ｅ×（インパルシブネス値−インパルシブネス平均値）
＋Ｆ×（F.ストレングス値−F．ストレングス平均値）
Ａ＝0.19307892
Ｂ＝0.47512151
Ｃ＝1.50392757
Ｄ＝7.28249947
Ｅ＝3.52318670
Ｆ＝0
σ＝0.872629
if  IX層（層平均値：2.37734355）⇒
ｚ＝＋Ａ×（音圧レベル値−音圧レベル平均値）
＋Ｂ×（ラウドネス値−ラウドネス平均値）
＋Ｃ×（シャープネス値−シャープネス平均値）
＋Ｄ×（トーナリティ値−トーナリティ平均値）
＋Ｅ×（インパルシブネス値−インパルシブネス平均値）
＋Ｆ×（F.ストレングス値−F．ストレングス平均値）
Ａ＝0.31764449
Ｂ＝0
Ｃ＝0.71962000
Ｄ＝2.86942452
Ｅ＝2.02961962
Ｆ＝0
σ＝0.710973
・・・・・・・・・・・・・（ｃ）
［条件（ｅ）］
Ｐ ≦ 0.2714Ln(ｖ) - 1.028・・・・・・（ｅ）
62.5≦ｖ≦362
【請求項３４】
画像形成対象シートに対して画像を形成する画像形成装置を改造する方法であって、
改造対象となる画像形成装置の端面から略１ｍ離れた収音位置で、前記画像形成対象シートに対して画像形成を行うときに当該画像形成装置が発する音を収音する収音ステップと、
前記収音ステップでの収音結果から得られる音響物理量の音圧レベル値，ラウドネス値，シャープネス値，トーナリティ値，インパルシブネス値，フラクチュエーション・ストレングス（Ｆ．ストレングス）値と、
前記一対比較実験に用いた全供試音の音響物理量の平均値である、音圧レベル平均値，ラウドネス平均値，シャープネス平均値，トーナリティ平均値，インパルシブネス平均値，フラクチュエーション・ストレングス（Ｆ．ストレングス）平均値と、
前記画像形成対象シートに対する画像形成速度（ｖ：ｍｍ／ｓ）とを用い、
以下の（ｄ）式により算出される不快確率Ｐが、以下の条件（ｅ）を満たすよう当該装置の構成を改造する改造ステップと
を具備することを特徴とする画像形成装置の改造方法。
［式（ｄ）］
不快確率Ｐ＝１／（１＋exp（−ｚ））
【表２４】
2006214911.tif 000065
if  Ｉ層（層平均値：−0.851538）⇒
ｚ ＝＋Ａ×（音圧レベル値−音圧レベル平均値）
＋Ｂ×（ラウドネス値−ラウドネス平均値）
＋Ｃ×（シャープネス値−シャープネス平均値）
＋Ｄ×（トーナリティ値−トーナリティ平均値）
＋Ｅ×（インパルシブネス値−インパルシブネス平均値）
＋Ｆ×（F.ストレングス値−F．ストレングス平均値）
Ａ＝0.21555107
Ｂ＝0.17832089
Ｃ＝1.03626251
Ｄ＝5.86411143
Ｅ＝2.49831660
Ｆ＝0
if  II層（層平均値：−0.0706261）⇒
ｚ＝＋Ａ×（音圧レベル値−音圧レベル平均値）
＋Ｂ×（ラウドネス値−ラウドネス平均値）
＋Ｃ×（シャープネス値−シャープネス平均値）
＋Ｄ×（トーナリティ値−トーナリティ平均値）
＋Ｅ×（インパルシブネス値−インパルシブネス平均値）
＋Ｆ×（F.ストレングス値−F．ストレングス平均値）
Ａ＝0.29415304
Ｂ＝ 0.46277236
Ｃ＝ 1.12479939
Ｄ＝ 8.40500668
Ｅ＝ 3.37198180
Ｆ＝0
if  III層（層平均値：0.5523788）⇒
ｚ＝＋Ａ×（音圧レベル値−音圧レベル平均値）
＋Ｂ×（ラウドネス値−ラウドネス平均値）
＋Ｃ×（シャープネス値−シャープネス平均値）
＋Ｄ×（トーナリティ値−トーナリティ平均値）
＋Ｅ×（インパルシブネス値−インパルシブネス平均値）
＋Ｆ×（F.ストレングス値−F．ストレングス平均値）
Ａ＝0.12767865
Ｂ＝0.43878495
Ｃ＝1.16681535
Ｄ＝0
Ｅ＝3.08130910
Ｆ＝0
if  IV層（層平均値：0.58948295）⇒
ｚ＝＋Ａ×（音圧レベル値−音圧レベル平均値）
＋Ｂ×（ラウドネス値−ラウドネス平均値）
＋Ｃ×（シャープネス値−シャープネス平均値）
＋Ｄ×（トーナリティ値−トーナリティ平均値）
＋Ｅ×（インパルシブネス値−インパルシブネス平均値）
＋Ｆ×（F.ストレングス値−F．ストレングス平均値）
Ａ＝0
Ｂ＝0.63535348
Ｃ＝0.92869305
Ｄ＝5.49307973
Ｅ＝3.82174749
Ｆ＝0
if  Ｖ層（層平均値：0.69003038）⇒
ｚ＝＋Ａ×（音圧レベル値−音圧レベル平均値）
＋Ｂ×（ラウドネス値−ラウドネス平均値）
＋Ｃ×（シャープネス値−シャープネス平均値）
＋Ｄ×（トーナリティ値−トーナリティ平均値）
＋Ｅ×（インパルシブネス値−インパルシブネス平均値）
＋Ｆ×（F.ストレングス値−F．ストレングス平均値）
Ａ＝0
Ｂ＝0.91968054
Ｃ＝0.78312761
Ｄ＝5.29399995
Ｅ＝5.08602977
Ｆ＝0
if  VI層（層平均値：1.12069926）⇒
ｚ＝＋Ａ×（音圧レベル値−音圧レベル平均値）
＋Ｂ×（ラウドネス値−ラウドネス平均値）
＋Ｃ×（シャープネス値−シャープネス平均値）
＋Ｄ×（トーナリティ値−トーナリティ平均値）
＋Ｅ×（インパルシブネス値−インパルシブネス平均値）
＋Ｆ×（F.ストレングス値−F．ストレングス平均値）
Ａ＝0.24159805
Ｂ＝0.40793206
Ｃ＝1.23702636
Ｄ＝5.38364801
Ｅ＝3.54994177
Ｆ＝0
if  VII層（層平均値：1.70518814）⇒
ｚ＝＋Ａ×（音圧レベル値−音圧レベル平均値）
＋Ｂ×（ラウドネス値−ラウドネス平均値）
＋Ｃ×（シャープネス値−シャープネス平均値）
＋Ｄ×（トーナリティ値−トーナリティ平均値）
＋Ｅ×（インパルシブネス値−インパルシブネス平均値）
＋Ｆ×（F.ストレングス値−F．ストレングス平均値）
Ａ＝0.63307170
Ｂ＝0.52423191
Ｃ＝2.16581638
Ｄ＝11.83662780
Ｅ＝2.45003365
Ｆ＝10.23925380
if  VIII層（層平均値：2.24648746）
ｚ＝＋Ａ×（音圧レベル値−音圧レベル平均値）
＋Ｂ×（ラウドネス値−ラウドネス平均値）
＋Ｃ×（シャープネス値−シャープネス平均値）
＋Ｄ×（トーナリティ値−トーナリティ平均値）
＋Ｅ×（インパルシブネス値−インパルシブネス平均値）
＋Ｆ×（F.ストレングス値−F．ストレングス平均値）
Ａ＝0.19307892
Ｂ＝0.47512151
Ｃ＝1.50392757
Ｄ＝7.28249947
Ｅ＝3.52318670
Ｆ＝0
if  IX層（層平均値：2.37734355）⇒
ｚ＝＋Ａ×（音圧レベル値−音圧レベル平均値）
＋Ｂ×（ラウドネス値−ラウドネス平均値）
＋Ｃ×（シャープネス値−シャープネス平均値）
＋Ｄ×（トーナリティ値−トーナリティ平均値）
＋Ｅ×（インパルシブネス値−インパルシブネス平均値）
＋Ｆ×（F.ストレングス値−F．ストレングス平均値）
Ａ＝0.31764449
Ｂ＝0
Ｃ＝0.71962000
Ｄ＝2.86942452
Ｅ＝2.02961962
Ｆ＝0
・・・・・・・・・・（ｄ）
［条件（ｅ）］
Ｐ ≦ 0.2714Ln(ｖ) - 1.028・・・・・・（ｅ）
62.5≦ｖ≦362
【請求項３５】
前記の音圧レベル平均値＝５３．１５，ラウドネス平均値＝７．７１，シャープネス平均値＝２．３１，トーナリティ平均値＝０．１０，インパルシブネス平均値＝０．５５，Ｆ．ストレングス平均値＝０．０６であることを特徴とする、請求項４，５，６，７，８，９，２３，２４，２５，２６，２７，２８，２９，３０，３１，３２，３３，３４のいずれか１項に記載の画像形成装置または画像形成装置の製造方法あるいは画像形成装置の改造方法。
【発明の詳細な説明】
【技術分野】
【０００１】
本発明は、複写機、プリンタ、ファクシミリ等の画像形成装置、画像形成装置の製造方法、画像形成装置の改造方法および音質評価方法に関するものである。
【背景技術】
【０００２】
【特許文献１】特開平９−１９３５０６号公報
【特許文献２】特開平１０−２３２１６３号公報
【特許文献３】特開平１０−２５３４４０号公報
【特許文献４】特開平１０−２５３４４２号公報
【特許文献５】特開平１０−２６７７４２号公報
【特許文献６】特開平１０−２６７７４３号公報
【特許文献７】特開２００１−３３６９７５号公報
【特許文献８】特開２００２−１２８３１６号公報
【０００３】
オフィス等においては、複写機、プリンタまたはファクシミリ装置などの画像形成装置が広く用いられている。この種の画像形成装置は多くの部品が機械的に連結されて構成されている。また、画像形成装置は、これらの機構等を駆動するためのモータを有しており、画像形成動作時には装置各部の動作音が発生し、この動作音がユーザに不快感を与え、騒音問題となる場合もある。かつては、これらの機器は便利であれさえすれば良かったが、オフィス内の環境改善が進むに連れて、ＯＡ機器に対しての騒音問題解決の要望が多くなった。そのため、画像形成装置の静音化が進められ、以前に比べれば相当の静音化が達成されている。
【０００４】
画像形成装置における騒音問題を解決するための技術として、例えば、上記各特許文献１に記載のものがある。この発明は、レーザービームプリンタや複写機などの騒音マスキング装置に関するものであり、動作時に騒音の発生源となる駆動機構を有し、この騒音をマスキングするマスキング音を発生する発音体と、この発音体を制御し、前記騒音の主成分周波数を含む範囲の周波数のマスキング音を発生させるマスキング音制御手段とを有し、騒音の不快感を低減するものである。
【０００５】
しかし、この発明は、発生している音を低減するものではなく、発生音（動作音）に更にマスキング音を加えることになり、騒音レベルが上昇することが考えられる。また、マスキング音を発生させるための発音体と、マスキングされる音の発生時間の間のみにマスキング音を発生させるための制御装置やスピーカーが必要となり、装置レイアウト上余分なスペースが必要となり、また大幅にコストが上がるという欠点がある。
【０００６】
また、音質評価装置および音質評価方法に関するものとして、上記特許文献２〜７に記載のものがある。
特許文献２に記載のものは、画像形成装置の多くの音色の音によって構成されている騒音から、排気音などのエアフロー系にて発生する低周波ランダムノイズの重苦しい騒音である『ゴー』音のみの評価を可能とし、心理的なうるささとの対応を容易にする音質評価装置および音質評価方法および音質評価装置である。
【０００７】
特許文献３に記載のものは、画像形成装置の多くの音色の音によって構成されている騒音から、耳障りな音として認識され、スキャナモータや帯電装置が発する持続性の純音である『キーン』音のみを抽出して評価を行う音質評価方法および音質評価装置である。
【０００８】
特許文献４に記載のものは、画像形成装置の多くの音色の音によって構成されている騒音から、特に用紙のこすれによる高周波のランダムノイズである『シャー』音のみを評価を可能とした音質評価方法および音質評価装置である。
【０００９】
特許文献５に記載のものは、画像形成装置の多くの音色の音によって構成されている騒音から、特に駆動系のうなりによる近接した複数の周波数にピークを持つ純音からなる『ウォンウォン』音のみを評価を可能とした音質評価方法および音質評価装置である。
【００１０】
特許文献６に記載のものは、画像形成装置の多くの音色の音によって構成されている騒音において、純音やうなりがない、すなわち周波数波形で突出した成分がない方がなめらかだと感じる。よって、人が感じるうるささを総称してなめらかさと称し、音のなめらかさの評価を可能とした音質評価方法および音質評価装置である。
【００１１】
特許文献７に記載のものは、事務機器等から生じる騒音などの音について、人の主観的な感覚に与える影響を考慮した総合的な音質の評価が可能な音質評価装置及び音質評価方法を提供することを課題とし、その解決手段として、評価すべき音のデジタル信号が音質指数演算部に入力されると、波形前処理部で各種の音響指数の演算に必要な前処理を行った後、音響指数演算部で複数の音響指数を演算する。このとき、大きさ指数演算部で音の大きさ指数を演算するだけでなく、騒音の主観的なうるささや不快さに及ぼす影響を考慮し、高周波純音指数、広帯域雑音指数をそれぞれ高周波純音指数演算部，広帯域雑音指数演算部において演算する。そして、得られた大きさ指数、高周波純音指数、広帯域雑音指数に基づいて、総合音質指数演算部で総合音質指数を演算し、演算結果表示部に表示するものである。
【００１２】
しかしこれら特許文献２〜７に記載のものは、音質評価装置および音質評価方法であり、音質評価方法の提示だけで実際の製品の音質改善方法については触れられていない。
【００１３】
そして、特許文献８に記載のものは本願出願人が別途提案したものであり、客観的な評価基準に基づいて、装置周辺の人間に対して、装置から発生する音に起因する心理的な不快感を緩和することができるようにすることを課題とし、その解決手段として、用紙に画像を形成する画像形成部を経由して用紙を所定の経路に案内する用紙案内路中で、搬送機構により用紙を搬送するようにした画像形成装置において、搬送機構による用紙の搬送に際して、装置本体から１ｍ離間した位置で測定される装置本体から発生する稼動音のラウドネス値Ａおよびシャープネス値Ｂに基づいて取得される稼動音の不快指数Ｓを、所定の範囲内に設定するように、紙搬送手段を改良して不快感を軽減したものである。
【発明の開示】
【発明が解決しようとする課題】
【００１４】
ところで、現在、画像形成装置における騒音を評価する方法として、一般的に音響パワーレベルや音圧レベル（ＩＳＯ７７７９）が用いられている。しかしながら、これらは複写機やプリンタなどのオフィス機器から発生する音響エネルギーの値であるため、騒音に対する人間の主観的な不快感と相関があまり良くない場合がある。例えば、音圧レベル（等価騒音レベル Leq：測定時間全体についてエネルギー平均した値）の値が同じ音を比較して聞いた場合に、音の周波数分布の違いや衝撃音の有無で不快さに差があることがある。また、音圧レベルの値は小さくても、高周波成分や純音成分等が含まれていると不快に感じる場合がある。
【００１５】
したがって、今後のオフィス環境改善のためにはＯＡ機器の音響パワーレベルや音圧レベルでの評価と低減だけでなく、音質の評価と改善も同時に行っていく必要がある。音質の評価・改善のためには、現状把握のための音質の定量的な計測と、改善前後でどのくらい改善されたのか計測する必要がある。
【００１６】
ところが、音質は物理量ではないため、定量的な測定を行なう事ができない。よって、目標値の設定も困難である。人間による音質評価の場合、「音質が少し改善された」、「かなり改善された」等、定性的な表現となる。さらに個人差があるために、人によって評価が異なったり、得られた結果が一般的に言えるのかどうか判定が難しい場合がある。
【００１７】
音の質を物理的特性で定量的に表わさなければ対策が本当に効果があったのか、また、どのくらいの効果があったのか、客観的な評価は不可能である。このため、主観評価実験を行い、その結果について統計処理を行って音質の定量化を行う必要がある。
【００１８】
ところで、音質を評価する物理量として、心理音響パラメータというものがある。代表的なものは以下の通りである（例えば、日本機械学会「第７回設計工学・システム部門講演会"２１世紀に向けて設計、システムの革新的飛躍を目指す！"」'９７年１１月１０日、１１日「音・振動と設計、色と設計（１）」部門第０８９Ｂ『ダミーヘッドを用いた音質評価システム』を参照、なお、括弧内は単位）。
・ラウドネス（sone）        ：聞こえの大きさ
・シャープネス（acum）      ：高周波成分の相対的な分布量
・トーナリティ（tu）        ：調音性、純音成分の相対的な分布量
・ラフネス（asper）         ：音の粗さ感
・フラクチュエーション・ストレングス（vacil）：変動強度,うなり感
また、これ以外に
インパルシブネス（iu）      ：衝撃性
という心理音響パラメータも計測可能な機器が出てきた。
【００１９】
これらの心理音響パラメータは、どのパラメータも値が増すと、不快感が増す傾向にある。この中で、ラウドネスだけがＩＳＯ５３２Ｂで規格化されている。他のパラメータについては、基本的な考え方や定義は同じであるが、計測器メーカーによる独自の研究によってプログラムや計算方法が異なるため、メーカーによって測定値が若干異なるのが普通である。また、インパルシブネスの様に、計測器メーカー独自で開発したオリジナルなパラメータもある。
【００２０】
複写機やプリンタなどのＯＡ機器から発生する騒音は、機構の複雑さから、多くの音色の騒音によって構成されており、たとえば低周波の重苦しい音，高周波の甲高い音，衝撃的に発生する音などが、モータ，紙，ソレノイド等の複数の音源から時間的に変化しながら発生する。人間はこれらの音を総合的に判断して不快かどうかの判定を行っているが、音のどの部分が特に不快と関係があるかの重み付けを行って判定していると考えられる。つまり、機械の音色によって不快に対して影響の大きい心理音響パラメータと、影響の小さい心理音響パラメータが存在する。
【００２１】
ところで、画像形成装置と言っても様々なものがあり、デスク上に設置する小型低速機や、デスクサイドに設置する中型中速機、また、オフィスのフロアのデスクからやや離れた位置に設置される大型高速機がある。さらには１台の機械で画像の解像度やカラーあるいはモノクロ画像を変更したり，画像をアウトプットするシート部材の厚さや材質の違いによってモード設定できる場合がある。この場合は、１台の機械で画像形成速度や機械の稼働部分が異なる場合がある。
【００２２】
これらはオフィスの規模やユーザーのニーズによって様々に使い分けられている。当然、それぞれの機械によって、構造体強度やメカ的な構成、画像形成のプロセス条件が異なり、機械によって稼働音の特徴が異なる。また、１台で複数モードを有する画像形成装置の場合は、選択したモードによって画像形成速度が複数あったり、画像形成装置内部で動作する部分が異なるために、モードによって複数の異なる稼働音が発生する場合がある。
【００２３】
したがって、画像形成装置の種類によって稼働音の印象が異なり、不快に感じる音源が異なることが考えられる。また、１台の機械においても、画像形成のモードが変わると、駆動系の回転数が変化して発生周波数も変化し、衝撃音の単位時間あたりの発生回数が変化する。また、動作する部分が異なれば、発生する音も異なる。つまり、モードによって稼働音の印象が異なり、不快に感じる音源が異なることが考えられる。
【００２４】
よって、画像形成装置の種類によって音質改善が必要な音源が異なる場合がある。さらに、画像形成装置のモードによっては音質改善が必要な音源が異なる場合がある。すなわち、画像形成装置の様々な機種や、複数の動作モードを有しそのモードによって異なる音が発生する画像形成装置の場合、音質改善を行なうためには単独の装置や、単独モードの音質評価だけでは不十分であり、装置やモードごとに音質評価を行なう必要がある。
【００２５】
そこで本願発明者は、複数の画像形成装置と、複数の画像形成モードを有する画像形成装置の音質評価を装置やモード別に行ない、結果を総合的に分析して精度よい音質評価式を導出した。そして、その音質評価式を使用することにより、不快音源の改良を行なって心理音響パラメータ値を下げ、ユーザーに許容される音質評価値以下の画像形成装置を提供することが可能となる。上記音質評価式の導出は、精度よい音質の予測を行なうために、音の一対比較の結果を決定木と多重ロジスティック回帰分析を組み合わせて行なった。
【００２６】
そして、各々の画像形成装置や、画像形成モードに対応する音質の許容値よりも低くなるように音質改善を行った装置を提供すれば、どの種類の装置を使用しても、さらにどのモードを使用しても画像形成装置における不快音の問題は解決されることになる。
【００２７】
すなわち本発明は、従来の画像形成装置における不快音発生の問題を解決し、装置種類および装置モードに関わらず精度良く動作音の音質を評価できる音質評価方法を提供するとともに、不快音の発生を低減させた画像形成装置を提供することを課題とする。また、不快音の発生を低減させた画像形成装置の製造方法、および、画像形成装置の改造方法を提供することも本発明の課題である。
【課題を解決するための手段】
【００２８】
前記の課題は、本発明により、画像形成装置が画像形成時に発する音を評価する方法であって、画像形成装置が画像形成時に発する複数種類の音に対して任意の２音を取りだして一対比較法による評価を行い、該評価による２音の不快確率を目的変数とし、２音の音響物理量の差の値を説明変数として決定木(decision tree)を作成して一対比較結果を層別し、該層別した層ごとに２音の不快確率を目的変数とし、２音の音響物理量の差の値を説明変数として多重ロジスティック回帰分析を行ない、該分析の結果をつなぎ合せて２音の音響物理量の差の値から２音の不快確率を予測する式（ｆ）を導出し、その式（ｆ）より、一対比較実験に用いた全ての音（母集団）の音響物理量の平均値である音は、不快確率Ｐを０．５と定義することにより、単独の音の不快さの確率を予測する音質評価式を導出し、該導出した音質評価式を用いて音質評価を行うことにより解決される。
【００２９】
また、前記の課題は、本発明により、画像形成装置の製造方法であって、画像形成装置が画像形成時に発する複数種類の音に対して任意の２音を取りだして一対比較法による評価を行い、該評価による２音の不快確率を目的変数とし、２音の音響物理量の差の値を説明変数として決定木(decision tree)を作成して一対比較結果を層別し、該層別した層ごとに２音の不快確率を目的変数とし、２音の音響物理量の差の値を説明変数として多重ロジスティック回帰分析を行ない、該分析の結果をつなぎ合せて２音の音響物理量の差の値から２音の不快確率を予測する式（ｆ）を導出し、その式（ｆ）より、一対比較実験に用いた全ての音（母集団）の音響物理量の平均値である音は、不快確率Ｐを０．５と定義することにより、単独の音の不快さの確率を予測する音質評価式を導出し、該導出した音質評価式を用い、その音質評価式による音質評価が所定の条件を満たすよう装置各部を設計し、当該設計内容にしたがって画像形成装置を製造することを特徴とする画像形成装置の製造方法により解決される。
【００３０】
また、前記の課題は、本発明により、画像形成装置の改造方法であって、画像形成装置が画像形成時に発する複数種類の音に対して任意の２音を取りだして一対比較法による評価を行い、該評価による２音の不快確率を目的変数とし、２音の音響物理量の差の値を説明変数として決定木(decision tree)を作成して一対比較結果を層別し、該層別した層ごとに２音の不快確率を目的変数とし、２音の音響物理量の差の値を説明変数として多重ロジスティック回帰分析を行ない、該分析の結果をつなぎ合せて２音の音響物理量の差の値から２音の不快確率を予測する式（ｆ）を導出し、その式（ｆ）より、一対比較実験に用いた全ての音（母集団）の音響物理量の平均値である音は、不快確率Ｐを０．５と定義することにより、単独の音の不快さの確率を予測する音質評価式を導出し、該導出した音質評価式を用いて改造対象となる画像形成装置の発する音の音質評価を行い、当該音質評価結果に基づいて改造対象となる前記画像形成装置の構成を改造することを特徴とする画像形成装置の改造方法により解決される。
【００３１】
また、前記の課題は、本発明により、画像形成対象シートに対して画像を形成する画像形成装置であって、画像形成装置端面から略１ｍ離れた収音位置で収音される前記画像形成対象シートに対して画像形成を行うときに画像形成装置が発する音から得られる音響物理量の音圧レベル値，ラウドネス値，シャープネス値，トーナリティ値，インパルシブネス値，フラクチュエーション・ストレングス（Ｆ．ストレングス）値と、前記一対比較実験に用いた全供試音の音響物理量の平均値である、音圧レベル平均値，ラウドネス平均値，シャープネス平均値，トーナリティ平均値，インパルシブネス平均値，フラクチュエーション・ストレングス（Ｆ．ストレングス）平均値と、１分間あたりの前記画像形成対象シート（Ａ４サイズ横方向）の出力数値（ｐｐｍ）とを用い、（ａ）式により算出される不快確率Ｐが、条件（ｂ）を満たすことを特徴とする画像形成装置により解決される。
【００３２】
また、前記の課題は、本発明により、画像形成対象シートに対して画像を形成する画像形成装置であって、画像形成装置端面から略１ｍ離れた収音位置で収音される前記画像形成対象シートに対して画像形成を行うときに画像形成装置が発する音から得られる音響物理量の音圧レベル値，ラウドネス値，シャープネス値，トーナリティ値，インパルシブネス値，フラクチュエーション・ストレングス（Ｆ．ストレングス）値と、前記一対比較実験に用いた全供試音の音響物理量の平均値である、音圧レベル平均値，ラウドネス平均値，シャープネス平均値，トーナリティ平均値，インパルシブネス平均値，フラクチュエーション・ストレングス（Ｆ．ストレングス）平均値と、ロジットｚの標準偏差σと、１分間あたりの前記画像形成対象シート（Ａ４サイズ横方向）の出力数値（ｐｐｍ）とを用い、（ｃ）式により算出される不快確率Ｐが、条件（ｂ）を満たすことを特徴とする画像形成装置により解決される。
【００３３】
また、前記の課題は、本発明により、画像形成対象シートに対して画像を形成する画像形成装置であって、画像形成装置端面から略１ｍ離れた収音位置で収音される前記画像形成対象シートに対して画像形成を行うときに画像形成装置が発する音から得られる音響物理量の音圧レベル値，ラウドネス値，シャープネス値，トーナリティ値，インパルシブネス値，フラクチュエーション・ストレングス（Ｆ．ストレングス）値と、前記一対比較実験に用いた全供試音の音響物理量の平均値である、音圧レベル平均値，ラウドネス平均値，シャープネス平均値，トーナリティ平均値，インパルシブネス平均値，フラクチュエーション・ストレングス（Ｆ．ストレングス）平均値と、１分間あたりの前記画像形成対象シート（Ａ４サイズ横方向）の出力数値（ｐｐｍ）とを用い、（ｄ）式により算出される不快確率Ｐが、条件（ｂ）を満たすことを特徴とする画像形成装置により解決される。
【００３４】
また、前記の課題は、本発明により、画像形成対象シートに対して画像を形成する画像形成装置であって、画像形成装置端面から略１ｍ離れた収音位置で収音される前記画像形成対象シートに対して画像形成を行うときに画像形成装置が発する音から得られる音響物理量の音圧レベル値，ラウドネス値，シャープネス値，トーナリティ値，インパルシブネス値，フラクチュエーション・ストレングス（Ｆ．ストレングス）値と、前記一対比較実験に用いた全供試音の音響物理量の平均値である、音圧レベル平均値，ラウドネス平均値，シャープネス平均値，トーナリティ平均値，インパルシブネス平均値，フラクチュエーション・ストレングス（Ｆ．ストレングス）平均値と、前記画像形成対象シートに対する画像形成速度（ｖ：ｍｍ／ｓ）とを用い、（ａ）式により算出される不快確率Ｐが、条件（ｅ）を満たすことを特徴とする画像形成装置により解決される。
【００３５】
また、前記の課題は、本発明により、画像形成対象シートに対して画像を形成する画像形成装置であって、画像形成装置端面から略１ｍ離れた収音位置で収音される前記画像形成対象シートに対して画像形成を行うときに画像形成装置が発する音から得られる音響物理量の音圧レベル値，ラウドネス値，シャープネス値，トーナリティ値，インパルシブネス値，フラクチュエーション・ストレングス（Ｆ．ストレングス）値と、前記一対比較実験に用いた全供試音の音響物理量の平均値である、音圧レベル平均値，ラウドネス平均値，シャープネス平均値，トーナリティ平均値，インパルシブネス平均値，フラクチュエーション・ストレングス（Ｆ．ストレングス）平均値と、ロジットｚの標準偏差σと、前記画像形成対象シートに対する画像形成速度（ｖ：ｍｍ／ｓ）とを用い、（ｃ）式により算出される不快確率Ｐが、条件（ｅ）を満たすことを特徴とする画像形成装置により解決される。
【００３６】
また、前記の課題は、本発明により、画像形成対象シートに対して画像を形成する画像形成装置であって、画像形成装置端面から略１ｍ離れた収音位置で収音される前記画像形成対象シートに対して画像形成を行うときに画像形成装置が発する音から得られる音響物理量の音圧レベル値，ラウドネス値，シャープネス値，トーナリティ値，インパルシブネス値，フラクチュエーション・ストレングス（Ｆ．ストレングス）値と、前記一対比較実験に用いた全供試音の音響物理量の平均値である、音圧レベル平均値，ラウドネス平均値，シャープネス平均値，トーナリティ平均値，インパルシブネス平均値，フラクチュエーション・ストレングス（Ｆ．ストレングス）平均値と、前記画像形成対象シートに対する画像形成速度（ｖ：ｍｍ／ｓ）とを用い、（ｄ）式により算出される不快確率Ｐが、条件（ｅ）を満たすことを特徴とする画像形成装置により解決される。
【００３７】
また、複数の画像形成速度あるいは複数の動作モードを有し、前記画像形成速度あるいは動作モードに関わりなく、前記確率Ｐが前記条件を満たすと好適である。
【００３８】
また、前記収音位置は、ＩＳＯ（International Organization For Standardization）７７７９に規定された近在者位置であり、少なくとも装置前面方向の音の収音結果から算出される前記確率Ｐが前記条件を満たすと好適である。
【００３９】
また、前記収音位置は、ＩＳＯ（International Organization For Standardization）７７７９に規定された近在者位置であり、装置前後左右の４方向の音の収音結果の各々から算出される前記確率Ｐの平均値が前記条件を満たすと好適である。
【００４０】
また、前記収音位置は、ＩＳＯ（International Organization For Standardization）７７７９に規定された近在者位置であり、少なくとも装置前後左右のいずれか１方向の音の収音結果から算出される前記確率Ｐが前記条件を満たすと好適である。
【００４１】
また、前記収音位置は、ＩＳＯ（International Organization For Standardization）７７７９に規定された近在者位置であり、装置前後左右の４方向の音の収音結果の各々から算出されるすべての前記確率Ｐが前記条件を満たすと好適である。
【００４２】
また、前記画像形成対象シートへの画像形成時に当該装置が発する音を低減させる低減手段を具備すると好適である。
また、前記画像形成対象シートへの画像形成時に所定の部位を駆動するステッピングモータと、該ステッピングモータを保持するブラケット部材とをさらに具備し、前記低減手段は、前記ステッピングモータと前記ブラケット部材との間に介在配置される弾性体を有していると好適である。
【００４３】
また、前記画像形成対象シートへの画像形成時に所定の部位を駆動するステッピングモータをさらに具備し、前記低減手段は、前記ステッピングモータをマイクロステップ駆動させる駆動制御手段を有していると好適である。
【００４４】
また、前記画像形成対象シートへの画像形成時に所定の部位を駆動するモータをさらに具備し、前記低減手段は、前記モータ近傍に配置されるヘルムホルツ共鳴器を有していると好適である。
【００４５】
また、中空部を有する円柱状の像担持体と、該像担持体の表面を帯電させる帯電手段とをさらに具備し、前記低減手段は、前記像担持体の中空部に当該像担持体の振動を抑制する制振部材を有すると好適である。
【００４６】
また、前記画像形成対象シートを所定の搬送経路に沿って案内する可撓性シートからなる案内部材であって、搬送される前記画像形成対象シートに接する端部が前記可撓性シートの折り曲げ部分となっている案内部材をさらに具備すると好適である。
【００４７】
また、前記画像形成対象シートへの画像形成に用いられるトナーがワックスを含むトナーであると好適である。
また、前記低減手段は、複数の給紙段を有する給紙搬送路それぞれに設けられた電磁クラッチの動作を、使用する給紙段以上の電磁クラッチとするように制御する給紙搬送制御手段でなると好適である。
【００４８】
また、前記の課題は、本発明により、画像形成対象シートに対して画像を形成する画像形成装置を製造する方法であって、製造対象となる画像形成装置の端面から略１ｍ離れた収音位置で収音される、前記画像形成対象シートに対して画像形成を行うときに当該画像形成装置が発する音から得られる音響物理量の音圧レベル値，ラウドネス値，シャープネス値，トーナリティ値，インパルシブネス値，フラクチュエーション・ストレングス（Ｆ．ストレングス）値と、前記一対比較実験に用いた全供試音の音響物理量の平均値である、音圧レベル平均値，ラウドネス平均値，シャープネス平均値，トーナリティ平均値，インパルシブネス平均値，フラクチュエーション・ストレングス（Ｆ．ストレングス）平均値と、１分間あたりの前記画像形成対象シート（Ａ４サイズ横方向）の出力数値（ｐｐｍ）とを用い、（ａ）式により算出される不快確率Ｐが、条件（ｂ）を満たすよう装置各部を設計する設計ステップと、前記設計ステップによってなされた設計内容にしたがって画像形成装置を製造する製造ステップとを具備することを特徴とする画像形成装置の製造方法により解決される。
【００４９】
また、前記の課題は、本発明により、画像形成対象シートに対して画像を形成する画像形成装置を製造する方法であって、製造対象となる画像形成装置の端面から略１ｍ離れた収音位置で収音される、前記画像形成対象シートに対して画像形成を行うときに当該画像形成装置が発する音から得られる音響物理量の音圧レベル値，ラウドネス値，シャープネス値，トーナリティ値，インパルシブネス値，フラクチュエーション・ストレングス（Ｆ．ストレングス）値と、前記一対比較実験に用いた全供試音の音響物理量の平均値である、音圧レベル平均値，ラウドネス平均値，シャープネス平均値，トーナリティ平均値，インパルシブネス平均値，フラクチュエーション・ストレングス（Ｆ．ストレングス）平均値と、ロジットｚの標準偏差σと、１分間あたりの前記画像形成対象シート（Ａ４サイズ横方向）の出力数値（ｐｐｍ）とを用い、（ｃ）式により算出される不快確率Ｐが、条件（ｂ）を満たすよう当該装置各部を設計する設計ステップと、前記設計ステップによってなされた設計内容にしたがって画像形成装置を製造する製造ステップとを具備することを特徴とする画像形成装置の製造方法により解決される。
【００５０】
また、前記の課題は、本発明により、画像形成対象シートに対して画像を形成する画像形成装置を製造する方法であって、製造対象となる画像形成装置の端面から略１ｍ離れた収音位置で収音される、前記画像形成対象シートに対して画像形成を行うときに当該画像形成装置が発する音から得られる音響物理量の音圧レベル値，ラウドネス値，シャープネス値，トーナリティ値，インパルシブネス値，フラクチュエーション・ストレングス（Ｆ．ストレングス）値と、前記一対比較実験に用いた全供試音の音響物理量の平均値である、音圧レベル平均値，ラウドネス平均値，シャープネス平均値，トーナリティ平均値，インパルシブネス平均値，フラクチュエーション・ストレングス（Ｆ．ストレングス）平均値と、１分間あたりの前記画像形成対象シート（Ａ４サイズ横方向）の出力数値（ｐｐｍ）とを用い、（ｄ）式により算出される不快確率Ｐが、条件（ｂ）を満たすよう当該装置各部を設計する設計ステップと、前記設計ステップによってなされた設計内容にしたがって画像形成装置を製造する製造ステップとを具備することを特徴とする画像形成装置の製造方法により解決される。
【００５１】
また、前記の課題は、本発明により、画像形成対象シートに対して画像を形成する画像形成装置を製造する方法であって、製造対象となる画像形成装置の端面から略１ｍ離れた収音位置で収音される、前記画像形成対象シートに対して画像形成を行うときに当該画像形成装置が発する音から得られる音響物理量の音圧レベル値，ラウドネス値，シャープネス値，トーナリティ値，インパルシブネス値，フラクチュエーション・ストレングス（Ｆ．ストレングス）値と、前記一対比較実験に用いた全供試音の音響物理量の平均値である、音圧レベル平均値，ラウドネス平均値，シャープネス平均値，トーナリティ平均値，インパルシブネス平均値，フラクチュエーション・ストレングス（Ｆ．ストレングス）平均値と、前記画像形成対象シートに対する画像形成速度（ｖ：ｍｍ／ｓ）とを用い、（ａ）式により算出される不快確率Ｐが、条件（ｅ）を満たすよう当該装置各部を設計する設計ステップと、前記設計ステップによってなされた設計内容にしたがって画像形成装置を製造する製造ステップとを具備することを特徴とする画像形成装置の製造方法により解決される。
【００５２】
また、前記の課題は、本発明により、画像形成対象シートに対して画像を形成する画像形成装置を製造する方法であって、製造対象となる画像形成装置の端面から略１ｍ離れた収音位置で収音される、前記画像形成対象シートに対して画像形成を行うときに当該画像形成装置が発する音から得られる音響物理量の音圧レベル値，ラウドネス値，シャープネス値，トーナリティ値，インパルシブネス値，フラクチュエーション・ストレングス（Ｆ．ストレングス）値と、前記一対比較実験に用いた全供試音の音響物理量の平均値である、音圧レベル平均値，ラウドネス平均値，シャープネス平均値，トーナリティ平均値，インパルシブネス平均値，フラクチュエーション・ストレングス（Ｆ．ストレングス）平均値と、ロジットｚの標準偏差σと、前記画像形成対象シートに対する画像形成速度（ｖ：ｍｍ／ｓ）とを用い、（ｃ）式により算出される不快確率Ｐが、条件（ｅ）を満たすよう当該装置各部を設計する設計ステップと、前記設計ステップによってなされた設計内容にしたがって画像形成装置を製造する製造ステップとを具備することを特徴とする画像形成装置の製造方法により解決される。
【００５３】
また、前記の課題は、本発明により、画像形成対象シートに対して画像を形成する画像形成装置を製造する方法であって、製造対象となる画像形成装置の端面から略１ｍ離れた収音位置で収音される、前記画像形成対象シートに対して画像形成を行うときに当該画像形成装置が発する音から得られる音響物理量の音圧レベル値，ラウドネス値，シャープネス値，トーナリティ値，インパルシブネス値，フラクチュエーション・ストレングス（Ｆ．ストレングス）値と、前記一対比較実験に用いた全供試音の音響物理量の平均値である、音圧レベル平均値，ラウドネス平均値，シャープネス平均値，トーナリティ平均値，インパルシブネス平均値，フラクチュエーション・ストレングス（Ｆ．ストレングス）平均値と、前記画像形成対象シートに対する画像形成速度（ｖ：ｍｍ／ｓ）とを用い、（ｄ）式により算出される不快確率Ｐが、条件（ｅ）を満たすよう当該装置各部を設計する設計ステップと、前記設計ステップによってなされた設計内容にしたがって画像形成装置を製造する製造ステップとを具備することを特徴とする画像形成装置の製造方法により解決される。
【００５４】
また、前記の課題は、本発明により、画像形成対象シートに対して画像を形成する画像形成装置を改造する方法であって、改造対象となる画像形成装置の端面から略１ｍ離れた収音位置で、前記画像形成対象シートに対して画像形成を行うときに当該画像形成装置が発する音を収音する収音ステップと、前記収音ステップでの収音結果から得られる音響物理量の音圧レベル値，ラウドネス値，シャープネス値，トーナリティ値，インパルシブネス値，フラクチュエーション・ストレングス（Ｆ．ストレングス）値と、前記一対比較実験に用いた全供試音の音響物理量の平均値である、音圧レベル平均値，ラウドネス平均値，シャープネス平均値，トーナリティ平均値，インパルシブネス平均値，フラクチュエーション・ストレングス（Ｆ．ストレングス）平均値と、１分間あたりの前記画像形成対象シート（Ａ４サイズ横方向）の出力数値（ｐｐｍ）とを用い、（ａ）式により算出される不快確率Ｐが、条件（ｂ）を満たすよう当該装置の構成を改造する改造ステップとを具備することを特徴とする画像形成装置の改造方法により解決される。
【００５５】
また、前記の課題は、本発明により、画像形成対象シートに対して画像を形成する画像形成装置を改造する方法であって、改造対象となる画像形成装置の端面から略１ｍ離れた収音位置で、前記画像形成対象シートに対して画像形成を行うときに当該画像形成装置が発する音を収音する収音ステップと、前記収音ステップでの収音結果から得られる音響物理量の音圧レベル値，ラウドネス値，シャープネス値，トーナリティ値，インパルシブネス値，フラクチュエーション・ストレングス（Ｆ．ストレングス）値と、前記一対比較実験に用いた全供試音の音響物理量の平均値である、音圧レベル平均値，ラウドネス平均値，シャープネス平均値，トーナリティ平均値，インパルシブネス平均値，フラクチュエーション・ストレングス（Ｆ．ストレングス）平均値と、ロジットｚの標準偏差σと、１分間あたりの前記画像形成対象シート（Ａ４サイズ横方向）の出力数値（ｐｐｍ）とを用い、（ｃ）式により算出される不快確率Ｐが、条件（ｂ）を満たすよう当該装置の構成を改造する改造ステップとを具備することを特徴とする画像形成装置の改造方法により解決される。
【００５６】
また、前記の課題は、本発明により、画像形成対象シートに対して画像を形成する画像形成装置を改造する方法であって、改造対象となる画像形成装置の端面から略１ｍ離れた収音位置で、前記画像形成対象シートに対して画像形成を行うときに当該画像形成装置が発する音を収音する収音ステップと、前記収音ステップでの収音結果から得られる音響物理量の音圧レベル値，ラウドネス値，シャープネス値，トーナリティ値，インパルシブネス値，フラクチュエーション・ストレングス（Ｆ．ストレングス）値と、前記一対比較実験に用いた全供試音の音響物理量の平均値である、音圧レベル平均値，ラウドネス平均値，シャープネス平均値，トーナリティ平均値，インパルシブネス平均値，フラクチュエーション・ストレングス（Ｆ．ストレングス）平均値と、１分間あたりの前記画像形成対象シート（Ａ４サイズ横方向）の出力数値（ｐｐｍ）とを用い、（ｄ）式により算出される不快確率Ｐが、条件（ｂ）を満たすよう当該装置の構成を改造する改造ステップとを具備することを特徴とする画像形成装置の改造方法により解決される。
【００５７】
また、前記の課題は、本発明により、画像形成対象シートに対して画像を形成する画像形成装置を改造する方法であって、改造対象となる画像形成装置の端面から略１ｍ離れた収音位置で、前記画像形成対象シートに対して画像形成を行うときに当該画像形成装置が発する音を収音する収音ステップと、前記収音ステップでの収音結果から得られる音響物理量の音圧レベル値，ラウドネス値，シャープネス値，トーナリティ値，インパルシブネス値，フラクチュエーション・ストレングス（Ｆ．ストレングス）値と、前記一対比較実験に用いた全供試音の音響物理量の平均値である、音圧レベル平均値，ラウドネス平均値，シャープネス平均値，トーナリティ平均値，インパルシブネス平均値，フラクチュエーション・ストレングス（Ｆ．ストレングス）平均値と、前記画像形成対象シートに対する画像形成速度（ｖ：ｍｍ／ｓ）とを用い、（ａ）式により算出される不快確率Ｐが、条件（ｅ）を満たすよう当該装置の構成を改造する改造ステップとを具備することを特徴とする画像形成装置の改造方法により解決される。
【００５８】
また、前記の課題は、本発明により、画像形成対象シートに対して画像を形成する画像形成装置を改造する方法であって、改造対象となる画像形成装置の端面から略１ｍ離れた収音位置で、前記画像形成対象シートに対して画像形成を行うときに当該画像形成装置が発する音を収音する収音ステップと、前記収音ステップでの収音結果から得られる音響物理量の音圧レベル値，ラウドネス値，シャープネス値，トーナリティ値，インパルシブネス値，フラクチュエーション・ストレングス（Ｆ．ストレングス）値と、前記一対比較実験に用いた全供試音の音響物理量の平均値である、音圧レベル平均値，ラウドネス平均値，シャープネス平均値，トーナリティ平均値，インパルシブネス平均値，フラクチュエーション・ストレングス（Ｆ．ストレングス）平均値と、ロジットｚの標準偏差σと、前記画像形成対象シートに対する画像形成速度（ｖ：ｍｍ／ｓ）とを用い、（ｃ）式により算出される不快確率Ｐが、条件（ｅ）を満たすよう当該装置の構成を改造する改造ステップとを具備することを特徴とする画像形成装置の改造方法により解決される。
【００５９】
また、前記の課題は、本発明により、画像形成対象シートに対して画像を形成する画像形成装置を改造する方法であって、改造対象となる画像形成装置の端面から略１ｍ離れた収音位置で、前記画像形成対象シートに対して画像形成を行うときに当該画像形成装置が発する音を収音する収音ステップと、前記収音ステップでの収音結果から得られる音響物理量の音圧レベル値，ラウドネス値，シャープネス値，トーナリティ値，インパルシブネス値，フラクチュエーション・ストレングス（Ｆ．ストレングス）値と、前記一対比較実験に用いた全供試音の音響物理量の平均値である、音圧レベル平均値，ラウドネス平均値，シャープネス平均値，トーナリティ平均値，インパルシブネス平均値，フラクチュエーション・ストレングス（Ｆ．ストレングス）平均値と、前記画像形成対象シートに対する画像形成速度（ｖ：ｍｍ／ｓ）とを用い、（ｄ）式により算出される不快確率Ｐが、条件（ｅ）を満たすよう当該装置の構成を改造する改造ステップとを具備することを特徴とする画像形成装置の改造方法により解決される。
【００６０】
また、前記の音圧レベル平均値＝５３．１５，ラウドネス平均値＝７．７１，シャープネス平均値＝２．３１，トーナリティ平均値＝０．１０，インパルシブネス平均値＝０．５５，Ｆ．ストレングス平均値＝０．０６であると好適である。
【発明の効果】
【００６１】
請求項１の音質評価方法によれば、一対比較法の結果から決定木を作成し、その結果と多重ロジスティック回帰分析を組み合わせた分析において、２音の不快確率を予測するモデルを導出し、一対比較に用いた供試音の音響物理量の平均値を入力したときに出力（不快確率Ｐ）はＰ＝０.５をとる、と定義する事により、音の音響物理量と音の母集団の平均値の差を入力すると、不快確率Ｐ＝０.５の音と比較した場合の不快確率を出力可能な精度の高い音質評価式を導出することができる。また評価を比較的多くの実験を行うことなく実施でき、結果として音質評価に関する作業が簡易となる。また、決定木と多重ロジスティック回帰分析を組み合わせたことにより、多重ロジスティック回帰分析単独の結果より良好な音質評価が得られる。
【００６２】
請求項２の画像形成装置の製造方法によれば、精度の高い音質評価式を用いた音質評価に基づいて装置を製造するので、不快な音をほとんど発しない画像形成装置を提供することができる。
【００６３】
請求項３の画像形成装置の改造方法によれば、精度の高い音質評価式を用いた音質評価に基づいて装置を改造するので、不快な音をほとんど発しない画像形成装置を提供することができる。
【００６４】
請求項４の画像形成装置は、音質評価式（ａ）によって導出される不快確率Ｐが、１分あたりの画像形成対象シートの出力数値に対応した条件（ｂ）に合致するように構成されているので、画像形成装置の発する音がユーザに与える不快感を低減することができる。
【００６５】
また、条件（ｂ）が画像形成対象シートの出力値によって変動するので、複数の動作モード等を有しており、各モードでシート出力値が変動するような装置であっても、その動作音から得られるパラメータ値を１つの音質評価式（ａ）を用いて不快確率Ｐを求めることができるとともに、不快確率Ｐが速度に応じて変動する条件を満たしているので、シート出力値やモードに関わらず、動作音がユーザに与える不快感を低減できるという効果も得られる。
【００６６】
請求項５の画像形成装置は、音質評価式（ｃ）によって導出される不快確率Ｐが、１分あたりの画像形成対象シートの出力数値に対応した条件（ｂ）に合致するように構成されているので、画像形成装置の発する音がユーザに与える不快感を低減することができる。
【００６７】
また、条件（ｂ）が画像形成対象シートの出力値によって変動するので、複数の動作モード等を有しており、各モードでシート出力値が変動するような装置であっても、その動作音から得られるパラメータ値を１つの音質評価式（ｃ）を用いて不快確率Ｐを求めることができるとともに、不快確率Ｐが速度に応じて変動する条件を満たしているので、シート出力値やモードに関わらず、動作音がユーザに与える不快感を低減できるという効果も得られる。
【００６８】
請求項６の画像形成装置は、音質評価式（ｄ）によって導出される不快確率Ｐが、１分あたりの画像形成対象シートの出力数値に対応した条件（ｂ）に合致するように構成されているので、画像形成装置の発する音がユーザに与える不快感を低減することができる。
【００６９】
また、条件（ｂ）が画像形成対象シートの出力値によって変動するので、複数の動作モード等を有しており、各モードでシート出力値が変動するような装置であっても、その動作音から得られるパラメータ値を１つの音質評価式（ｄ）を用いて不快確率Ｐを求めることができるとともに、不快確率Ｐが速度に応じて変動する条件を満たしているので、画像形成対象シートの出力値やモードに関わらず、動作音がユーザに与える不快感を低減できるという効果も得られる。
【００７０】
請求項７の画像形成装置は、音質評価式（ａ）によって導出される不快確率Ｐが、１分あたりの画像形成対象シートの出力数値に対応した条件（ｅ）に合致するように構成されているので、画像形成装置の発する音がユーザに与える不快感を低減することができる。
【００７１】
また、条件（ｅ）が画像形成速度によって変動するので、複数の動作モード等を有しており、各モードで画像形成速度が変動するような装置であっても、その動作音から得られるパラメータ値を１つの音質評価式（ａ）を用いて不快確率Ｐを求めることができるとともに、不快確率Ｐが速度に応じて変動する条件を満たしているので、画像形成速度やモードに関わらず、動作音がユーザに与える不快感を低減できるという効果も得られる。
【００７２】
請求項８の画像形成装置は、音質評価式（ｃ）によって導出される不快確率Ｐが、画像形成速度に対応した条件（ｅ）に合致するように構成されているので、画像形成装置の発する音がユーザに与える不快感を低減することができる。
【００７３】
また、条件（ｅ）が画像形成速度によって変動するので、複数の動作モード等を有しており、各モードで画像形成速度が変動するような装置であっても、その動作音から得られるパラメータ値を１つの音質評価式（ｃ）を用いて不快確率Ｐを求めることができるとともに、不快確率Ｐが速度に応じて変動する条件を満たしているので、画像形成速度やモードに関わらず、動作音がユーザに与える不快感を低減できるという効果も得られる。
【００７４】
請求項９の画像形成装置は、音質評価式（ｄ）によって導出される不快確率Ｐが、画像形成速度に対応した条件（ｅ）に合致するように構成されているので、画像形成装置の発する音がユーザに与える不快感を低減することができる。
【００７５】
また、条件（ｅ）が画像形成速度によって変動するので、複数の動作モード等を有しており、各モードで画像形成速度が変動するような装置であっても、その動作音から得られるパラメータ値を１つの音質評価式（ｄ）を用いて不快確率Ｐを求めることができるとともに、不快確率Ｐが速度に応じて変動する条件を満たしているので、画像形成速度やモードに関わらず、動作音がユーザに与える不快感を低減できるという効果も得られる。
【００７６】
請求項１０の構成により、画像形成速度や動作モードに関わらず、装置動作音がユーザに与える不快感を低減できる。
請求項１１の構成により、画像形成装置のユーザが通常位置する可能性が高い装置前面側の位置で収音した結果から得られた不快確率ＰＳが、上述した条件を満たすようになっているので、画像形成装置の動作音がユーザに与える不快感を低減できる。
【００７７】
請求項１２の構成により、画像形成装置の４方向で収音された音から不快確率Ｐを導出し、その平均値が条件を満たしているので、どの方向にユーザがいてもその動作音がユーザに与える不快感を低減できる。
【００７８】
請求項１３の構成により、画像形成装置の少なくとも１方向側において収音した音から導出した不快確率Ｐが条件を満たしているので、その方向側にいるユーザに対して、画像形成装置の動作音がユーザに与える不快感を低減できる。
【００７９】
請求項１４の構成により、画像形成装置の前後左右方向のすべての方向側で収音された音から導出される不快確率Ｐが条件を満たしているので、ユーザはどの方向側にいても画像形成装置の動作音がユーザに与える不快感を低減できる。
【００８０】
請求項１５の構成により、低減手段により画像形成時に画像形成装置が発する音を低減することができ、これにより画像形成装置が発する音から導出される不快確率Ｐが条件を満たし、画像形成装置の動作音がユーザに与える不快感を低減できる。
【００８１】
請求項１６の構成により、ステッピングモータ動作時の振動が直接ブラケット部材に伝達されず、弾性体によって吸収されるので、ブラケット部材に伝達される振動が低減され、この振動に起因して発生する音を低減できる。
【００８２】
請求項１７の構成により、ステッピングモータをマイクロステップ駆動することで、通常の機械的に定まるステッピングモータのステップ角よりも小さい角度のステップ角でステッピングモータを駆動することができる。これによりステッピングモータのロータ駆動が滑らかになり、振動の発生を抑制することができ、動作音を低減させることができる。
【００８３】
請求項１８の構成により、ヘルムホルツ共鳴器は、その形状寸法等から定まるヘルムホルツ共鳴周波数の音成分をその空洞内に閉じ込める、つまりその共鳴周波数の音成分を減衰させる機能を有する。したがって、モータが発する音の主な周波数成分に対応する共鳴周波数を有するヘルムホルツ共鳴器を近傍に設置することでモータの発生音が装置外部に漏れる量を低減できる。
【００８４】
請求項１９の構成により、像坦持体に帯電手段が帯電させる際には、その帯電作用によって像坦持体が振動し、これに起因して音が発生するが、その像担持体に生じる振動を制振部材によって抑制することができ、発生音を低減することができる。また、制振部材は像担持体の内部に配置されるため、新たな設置スペース等を用意する必要もないという効果が得られる。
【００８５】
請求項２０の構成により、案内部材における可撓性シートの折り曲げた部分が搬送される画像形成対象シートと接するようになっているので、当該接触により発生する音を低減することができる。すなわち、可撓性シートを所定の寸法にする場合、通常裁断されるが、可撓性シートの裁断部分にはバリ等があり、この部分が画像形成対象シートと接すると耳障りな音が発生する。これに対し、上記のように裁断部分ではなく折り曲げ部分が画像形成対象シートと接するようになっているので、耳障りな音の発生を低減することができる。
【００８６】
請求項２１の構成により、ワックスを含むトナーを用いることで、画像形成における定着過程の際に、定着部材と画像形成対象シートの乖離性を向上させるために定着部材に対してオイル塗布等の作業を行う必要がない。よって、かかるオイル塗布作業に伴って発生する音を低減することができるという効果が得られる。
【００８７】
請求項２２の構成により、使用する給紙段の電磁クラッチのみを動作させて金属衝撃音を低減することにより、インパルシブネス値が下がるため、耳障りな音の発生を低減することができる。
【００８８】
請求項２３の画像形成装置の製造方法によれば、音質評価式（ａ）によって導出される不快確率Ｐが、１分あたりの画像形成対象シートの出力数値に対応した条件（ｂ）に合致するように装置各部を設計しており、かかる設計内容に基づいて画像形成装置を製造するので、動作音がユーザに与える不快感を低減した画像形成装置を製造してユーザに提供することができる。
【００８９】
また、条件（ｂ）が画像形成対象シートの出力値によって変動するので、シート出力値や動作モードに関わらず、その動作音から得られるパラメータ値を１つの音質評価式（ａ）を用いて不快確率Ｐを求めることができるとともに、不快確率Ｐが速度に応じて変動する条件を満たしているので、シート出力値や動作モードに関わらず、動作音がユーザに与える不快感を低減できるという効果が得られる。
【００９０】
請求項２４の画像形成装置の製造方法によれば、音質評価式（ｃ）によって導出される不快確率Ｐが、１分あたりの画像形成対象シートの出力数値に対応した条件（ｂ）に合致するように装置各部を設計しており、かかる設計内容に基づいて画像形成装置を製造するので、動作音がユーザに与える不快感を低減した画像形成装置を製造してユーザに提供することができる。
【００９１】
また、条件（ｂ）が画像形成対象シートの出力値によって変動するので、シート出力値や動作モードに関わらず、その動作音から得られるパラメータ値を１つの音質評価式（ａ）を用いて不快確率Ｐを求めることができるとともに、不快確率Ｐが速度に応じて変動する条件を満たしているので、シート出力値や動作モードに関わらず、動作音がユーザに与える不快感を低減できるという効果が得られる。
【００９２】
請求項２５の画像形成装置の製造方法によれば、音質評価式（ｄ）によって導出される不快確率Ｐが、１分あたりの画像形成対象シートの出力数値に対応した条件（ｂ）に合致するように装置各部を設計しており、かかる設計内容に基づいて画像形成装置を製造するので、動作音がユーザに与える不快感を低減した画像形成装置を製造してユーザに提供することができる。
【００９３】
また、条件（ｂ）が画像形成対象シートの出力値によって変動するので、シート出力値や動作モードに関わらず、その動作音から得られるパラメータ値を１つの音質評価式（ｄ）を用いて不快確率Ｐを求めることができるとともに、不快確率Ｐが速度に応じて変動する条件を満たしているので、シート出力値や動作モードに関わらず、動作音がユーザに与える不快感を低減できるという効果が得られる。
【００９４】
請求項２６の画像形成装置の製造方法によれば、音質評価式（ａ）によって導出される不快確率Ｐが、画像形成速度に対応した条件（ｅ）に合致するように装置各部を設計しており、かかる設計内容に基づいて画像形成装置を製造するので、動作音がユーザに与える不快感を低減した画像形成装置を製造してユーザに提供することができる。
【００９５】
また、条件（ｅ）が画像形成速度によって変動するので、画像形成速度や動作モードに関わらず、その動作音から得られるパラメータ値を１つの音質評価式（ａ）を用いて不快確率Ｐを求めることができるとともに、不快確率Ｐが速度に応じて変動する条件を満たしているので、画像形成速度や動作モードに関わらず、動作音がユーザに与える不快感を低減できるという効果が得られる。
【００９６】
請求項２７の画像形成装置の製造方法によれば、音質評価式（ｃ）によって導出される不快確率Ｐが、画像形成速度に対応した条件（ｅ）に合致するように装置各部を設計しており、かかる設計内容に基づいて画像形成装置を製造するので、動作音がユーザに与える不快感を低減した画像形成装置を製造してユーザに提供することができる。
【００９７】
また、条件（ｅ）が画像形成速度によって変動するので、画像形成速度や動作モードに関わらず、その動作音から得られるパラメータ値を１つの音質評価式（ｃ）を用いて不快確率Ｐを求めることができるとともに、不快確率Ｐが速度に応じて変動する条件を満たしているので、画像形成速度や動作モードに関わらず、動作音がユーザに与える不快感を低減できるという効果が得られる。
【００９８】
請求項２８の画像形成装置の製造方法によれば、音質評価式（ｄ）によって導出される不快確率Ｐが、画像形成速度に対応した条件（ｅ）に合致するように装置各部を設計しており、かかる設計内容に基づいて画像形成装置を製造するので、動作音がユーザに与える不快感を低減した画像形成装置を製造してユーザに提供することができる。
【００９９】
また、条件（ｅ）が画像形成速度によって変動するので、画像形成速度や動作モードに関わらず、その動作音から得られるパラメータ値を１つの音質評価式（ｄ）を用いて不快確率Ｐを求めることができるとともに、不快確率Ｐが速度に応じて変動する条件を満たしているので、画像形成速度や動作モードに関わらず、動作音がユーザに与える不快感を低減できるという効果が得られる。
【０１００】
請求項２９の画像形成装置の改造方法によれば、音質評価式（ａ）によって導出される不快確率Ｐが、１分あたりの画像形成対象シートの出力数値に対応した条件（ｂ）に合致するように装置各部を改造するので、動作音がユーザに与える不快感を低減した画像形成装置を製造してユーザに提供することができる。
【０１０１】
また、条件（ｂ）が画像形成対象シートの出力値によって変動するので、シート出力値や動作モードに関わらず、その動作音から得られるパラメータ値を１つの音質評価式（ａ）を用いて不快確率Ｐを求めることができるとともに、不快確率Ｐが速度に応じて変動する条件を満たしているので、シート出力値や動作モードに関わらず、動作音がユーザに与える不快感を低減できるという効果が得られる。
【０１０２】
請求項３０の画像形成装置の改造方法によれば、音質評価式（ｃ）によって導出される不快確率Ｐが、１分あたりの画像形成対象シートの出力数値に対応した条件（ｂ）に合致するように装置各部を改造するので、動作音がユーザに与える不快感を低減した画像形成装置を製造してユーザに提供することができる。
【０１０３】
また、条件（ｂ）が画像形成対象シートの出力値によって変動するので、シート出力値や動作モードに関わらず、その動作音から得られるパラメータ値を１つの音質評価式（ｃ）を用いて不快確率Ｐを求めることができるとともに、不快確率Ｐが速度に応じて変動する条件を満たしているので、シート出力値や動作モードに関わらず、動作音がユーザに与える不快感を低減できるという効果が得られる。
【０１０４】
請求項３１の画像形成装置の改造方法によれば、音質評価式（ｄ）によって導出される不快確率Ｐが、１分あたりの画像形成対象シートの出力数値に対応した条件（ｂ）に合致するように装置各部を改造するので、動作音がユーザに与える不快感を低減した画像形成装置を製造してユーザに提供することができる。
【０１０５】
また、条件（ｂ）が画像形成対象シートの出力値によって変動するので、シート出力値や動作モードに関わらず、その動作音から得られるパラメータ値を１つの音質評価式（ｄ）を用いて不快確率Ｐを求めることができるとともに、不快確率Ｐが速度に応じて変動する条件を満たしているので、シート出力値や動作モードに関わらず、動作音がユーザに与える不快感を低減できるという効果が得られる。
【０１０６】
請求項３２の画像形成装置の改造方法によれば、音質評価式（ａ）によって導出される不快確率Ｐが、画像形成速度に対応した条件（ｅ）に合致するように装置各部を改造するので、動作音がユーザに与える不快感を低減した画像形成装置を製造してユーザに提供することができる。
【０１０７】
また、条件（ｅ）が画像形成速度によって変動するので、画像形成速度や動作モードに関わらず、その動作音から得られるパラメータ値を１つの音質評価式（ａ）を用いて不快確率Ｐを求めることができるとともに、不快確率Ｐが速度に応じて変動する条件を満たしているので、画像形成速度や動作モードに関わらず、動作音がユーザに与える不快感を低減できるという効果が得られる。
【０１０８】
請求項３３の画像形成装置の改造方法によれば、音質評価式（ｃ）によって導出される不快確率Ｐが、画像形成速度に対応した条件（ｅ）に合致するように装置各部を改造するので、動作音がユーザに与える不快感を低減した画像形成装置を製造してユーザに提供することができる。
【０１０９】
また、条件（ｅ）が画像形成速度によって変動するので、画像形成速度や動作モードに関わらず、その動作音から得られるパラメータ値を１つの音質評価式（ｃ）を用いて不快確率Ｐを求めることができるとともに、不快確率Ｐが速度に応じて変動する条件を満たしているので、画像形成速度や動作モードに関わらず、動作音がユーザに与える不快感を低減できるという効果が得られる。
【０１１０】
請求項３４の画像形成装置の改造方法によれば、音質評価式（ｄ）によって導出される不快確率Ｐが、画像形成速度に対応した条件（ｅ）に合致するように装置各部を改造するので、動作音がユーザに与える不快感を低減した画像形成装置を製造してユーザに提供することができる。
【０１１１】
また、条件（ｅ）が画像形成速度によって変動するので、画像形成速度や動作モードに関わらず、その動作音から得られるパラメータ値を１つの音質評価式（ｄ）を用いて不快確率Ｐを求めることができるとともに、不快確率Ｐが速度に応じて変動する条件を満たしているので、画像形成速度や動作モードに関わらず、動作音がユーザに与える不快感を低減できるという効果が得られる。
【０１１２】
請求項３５の画像形成装置または画像形成装置の製造方法あるいは画像形成装置の改造方法によれば、音圧レベル平均値＝５３．１５，ラウドネス平均値＝７．７１，シャープネス平均値＝２．３１，トーナリティ平均値＝０．１０，インパルシブネス平均値＝０．５５，Ｆ．ストレングス平均値＝０．０６であることにより、精度の高い評価（不快確率）を、多くの実験を行なうことなく得ることができ、良好な音質評価を行なうことができる。
【発明を実施するための最良の形態】
【０１１３】
以下、本発明の実施の形態を図面に基づいて説明する。
本発明の音質評価方法は、種々の画像形成装置が発する騒音を評価するものであって、以下に説明する音質評価式を用いて画像形成装置の音質評価を行い、その評価結果が所定の条件を満たすように画像形成装置を設計・製造し、あるいは改造することによって、不快な騒音をほとんど発しない画像形成装置を提供することができるものである。騒音評価に用いた画像形成装置については後述するとして、画像形成装置が画像形成時に発する騒音を評価する手法について先に説明する。
【０１１４】
［Ｉ．音質評価手法］
音質を評価する方法としては、シェッフェの一対比較法により得られた実験結果から、音響物理量を用いて音質を予測できる音質評価式を導出するというものが考えられる。音質評価式としては、実験結果について、重回帰分析を行なう方法と、多重ロジスティック回帰分析を行なう方法が提案されている。以下にこれらの方法を示し、最後に本発明の一対比較の結果についての『決定木(decision tree)』と多重ロジスティック回帰分析を組み合わせた方法を示す。
【０１１５】
一対比較法は、音、匂い、味のように、絶対的な評価が困難な刺激に対して、２つの刺激の対をつくる。そして、評価を行いたい刺激の全組み合わせで対をつくり、その評点の差を求め、刺激各々について相対的な平均評点を与えるというものである。この方法は、人間が１つの刺激に対して評価をするのは困難であるが、２つの刺激を比較してどちらがよいか悪いかを判断することは比較的容易になし得る点に着目したものである。
【０１１６】
例えば、３つの刺激Ａ１、Ａ２、Ａ３がある場合、それぞれの刺激モデルを、ｙ１＝μ＋α１、ｙ２＝μ＋α２、ｙ３＝μ＋α３とする。なお、簡略化のため、このモデルは総平均μと主効果αｉ（ｉ＝１，２，３）のみで構成されているものとする。また、実験計画法のパラメータ推定のために必要な一般的な制約と同様に、主効果の総和は０とする。
α１＋α２＋α３＝０………式（１）
【０１１７】
絶対的な評価ができないということは、μの値についての見当がつかないということなので、直接にｙ１、ｙ２、ｙ３が測定できないということであるが、上述したように２つの刺激の差をとることでμが消えて、主効果のみの差で表せることになる。
ｙ１−ｙ２ ＝（μ＋α１）−（μ＋α２）＝α１−α２………式（２）
ｙ１−ｙ３ ＝（μ＋α１）−（μ＋α３）＝α１−α３………式（３）
ｙ２−ｙ３ ＝（μ＋α２）−（μ＋α３）＝α２−α３………式（４）
【０１１８】
ここで、式（２）＋式（３）は、
２ｙ１−（ｙ２＋ｙ３）＝２α１−（α２＋α３）
であるが、上記制約式（１）により
２ｙ１−（ｙ２＋ｙ３）＝３α１
となる。つまり、各刺激の効果を取り出すことができる。そして、このときの各刺激の効果を、画像形成装置が持つ音響物理的特性の差によって、１次の関数で表すとすれば、
α１−α２＝ｂ（ｘ１−ｘ２）………式（５）
という関係が得られる。ここで、ｂは定数であり、ｘｉは、ｉ＝１，２，３…ｎである。切片は２つの刺激の差をモデル化するので相殺される。
【０１１９】
そこで、本発明では画像形成装置の発生する音について、評点の差（一対比較法実験により得られた一対の音の評点の差）を目的変数に、複数の物理的特性値（心理音響パラメータ等）の差を説明変数群とし、重回帰分析を行えば、評価の差を予測するモデルが得られることになる。すなわち、比較したい２ つの音が有する物理的特性値を入力すると、２つの音がどのくらい不快さが異なるかといった評価の差の予測が出力できるモデルが得られる。
【０１２０】
ただし、例えば一対比較時の評点として、不快な方に１点入れる等して計算すると、２音の評点差が０.３点、あるいは０.７点という場合に、どのくらい不快さが違うのか、直感的に見当を付けにくいという不具合がある。
【０１２１】
次の式（６）に、多重ロジスティック回帰モデルを示す。
【数２】
2006214911.tif 000003
【０１２２】
この式６は、上記のように音Ａｉ と音Ａｊ との優劣の差を予測するものではなく、音Ａｉと音Ａｊの優劣の勝敗を確率Ｐｉｊ、（１−Ｐｉｊ）として予測するものである。つまり、２音の不快確率を算出するのでどのくらい不快さが違うのか直感的に分かりやすい。
【０１２３】
【数３】
2006214911.tif 000004
【０１２４】
ここで、Ｐｉｊは、試料となる音の対（Ａｉ、Ａｊ）とを比較した際に音Ａｉが不快と感じる確率であり、（１−Ｐｉｊ）は音Ａｊが不快と感じる確率である。これらの確率は、πｉを試料となる音Ａｉが不快とされた度数、πｊを試料となる音Ａｊが不快とされた度数とすれば容易に求めることができる。そして、確率Ｐｉｊは、二項分布にしたがうことが統計的に知られているので、その期待値が心理音響特性に影響を受けるという仮定が成り立つのであれば、上記式６の乗法モデルを用いることが合理的である。多重ロジスティック回帰モデルは、母確率Ｐｉｊを予測するモデルであるから、予測されるＰｉｊは０〜１の範囲の値となり、その値は指標として合理的である。
【０１２５】
したがって、本発明者は上記の多重ロジスティック回帰モデルを音質評価のモデルとすることした。ここで、本発明における音質評価モデルの導出過程の説明に先立ち、ロジスティック回帰モデルについて簡単に説明しておく。
【０１２６】
画像形成装置の発する音の不快さの原因としてラウドネスがあり、説明を簡単にするためにその原因がラウドネスのみにあるとする。この場合、２つの試料となる音（Ａ１、Ａ２）について、どちらが不快な音であるかをｎ人が比較したときに、各々の音のラウドネスに差がなければＡ１とＡ２の各々が不快とされる確率は５０％であることが期待される。
【０１２７】
そして、音Ａ１よりも音Ａ２のラウドネスが１（sone）小さいとき、音Ａ２が不快であると答えた確率が２５％になったとする。さらに、音Ａ１よりも音Ａ２のラウドネスが２（sone）小さくなると、音Ａ２が不快であると答える確率はさらに２５％下がり、０％になるとは考えられない。すなわち、ラウドネスが１（sone）小さくなることで、不快と答える確率が２５％下がったと考えるのではなく、ラウドネスを１（sone）小さくすることで、不快と答える確率が５０％から２５％に、つまり半分になったと考えるのが自然である。したがって、ラウドネスが２（sone）小さくなると不快と答える確率は２５×（１／２）＝１２．５％となると考えるのである。
【０１２８】
このように音質改善効果には、加法性が成立するのではなく、乗法性が成立するのである。乗法性が成立する場合には、対数ｌｎ（ｐ）をとると加法性が成立する。また、歩留りのように１００％の限界を挑戦する場合には、−ｌｎ（１−ｐ）をとればよい。この２つの対数を組み合わせた
ｚ＝ｌｎ（ｐ）−ｌｎ（１−ｐ）＝ｌｎ（ｐ／１−ｐ）………式（７）
をロジット変換と呼ぶ。そして、この逆変換は、
ｐ＝exp（ｚ）／（１＋exp（ｚ））＝１／（１＋exp（−ｚ））
である。このことは、０から１までの確率ｐにＳ字型曲線（シグモイド関数）をあてはめたとき、その曲線をロジスティック分布の累積分布関数で近似していることになる。
【０１２９】
図１に示すグラフは、ロジット変換による効果を示すものである。同図に示すように、ロジット変換後には、確率ｐについて線形性が成り立つことがわかる。したがって、ｚを目的変数として、通常の回帰分析を適用してｚを推定し、上記式６の逆変換によりｐの推定値を求めることができるのである。このように不良率や割合であるｐを目的変数とする予測では、ｐ＝ｒ／ｎをロジット変換し、それを目的変数として回帰分析すればよく、これをロジスティック回帰分析という。なお、ｒは不良数、ｎは検査数である。ただし、ｒが０またはｎのときは、ｚを求めることができないので、
ｚ＝ｌｎ（（ｒ＋１／２）／（ｎ−ｒ＋１／２））
とする。この変換を経験ロジットと呼ぶ。
【０１３０】
なお、この変換のままでは、ｎの数が大きい場合もｎが小さい場合も同等に扱うことになるので、ｎの大きさに対応した重み付けを行う必要がある。特に、ｐの値が０または１の近傍となる場合には、ロジットｚの分散が大きくなり不都合である。これらの点を考慮したのがロジスティック回帰分析である。
【０１３１】
ここで、本実施形態で採用した方法を説明する。
一対比較法の結果についての『決定木(decision tree) 』と多重ロジスティック回帰分析を組み合わせた方法である。この結果により２音の音響物理量の差の値から、２音の不快確率を予測することができる。
【０１３２】
まず、決定木について説明する。
決定木はデータマイニングでは強力な手法として認知されている。データマイニングとは、大量のデータに、隠れた規則性，因果関係などを発見することである。決定木は元々、ＡＩＤ（Automatic Interaction Detector）法という名称で提案された手法で、ＣＡＲＴ（classification and regression trees＝分類と回帰木）法、CHAID−Chi-squared Automatic Interaction Detector（カイ・スクエアド・オートマチック・インタラクション・ディテクター），パーティショニング等の手法があり、使用する解析ソフトの違いでネーミングとアルゴリズムが若干異なる。
【０１３３】
ＡＩＤは自動的な交互作用の検出法（Interactionは交互作用）という意味で、交互作用を考えない回帰モデルや分散分析ではデータを十分説明できない時に、交互作用項を自動的に検出しようとする意図があり、回帰モデル・分散分析モデルの延長上に位置する手法の一つである。ロジスティック回帰分析の確率分布では複雑で表現できないが、日常よく使われる分布を表現できる。
【０１３４】
つまり、決定木は集団に対して、因子群Ｘと目的Ｙの関係に従ってデータを帰納的に分割して層別する手法であり、その層別の結果は、ただ単にグループ分けが行なわれたと言う意味ではなく、交互作用を自動的に検出して層別した結果である。なお、本実施形態の決定木の作成には、統計解析ソフトウェア「ＪＭＰ（ＳＡＳ Ｉｎｓｔｉｔｕｔｅ の登録商標）」のパーティショニングを用いた。
【０１３５】
決定木の特徴として、以下の３つが挙げられる。
・事前にモデルを用意しなくても変数の関係が検討できる。
・膨大なデータを容易に処理できる。
・結果が解釈しやすい。
【０１３６】
また、パーティショニングでは、因子群Ｘには連続量とカテゴリカル（名義／順序尺度）の両方が使用できる。
Ｘが連続尺度の時は分岐値に基づいて分岐（パーティション）が行なわれ、標本が分岐値より上の値と下の値に分かれる。Ｘがカテゴリカルのときは標本が２つの水準グループに分かれる。
【０１３７】
目的Ｙは連続量とカテゴリカルのどちらでもよい。
Ｙが連続量なら、平均があてはめられ、平均の差の平方和を検討しながら平均を最も大きく分けるような分岐が選択される。Ｙがカテゴリカルなら、応答率（各応答水準の推定確率）があてはめられ、尤度比カイ2乗統計量が最大になるような分岐が選択される。どちらの場合も、データは２つのグループの応答の差が最大になるように分岐する。
【０１３８】
決定木の分かりやすい例として『Fisherのアヤメの例』というのがある。これは３品種のあやめに関する測定値を記録したデータである。
Ｙをアヤメの種類、Ｘを花弁の長さ、花弁の幅、がくの長さ、がくの幅として決定木を作成すると、花弁の長さと花弁の幅により、３種類のアヤメにきれいに分けられたという例である。
【０１３９】
以上が決定木についての説明であり、本発明者は、まず、供試音の不快さの一対比較結果に対して音響物理量を用いて多重ロジスティック回帰分析を行なった時に得られるロジットｚを目的Ｙとし、２音の音響物理量の差の値を因子群Ｘとした時の決定木を作成した。
【０１４０】
つまり、一対比較結果をパーティショニングにより層別した。さらに、層別した結果に対してそれぞれ多重ロジスティック回帰分析を行ない、その結果をつなぎ合せて２音の不快確率を予測した（＝差モデル）。
【０１４１】
さらに、一対比較に用いた供試音の音響物理量の平均値の音と比較したと想定して、供試音集団（母集団）の中における単独の音の不快確率を予測する（＝相対モデル）形態に変換を行なった。その結果、精度よく音の不快確率を予測することができるようになった。
【０１４２】
次に、実際に行った実験、分析等を元にその過程を詳細に説明することとする。
画像形成装置の音質評価実験と不快音源の特定および音質評価式導出の流れは以下のとおりである。
（１）画像形成装置の動作音の採取
（２）動作音の分析
（３）採取した動作音から供試音の作成
（４）供試音の音響物理量（心理音響パラメータ，音圧レベル）の測定
（５）機種またはモードごとの供試音による一対比較法実験（シェッフェの一対比較法  浦の変法）
（６）不快音源の特定
（７）差モデルの分析データの作成
（８）多重ロジスティク回帰分析により、『２音間の不快確率』を『２音間の音響物理量の差』で予測する差モデル式を導出
（９）（８）で算出されるロジットと、音響物理量の関係から、一対比較結果に対して決定木を作成し、層別を実施
（10）層別した集団ごとに多重ロジスティック回帰分析を行ない、『２音間の不快確率』を『２音間の音響物理量の差』で予測する差モデル式を層ごとに導出
（11）単独の音の不快さを予測する相対モデル式（音質評価式）の導出
（12）導出した音質評価式の検証
【０１４３】
以下、上記過程の詳細について説明する。
（１）画像形成装置の動作音の採取
画像形成装置の動作音の採取は、ヘッドアコースティックス社製ダミーヘッドＨＭＳ（Head Measurement System）IIIを用い、バイノーラル（両耳覚）録音を行った。このようにバイノーラル録音を行い、専用ヘッドフォンで再生することで、実際に人間が機械の発生する音を聞いたときの感覚で再現できるからである。
【０１４４】
また、被測定機器である画像形成装置は、後述する複数モードを持つ画像形成装置に対しては動作モードに応じて３種類の画像形成速度で画像形成動作を実行するものであり、これらの３つの動作モードごとに測定を行った。
【０１４５】
また、後述する卓上型（デスクトップ）画像形成装置、中速の画像形成装置、大型（コンソール型）画像形成装置はモノクロの単一モードしかないため、その動作について測定を行なった。
【０１４６】
測定条件は以下の通りである（図２参照）。
・録音環境‥‥半無響室
・ダミーヘッド５０３の耳の位置（収音位置）５０４：高さ１.２ｍ、被測定機器５０１端面からの水平距離１ｍ（１±０.０３ｍ）、幅方向は機器中央位置
・録音方向…前面（画像形成装置の操作部５０２がある面）、後面、左右面の４方向
・録音モード…ＦＦ（フリー・フィールド：無響室用）
・ＨＰフィルタ…２２Ｈｚ
【０１４７】
なお、ダミーヘッドの高さを１.２ｍとしたのは、最近の画像形成装置の利用の仕方として、ユーザが着席した状態でパーソナルコンピュータ等から指示を出すケースが多いことを考慮したものである。もちろん、人間が立っている状態を考慮して１.５ｍの高さにダミーヘッドを設置してもよい。
【０１４８】
ところで、画像形成装置が発する音は、方向ごとに異なるのが通常である。種々のモータの配置位置や、用紙の搬送経路、排紙口の位置などが装置中心にあるわけではなく、分散配置されているからである。よって、ある音源（モータ等）が発する音は右面側ではよく聞こえるが、左面側ではよく聞こえないといったように各方向ごとに採取される音も異なるものとなる。後述する実験に使用する供試音はどの方向で採取したものであってもよいが、一対比較実験を行う際にはいずれか１つの方向で採取したものに統一する必要がある。そこで、本実験では、前面側においてユーザが最も聞く機会が多いであろうと考えられる一方で、通常画像形成装置の後面側は壁にあわせて設置されるため、後面側の音を聞く機会がほとんどないと考えられるので、前面側で採取したものを供試音として利用することとした。
【０１４９】
（２）動作音の分析
次に、上述したように採取した画像形成装置の動作音の分析を行った。
まず、複数モードを持つ画像形成装置として後述するカラープリンタ１００に対して、カラー２８ｐｐｍ時、つまり印刷速度が２８ｐｐｍで動作したときの騒音を分析すると、図３に示すような分析結果が得られた。図３の上側は時間軸上において、採取した音を表現したものであり、図３の下側は周波数軸上において、採取した音を表現したものである。なお、本明細書において「ｐｐｍ」は、Ａ４横サイズの用紙の１分あたりの出力枚数である。
【０１５０】
この結果から、７つの主要な音源を抽出した。まず、時間軸上で定着ユニット５０の定着オイル塗布衝撃音を抽出した。そして、周波数軸上では、カラー現像駆動系音、給紙ステッピングモータ音、帯電音、ドラム駆動ステッピングモータ音、ポリゴンミラーモータ音、用紙摺動音を抽出した。
【０１５１】
カラー１４ｐｐｍ時、つまり印刷速度が１４ｐｐｍで動作したときの騒音を分析すると、図４に示すような分析結果が得られた。図４の上側は時間軸上において、採取した音を表現したものであり、図４の下側は周波数軸上において、採取した音を表現したものである。この結果から、主要な音源として、時間軸上では定着オイル塗布衝撃音を抽出し、周波数軸上では給紙ステッピングモータ音、帯電音、ドラム駆動モータ音、ポリゴンミラーモータ音、用紙摺動音を抽出した。
【０１５２】
モノクロ３８ｐｐｍ時、つまり印刷速度３８ｐｐｍで動作したときの騒音を分析すると、図５に示すような分析結果が得られた。図５の上側は時間軸上において、採取した音を表したものであり、図５の下側は周波数軸上において、採取した音を表したものである。この結果から、主要な音源として、時間軸上では定着オイル塗布衝撃音を抽出し、周波数軸上では、現像駆動系音、帯電音、ドラム駆動ステッピングモータ音、用紙摺動音を抽出した。
【０１５３】
次に、卓上型（デスクトップ）画像形成装置として後述するモノクロプリンタ２００（２０ｐｐｍ）が動作したときの騒音を分析すると、図６に示すような分析結果が得られた。図６の上側は時間軸上において、採取した音を表現したものであり、図６の下側は周波数軸上において、採取した音を表現したものである。この結果から、主要な音源として、時間軸上では金属（クラッチ・ソレノイド）衝撃音と紙衝撃音を抽出し、周波数軸上ではメインモータ音、ＡＣ帯電音を抽出した。
【０１５４】
次に、中速の画像形成装置として後述する胴内排紙型複写機３００（２７ｐｐｍ）が動作したときの騒音を分析すると、図７に示すような分析結果が得られた。図７の上側は時間軸上において、採取した音を表現したものであり、図７の下側は周波数軸上において、採取した音を表現したものである。この結果から、主要な音源として、時間軸上では給紙音と金属（クラッチ・ソレノイド）衝撃音を抽出し、周波数軸上ではメインモータ音、給紙音、紙摺動音を抽出した。
【０１５５】
次に、大型（コンソール型）画像形成装置として後述するＡＤＦ付複写機４００（６５ｐｐｍ）が動作したときの騒音を分析すると、図８に示すような分析結果が得られた。図８の上側は時間軸上において、採取した音を表現したものであり、図８の下側は周波数軸上において、採取した音を表現したものである。この結果から、主要な音源として、時間軸上では紙衝撃音と金属（クラッチ・ソレノイド）衝撃音を抽出し、周波数軸上では紙衝撃音、バンクモータ音、現像モータ音、メインモータ音、紙摺動音を抽出した。
【０１５６】
（３）採取した動作音から供試音の作成
次に、上述したように機器前面側の位置で採取した音をヘッドアコースティックス社製の音質解析ソフトウェアである「ArtemiS」を利用し、採取した音の加工を行った。
【０１５７】
本実験において行った音の加工方法としては、採取した原音から印刷動作１サイクル期間中の音を切り出した。そして、１サイクル期間中の音のうち、上述したように抽出した主要音源に関する部分に対して周波数軸上または時間軸上でフィルタ処理を施し、これらの部分を減衰または強調する処理を行った。すなわち、１つのモードで抽出された音源の音につき３つの水準の音（強調・原音・減衰）を作成した。作成した供試音を被験者に提示する場合、１サイクルの音を聞かせたのでは時間が短すぎて判定が難しいので数サイクルの音にして提示を行なう。
【０１５８】
なお、上述したように画像形成装置の前後左右側で採取される音は各々異なるが、このような４方向の音から得られる心理音響パラメータ値の範囲よりも、本実験で作成した前面側で採取した音を強調、減衰して得られる３つの供試音から得られる心理音響パラメータ値の範囲の方が広いことが確認されている。すなわち、本実験のように前面側で採取した音を強調、減衰して得られる３つの音を用いて主観的評価実験を行うことで、４方向で採取した音から得られる音の特性をカバーする音質評価式が得られることになり、当該音質評価式により４方向における不快さを算出することもできる。
【０１５９】
以上のように前面側で採取した音を元に、画像形成装置ごとに抽出した主要音源の発する音から３つの水準の音（強調、原音、減衰）を作成すると、各画像形成時に発生する音について抽出した音源の水準が異なる組み合わせをＬ９直行表に基づいて９音作成した。シェッフェの一対比較法（浦の変法）では、供試音の総当りの組合わせで比較実験を行う必要があるので、９音の場合、比較順序を考慮し、かつ一人の被験者が一回ずつ７２通りの比較を行なった。
【０１６０】
まず、複数モードを有する画像形成装置について説明する。表１，２，３，４は複数モードを有する画像形成装置（カラープリンタ１００）のそれぞれのモード時に関する説明である。ここで、表１は複数モードを有する画像形成装置のカラー２８ｐｐｍ時、つまり印刷速度２８ｐｐｍで動作したときに採取された音から抽出された主要音源（７つ）について作成した３水準の音を、Ｌ９直行表に基づいて割り付けて９つの供試音を作成した結果を示す。このように直行表に割り付けるとこで、各因子（音源の水準変化）間に相関がないため、他の因子の変化を無視して分析が可能となる。
【０１６１】
【表１】
2006214911.tif 000005
【０１６２】
上記表１（以下の表も同様）において、「−１」は音をほぼ聞こえなくなるまで減衰して作成した音であり、「０」は原音そのままのレベルの音であり、「１」は原音と比較してレベルの違いがはっきりとわかるまで強調した音である。例えば、表１における供試音「カラー２８ｐｐｍ(9)」は、すべての音源について「０」がついているので、すべてが原音のままであることを示す。
【０１６３】
なお、表１〜表８においては、シェッフェの一対比較法（浦の変法）により得られた各供試音の主観評価値（評点）を併記している。なお、表１〜表８の主観評価値の合計（９音の合計）はそれぞれの表の中で０になる様に設定されている。
【０１６４】
次に、表２はカラー１４ｐｐｍ時、つまり印刷速度１４ｐｐｍで動作したときに採取された音から抽出された主要音源（６つ）について作成した３水準の音を、Ｌ９直行表に基づいて割り付けた結果を示す。ただし、帯電音、ドラム駆動ステッピングモータ音、ポリゴンミラーモータ音は、同じトーナリティ成分の音であるため、各々の供試音について同水準のレベルとした。給紙ステッピングモータ音もトーナリティ成分であるが、これについては間欠的に発生する音であるため、上記のモータ音とは個別に水準を振ることとした。
【０１６５】
【表２】
2006214911.tif 000006
【０１６６】
また、表３はモノクロ３８ｐｐｍ時、つまり印刷速度３８ｐｐｍで動作したときに採取された音から抽出された主要音源（５つ）について作成した３水準の音を、Ｌ９直行表に基づいて割り付けた結果を示す。ただし、帯電音およびドラム駆動ステッピングモータ音は同じトーナリティ成分の音であるため、各々の供試音について同水準のレベルとした。
【０１６７】
【表３】
2006214911.tif 000007
【０１６８】
また、本実験においては、上記３つのモードを混合したときに前面で採取された音から得られる、心理音響パラメータであるラウドネス値、シャープネス値、トーナリティ値およびインパルシブネス値から３つの水準の音（強調、原音、減衰）を作成し、これらの音をＬ９直行表に基づいて割り付けて供試音を作成した。その結果を表４に示す。
【０１６９】
【表４】
2006214911.tif 000008
【０１７０】
なお、ラウドネス値の割り付けについては、モノクロ３８ｐｐｍについては強調したものを、カラー２８ｐｐｍについては中間のものを、カラー１４ｐｐｍについては減衰したものをそれぞれ割り付けることとした。すなわち、印刷速度に応じてラウドネスの各水準値を割り付けた。また、表中のかっこ内の数値は、各々のパラメータ値を示している。本実験では印刷速度（ｐｐｍ）がどのような影響を与えるか、つまり印刷速度の効果についても確認を行うため、印刷速度とラウドネス値が完全に比例して変化するようではその効果を分析できない。したがって、表４に示すように、ラウドネス値は同じ水準であっても１（ｓｏｎｅ）程度の差をつけ、聞こえの大きさの違いがでるようにした。
【０１７１】
同様に、他の速度の画像形成装置においても同様の作業を行なった。
表５はモノクロ２０ｐｐｍで動作したときに採取された音から抽出された主要音源（３つ）について作成した３水準の音を、Ｌ９直行表に基づいて割り付けた結果を示す。
【０１７２】
【表５】
2006214911.tif 000009
【０１７３】
表６はモノクロ２７ｐｐｍで動作したときに採取された音から抽出された主要音源（４つ）について作成した３水準の音を、Ｌ９直行表に基づいて割り付けた結果を示す。
【０１７４】
【表６】
2006214911.tif 000010
【０１７５】
表７はモノクロ６５ｐｐｍで動作したときに採取された音から抽出された主要音源（６つ）について作成した３水準の音を、Ｌ９直行表に基づいて割り付けた結果を示す。
【０１７６】
【表７】
2006214911.tif 000011
【０１７７】
また、本実験においては、上記モノクロ機の３つの速度を混合したときに前面で採取された音から得られる、心理音響パラメータであるラウドネス値、シャープネス値、トーナリティ値およびインパルシブネス値から３つの水準の音（強調、原音、減衰）を作成し、これらの音をＬ９直行表に基づいて割り付けて供試音を作成した。その結果を表８に示す。
【０１７８】
【表８】
2006214911.tif 000012
【０１７９】
さらには、複数モード（カラー１４ｐｐｍ，カラー２８ｐｐｍ，モノクロ３８ｐｐｍ）を持つ画像形成装置に関係する６音と、モノクロの単独モードを持つ画像形成装置の６音とを比較した。その１２音を表９に示す。
【０１８０】
【表９】
2006214911.tif 000013
【０１８１】
以上が採取した動作音から供試音を作成し、実験を組む過程の詳細である。
（４）供試音の心理音響パラメータの測定
次に、上述したように作成した供試音について、上記ヘッドアコースティックス社製の音質解析ソフトウェア「ArtemiS」を用い心理音響パラメータを求めた。この音質解析ソフトウェアでは、心理音響パラメータを求める際に、様々な設定を選択することができるのであるが、今回の実験ではデフォルトの設定を採用した。
【０１８２】
例えば、ラウドネスについては「Caluculation method」として「FFT/ISO0532」，「Filter/ISO0532」及び「FFT/HEAD」が選択できるが、デフォルトの「FFT/ISO0532」を採用し、「Spectrum Size」はデフォルトの「４０９６」で行った。シャープネスについては、「Caluculation method」はデフォルトの「FFT/ISO532」を採用し、「Sharpness method」は、「Aures」，「von Bismarck」のうち、デフォルトの「Aures」を採用した。「Spectrum Size」はデフォルトの「４０９６」で行なった。他の心理音響パラメータはラウドネスと相関があり、ラウドネスの設定によって自動的に変化する。
【０１８３】
以上のように設定した音質解析ソフトウェアを用い、上記（３）の過程で作成した供試音の心理音響パラメータ値を求めた。その結果を表１０に示す。なお、表１０の結果は、ＰＰＭ値は小数点以下第一位で、それ以外は小数点以下第二位で四捨五入した結果である。
【０１８４】
【表１０】
2006214911.tif 000014
【０１８５】
（５）機種またはモードごとの供試音による一対比較法実験（シェッフェの一対比較法  浦の変法）
次に、上記のように作成した供試音を評価してもらう被験者を集め、被験者に各機種またはモード（表１〜９）ごとに作成した供試音(1)〜(9)（表９のみ供試音(1)〜(12)）を一対比較してどちらが不快であるかを判定させた。
【０１８６】
かかる比較実験の際、９つの供試音から２つの供試音のすべての組み合わせを抽出し、Ｎ人の被験者が組み合わせのすべてを比較する。すなわち、１つのモードで９つの供試音があるわけであるから、７２通りの組み合わせがあり、これらについて被験者に比較をさせる。したがって、供試音(1)と供試音(2)という組み合わせについての評価と、供試音(2)と供試音(1)という組み合わせについての評価は別であり、このように聞く順序が異なる組み合わせについても実験対象となる。
【０１８７】
そして、この比較では、例えば供試音(1)と供試音(2)とを比較し、その被験者が供試音(1)を不快と評価した場合には「１点」、供試音(2)が不快であった場合には「−１点」とし、結果を集計して統計処理を行った結果、９つの供試音に対して−１〜１の範囲で相対的な主観評価値を得た。なお、かかる主観評価値は表１〜表４に併記している。上記のような評価を行っているので、この主観評価値は大きい方が不快であることを意味する。
【０１８８】
表９の組合わせについては、１２音の総当りの一対比較を行なうと実験規模が大きくなるので、この実験では複数モードを持つ画像形成装置の音同士、モノクロ単独モードの画像形成装置の音同士については、他の実験で行なっているので行なわなかった（下記の表の群Iと群III，群IIと群IVの比較は実施せず）。
【０１８９】
つまり、(1)群Iと群II，(2)群Iと群IV，(3)群IIと群III，(4)群IIIと群IVの比較だけを実施した。比較順序を考慮し、かつ一人の被験者が一回ずつ７２通りの比較を行なった。総当りの一対比較ではないので１２音の相対的な評点の算出はできないが、２音の不快さの差データは得られる。
【０１９０】
（６）不快音源の特定
次に、不快音源の特定を、「カラー２８ｐｐｍ」，「カラー１４ｐｐｍ」及び「モノクロ３８ｐｐｍ」，「モノクロ２０ｐｐｍ」，「モノクロ２７ｐｐｍ」，「モノクロ６５ｐｐｍ」の６ つの稼働音について実施した実験結果ごとに行った。ここで、図９〜図２３は、表１〜表３に示される各音源の水準（強調、原音、減衰）と、主観評価値との関係をグラフに示したものである。
【０１９１】
また、図２４〜２７は表５について、図２８〜３１は表６について、図３２〜図３７は表７について示されている各音源の水準（強調、原音、減衰）と、主観評価値との関係をグラフに示したものである。
【０１９２】
これらのグラフにおいては、縦軸は主観評価値αであり、上にいくほど不快であることを意味する。グラフの横軸は音源の水準、つまり音圧レベル水準であり、「−１」は音源を減衰、「０」は原音のまま、「＋１」は音源を強調したものである。
【０１９３】
また、各図中の「Ｒ２」は寄与率であり、「Ｒ」は相関関数である。ここで、寄与率とは、不快さに対してその音源が何パーセント寄与しているかを示すものである。図１１に示す結果の場合、定着オイル塗布衝撃音が不快さに５１％寄与していることを示す。すなわち、音源のレベル変化と、主観評価値（不快さ）の変化の相関が高ければ、寄与率は大きくなるのである。なお、１つのモードにおける各音源の寄与率の合計は１００％になるが、四捨五入等の関係で正確に１００％になっていないものもある。
【０１９４】
まず、複数モードを有する画像形成装置（カラープリンタ１００）の不快音源を調べる。
図９〜図１５に示される「カラー２８ｐｐｍ」の各音源の寄与率を参照すると、カラー現像駆動音系、給紙ステッピングモータ音、帯電音、ポリゴンミラーモータ音はほとんど不快さに寄与していないことがわかる。しかし、後の分析により、給紙ステッピングモータ音、帯電音、ポリゴンミラーモータ音の３音源はトーナリティ（純音）成分と関係が強く、実際には不快だが、純音の周波数が近い場合は同時に対策しないとあまり不快さが改善されないことがわかった。
【０１９５】
したがって、他のモードでは、これらの音源については各供試音で同一水準とすることにした（上記（３）の過程および表２、表３参照）。このため、音源のうち、カラー現像駆動音のみが不快さにほとんど寄与していないので騒音対策の必要がないと考えられる。ただし、音響パワーレベルによる評価では改善が必要な場合もある。
【０１９６】
一方、「カラー２８ｐｐｍ」において最も不快さに寄与しているのは、定着オイル塗布衝撃音であり、その次に寄与しているのは用紙摺動音である。
図１６〜図１９に示される「カラー１４ｐｐｍ」の不快音源分析結果によると、定着オイル塗布衝撃音４３％、用紙摺動音３５％、給紙ステッピングモータ音１７％、帯電音、ポリゴンミラーモータ音およびドラム駆動モータ音の３ 音源の合計が３％であった。
【０１９７】
図２０〜図２３に示される「モノクロ３８ｐｐｍ」の不快音源分析結果によると、定着オイル塗布衝撃音４３％、用紙摺動音３５％、帯電音とドラム駆動モータ音の合計が１０％、現像駆動音系は３％であった。
【０１９８】
以上のような分析結果からは、複数モードを有する画像形成装置においては、現像駆動系の音以外の音源は不快さに寄与しており、これらの音源について騒音対策を施せば不快さを軽減できることがわかる。
【０１９９】
次に、卓上型（デスクトップ）画像形成装置（モノクロプリンタ２００）の不快音源を調べる。
本装置については目立つ音源が少ないため、水準を振る因子の一つをラウドネスで代用して行なった。図２４〜図２７に示される「モノクロ２０ｐｐｍ」の各音源の寄与率を参照すると、ラウドネスの影響が大きく、各音源の不快さについては正確には分からなかった。全体的な聞こえの大きさを小さくすることが不快さの低減につながる事が分かった。
【０２００】
次に、中速の画像形成装置（胴内排紙型複写機３００）の不快音源を調べる。
図２８〜図３１に示される「モノクロ２７ｐｐｍ」の各音源の寄与率を参照すると、給紙音９％、紙摺動音６１％、金属衝撃音１３％、モータ駆動系音１％であった。中速の画像形成装置においては、紙摺動音、金属衝撃音は不快さに寄与しており、これらの音源について騒音対策を施せば不快さを軽減させることができることがわかる。
【０２０１】
次に、大型（コンソール型）画像形成装置（ＡＤＦ付複写機４００）の不快音源を調べる。
図３２〜図３７に示される「モノクロ６５ｐｐｍ」の各音源の寄与率を参照すると、金属衝撃音２９％、紙摺動音４２％、紙衝撃音０％、バンクモータ音３％、現像モータ音１０％、メインモータ音１％であった。大型（コンソール型）画像形成装置においては、金属衝撃音、紙摺動音は不快さに寄与しており、これらの音源について騒音対策を施せば不快さを軽減させることができることがわかる。
【０２０２】
（７）差モデルの分析データ作成
次に、上記（５）の一対比較法実験により取得した実験結果を用い、２音を比較したときにそれぞれの音を不快に感じる確率を求める。より具体的には、Ａ音（先に提示した音）と、Ｂ音（後に提示した音）を比較し、不快に感じた音の人数を全被験者数で割った値を算出する。例えば、被験者が４０人であった場合において、Ａ音（先提示音）とＢ音（後提示音）を比較して、Ａ音が不快であると判断した人が３０人、Ｂ音が不快であると判断した人が１０人であるとすると、このときのＡ音およびＢ音を不快に感じる確率をそれぞれ以下のように求める。
Ａ音不快確率＝３０／４０、Ｂ音不快確率＝１０／４０
【０２０３】
以上のように算出した評点の差と心理音響パラメータ値との差の結果（差モデルの分析データ）の一部を表１１に示す。表１１は「カラー28ppm(1)〜(9)」の供試音についての結果の一部である。
【０２０４】
【表１１】
2006214911.tif 000015
【０２０５】
このような主観評価値の差の算出と、心理音響パラメータの差、つまり上記例では供試音(1)と供試音(2)の心理音響パラメータ値（表１０参照）の差とを、すべての供試音の組み合わせ（１実験あたり７２通り、表１〜９の９つの実験の計６４８通りと、その他の機械を用いて実験した５６通りの比較があるため総計７０４通り）を算出する。
【０２０６】
ここで、一対比較の結果で、一方を全員が不快とした比較は差が人間の感覚をスケールオーバーしたということで、ロジスティック回帰分析の対象からはずした。よって、６０６通りの比較について分析を行なった。
【０２０７】
（８）２音間の不快確率を予測する式を導出
次に、上述した（７）の過程において求めた２音の不快確率と、音の物理量（心理音響パラメータ）の差とを用い、多重ロジスティック回帰分析を行った。
【０２０８】
多重ロジスティック回帰分析は、統計解析ソフトウェア「ＪＭＰ（ＳＡＳ Ｉｎｓｔｉｔｕｔｅ Ｉｎｃ の登録商標）」または「ＳＰＳＳ （ＳＰＳＳ Ｉｎｃの登録商標）」等を利用して行なうことができる。上記表１１のデータ（不快確率および心理音響パラメータ値の差等）を、「ＪＭＰ 」に入力し、説明変数（心理音響パラメータ値の差）を選択しながら分析を実行することにより、ロジスティック回帰係数や選択した説明係数のp値や式の寄与率等の統計的な結果がアウトプットされる。ここで、p値は有意差検定の確率のことであり、５％以下で有意、５％以上で有意でない（関係ない）と判断する。
【０２０９】
今回は、差のモデルであるので、切片を０に固定し、統計解析ソフト『JMP バージョン５Ｊ』によって有意な心理音響パラメータを選択した。変数選択の結果、音圧レベル，ラウドネス，シャープネス，トーナリティ，インパルシブネスが選択された。
【０２１０】
また、これらの物理量の交互作用は、有意なものもあるが、結果に１〜２％しか影響しないことを確認したため、考慮しないことにした。変数として選択した５つの心理音響パラメータの回帰係数を表１２に示す。
【０２１１】
【表１２】
2006214911.tif 000016
【０２１２】
回帰係数の値はいずれも正であるため、パラメータ値の差が正方向に大きくなればなるほど、不快確率も大きくなることがわかる。
上記の多重ロジスティック回帰分析の結果を用い、前出の式（６）のexp内が以下の−ｚとなるモデル式を作成した。
【０２１３】
すなわち、式（６）のexpの中身を−ｚとすると次の式（８）のようになる。
【数４】
2006214911.tif 000017
【０２１４】
以上のようにして２つの音の心理音響パラメータ値を代入することにより、２音を比較した時の不快確率を算出できる音質評価式が導出できた。
ここで、図３８に一対の２音を比較したときの不快確率の実測値と、上記モデル式を用いて導出した予測値との散布図を示す。この場合、寄与率は８４％であった。
【０２１５】
（９）決定木作成と層別
上記結果は、一対比較の結果を、１つの集団として取り扱って多重ロジスティック回帰分析を行なったものである。
【０２１６】
本発明では一対比較の結果について、そのロジットｚを目的Ｙ，音響物理量の差を因子群Ｘとして決定木を作成して層別し、各層ごとに多重ロジスティック回帰分析を行なって不快さの予測精度を向上させる。
【０２１７】
つまり、供試音の一対比較結果に対して、音響物理量の差データから層別（条件によって場合分け）して、条件ごとに音質評価式を変えることにより不快さの予測精度を向上させる。式としては以下の式（ｆ）の形になる。
【数１】
2006214911.tif 000018
【０２１８】
ロジットｚは、前出の如く
ｚ＝ｌｎ（ｐ）−ｌｎ（１−ｐ）＝ｌｎ（ｐ／１−ｐ）………式（７）
なので、表１１のデータを用いてロジットｚを計算する。
【０２１９】
図３９は、決定木の作成結果である。
統計解析ソフトウェア「ＪＭＰ（SAS Institute Inc の登録商標）」のパーティショニング機能を用い、目的変数にロジットｚ、因子群Ｘに音響物理量の差（説明変数）を入れて決定木を作成した。決定木は『ＪＭＰ』に変数を入力すると自動的に作成されるのではなく、対話式に１つづつ分岐を行なって作成を行なう。最良分岐あるいは、分岐変数の指定を行なって分岐することができる。
【０２２０】
図３９では、最終的に９つの層別を行なった。これ以上の層別も可能だが、細かく層別し過ぎると、１つの層の度数が小さくなりすぎてモデルとして不適当である。最初の分岐では、全体を音圧レベル値の差−１．３（ｄＢ）で分岐した。音圧レベル値の差−１．３（ｄＢ）ということは、一対比較時に前に提示された音より、後に提示された音の方が１．３（ｄＢ）大きいということである。この場合、後提示の音の方が不快になる。つまり、概ね一対比較の結果で、音圧レベルの大小によってどちらが不快か決定する。
【０２２１】
ここで、なぜ音圧レベル値の差：０で分岐されないかということだが、音圧レベル値の差がほとんどない音の比較の場合、音圧レベル値が低い方の音の場合でも、他のパラメータの影響で不快になる場合があるので、真ん中の０で分岐しないと考えられる。この様にして次々と分岐させた。
【０２２２】
なお、一対比較で不快確率を出す場合、例えば前提示（２０％）と後提示（８０％）というように、合計して１００％となる。本実施形態の場合、後提示の音の不快確率を予測するということで計算を行なった。
【０２２３】
９つの層別の内容を次の表１３に示す。
【表１３】
2006214911.tif 000019
【０２２４】
値を入力すると、どの層になるのかは、ＪＭＰによって式が導出され、計算可能である。
【０２２５】
（10）各層の差モデル式導出
データが９つの層に分割できたので、層ごとに多重ロジスティック回帰分析を行なった。その結果を以下の表１４〜表２２に示す。
なお、表１４〜表２２に示すように、回帰分析結果としては、選択した音響物理量の回帰係数に加え、９５％以上の信頼性をもつ回帰係数の上限値および下限値（つまり、９５％以上の信頼性をもつ偏回帰係数の範囲）も含まれている。これらの上限値および下限値は、偏回帰係数の推定値に、それぞれ対応する標準偏差の約２倍の値（２σ）を±したものである。また、回帰係数の値はいずれも正であるため、パラメータ値の差が正方向に大きくなればなるほど、不快確率も大きくなることがわかる。
【０２２６】
【表１４】
2006214911.tif 000020
【０２２７】
【表１５】
2006214911.tif 000021
【０２２８】
【表１６】
2006214911.tif 000022
【０２２９】
【表１７】
2006214911.tif 000023
【０２３０】
【表１８】
2006214911.tif 000024
【０２３１】
【表１９】
2006214911.tif 000025
【０２３２】
【表２０】
2006214911.tif 000026
【０２３３】
【表２１】
2006214911.tif 000027
【０２３４】
【表２２】
2006214911.tif 000028
【０２３５】
各層ごとの上記の多重ロジスティック回帰分析の結果を用い、式（６）のexp 内が以下の−ｚとなるモデル式（ｉ）を作成した。
【０２３６】
［式（ｉ）］
Ｐ＝１／（１＋exp（−ｚ））
if  Ｉ層（層平均値：−0.851538）⇒
ｚ＝＋0.21555107×（ｘ音圧レベルi−ｘ音圧レベルj）
＋0.17832089×（ｘラウドネスi−ｘラウドネスj）
＋1.03626251×（ｘシャープネスi−ｘシャープネスj）
＋5.86411143×（ｘトーナリティi−ｘトーナリティj）
＋2.49831660×（ｘインパルシブネスi−ｘインパルシブネスj）
if  II層（層平均値：−0.0706261）⇒ 
ｚ＝＋0.29415304×（ｘ音圧レベルi−ｘ音圧レベルj）
＋0.46277236×（ｘラウドネスi−ｘラウドネスj）
＋1.12479939×（ｘシャープネスi−ｘシャープネスj）
＋8.40500668×（ｘトーナリティi−ｘトーナリティj）
＋3.37198180×（ｘインパルシブネスi−ｘインパルシブネスj）
if  III層（層平均値：0.5523788）⇒ 
ｚ＝＋0.12767865×（ｘ音圧レベルi−ｘ音圧レベルj）
＋0.43878495×（ｘラウドネスi−ｘラウドネスj）
＋1.16681535×（ｘシャープネスi−ｘシャープネスj）
＋3.08130910×（ｘインパルシブネスi−ｘインパルシブネスj）
if  IV層（層平均値：0.58948295）⇒ 
ｚ＝＋0.63535348×（ｘラウドネスi−ｘラウドネスj）
＋0.92869305×（ｘシャープネスi−ｘシャープネスj）
＋5.49307973×（ｘトーナリティi−ｘトーナリティj）
＋3.82174749×（ｘインパルシブネスi−ｘインパルシブネスj）
if  Ｖ層（層平均値：0.69003038）⇒ 
ｚ＝＋0.91968054×（ｘラウドネスi−ｘラウドネスj）
＋0.78312761×（ｘシャープネスi−ｘシャープネスj）
＋5.29399995×（ｘトーナリティi−ｘトーナリティj）
＋5.08602977×（ｘインパルシブネスi−ｘインパルシブネスj）
if  VI層（層平均値：1.12069926）⇒ 
ｚ＝＋0.24159805×（ｘ音圧レベルi−ｘ音圧レベルj）
＋0.40793206×（ｘラウドネスi−ｘラウドネスj）
＋1.23702636×（ｘシャープネスi−ｘシャープネスj）
＋5.38364801×（ｘトーナリティi−ｘトーナリティj）
＋3.54994177×（ｘインパルシブネスi−ｘインパルシブネスj）
if  VII層（層平均値：1.70518814）⇒ 
ｚ＝＋0.63307170×（ｘ音圧レベルi−ｘ音圧レベルj）
＋0.52423191×（ｘラウドネスi−ｘラウドネスj）
＋2.16581638×（ｘシャープネスi−ｘシャープネスj）
＋11.83662780×（ｘトーナリティi−ｘトーナリティj）
＋2.45003365×（ｘインパルシブネスi−ｘインパルシブネスj）
＋10.23925380×（ｘF.ストレングスi−ｘF.ストレングスj）
if  VIII層（層平均値：2.24648746）⇒
ｚ＝＋0.19307892×（ｘ音圧レベルi−ｘ音圧レベルj）
＋0.47512151×（ｘラウドネスi−ｘラウドネスj）
＋1.50392757×（ｘシャープネスi−ｘシャープネスj）
＋7.28249947×（ｘトーナリティi−ｘトーナリティj）
＋3.52318670×（ｘインパルシブネスi−ｘインパルシブネスj）
if  IX層（層平均値：2.37734355）⇒ 
ｚ＝＋0.31764449×（ｘ音圧レベルi−ｘ音圧レベルj）
＋0.71962000×（ｘシャープネスi−ｘシャープネスj）
＋2.86942452×（ｘトーナリティi−ｘトーナリティj）
＋2.02961962×（ｘインパルシブネスi−ｘインパルシブネスj）
・・・・・・・（ｉ）
【０２３７】
以上のようにして２つの音の心理音響パラメータ値を代入することにより、２音を比較した時の不快確率を算出できる非線形式が導出できた。
【０２３８】
ここで、図４０に一対の２音を比較したときの不快確率の実測値と、上記モデル式を用いて導出した予測値との散布図を示す。図示のように、不快さの寄与率も８６％と高く、決定木を用いずに単一の多重ロジスティック回帰分析を行なった式（６）よりも精度が上がっている。よって、このモデル式の信頼性が高いことがわかる。
【０２３９】
（11）音の不快確率を予測する音質評価式の導出
上記のように導出したモデルでは、２音を比較したときの不快確率を予測することができるが、音質評価において最終的に必要となるのは単独の音の不快確率である。そこで、以下のようにして、上記２音を比較したときの不快確率を予測するモデルから、取り出したある１つの音に対して母集団の中での相対的な不快確率を求めることができる音質評価式を導出した。
【０２４０】
まず、上記（ｉ）式の各層の式において、各心理音響パラメータとして実験に使用した以下のような各供試音の全体平均値（表１０参照）を代入して、そのときの不快確率ｐ＝０.５ 、つまり各パラメータ値が平均的である場合の音を、母集団のその他の音と比較した場合の不快確率を５０％と定義した。
【０２４１】
これをＩ〜IXの各層ごとに計算する。
各音響物理量の全体平均値は、表１０より、以下の通りである。
ｘ音圧レベル０＝53.15
ｘラウドネス０＝7.71
ｘシャープネス０＝2.31
ｘトーナリティ０＝0.10
ｘインパルシブネス０＝0.55
ｘＦ．ストレングス０＝0.06
Ｉ層は、
0.5＝1/｛1+exp（−［＋0.21555107（音圧レベルi−53.15）
＋0.17832089（ラウドネス値i−7.71）
＋1.03626251（シャープネス値i−2.31）
＋5.86411143（トーナリティ値i−0.10）
＋2.49831660（インパルシブネス値i−0.55）］｝
【０２４２】
となる。この場合、上記の式に母集団の音響物理量の平均値を入れてやった場合は、exp（0）となり、
exp（0）＝１
であるから、
０.５＝１／（１＋１）
となる。
【０２４３】
各層ともこの様な考え方で式を変換すればよい。なおＩ〜IX層ごとの各音響物理量に対する回帰係数を次の表２３にまとめた。有意でなかった係数は空欄になっている。
【０２４４】
【表２３】
2006214911.tif 000029
【０２４５】
なお、単独の音の層別は以下のような考え方で行なう。
差モデルでは、供試音の一対比較時の各音響物理量の差の値を用いて、Ｉ〜IX層のどこに層別するか決定を行なった。相対モデルでは、評価したい音の不快確率を、母集団の物理量の平均値（＝不快確率５０％）と比較した場合として算出している。
【０２４６】
よって、この関係を利用し、評価したい音の音響物理量と、母集団の音響物理量の平均値との差を算出し、この値を表１３（表２４）に入力（計算）し、Ｉ〜IXのどこに層別するか決定する。つまり、以下の式（ｄ）のようになる。
【０２４７】
［式（ｄ）］
不快確率Ｐ＝１／（１＋exp（−ｚ））
【表２４】
2006214911.tif 000030
if  Ｉ層（層平均値：−0.851538）⇒
ｚ＝＋Ａ×（音圧レベル値−音圧レベル平均値）
＋Ｂ×（ラウドネス値−ラウドネス平均値）
＋Ｃ×（シャープネス値−シャープネス平均値）
＋Ｄ×（トーナリティ値−トーナリティ平均値）
＋Ｅ×（インパルシブネス値−インパルシブネス平均値）
＋Ｆ×（F.ストレングス値−F．ストレングス平均値）
Ａ＝0.21555107
Ｂ＝0.17832089
Ｃ＝1.03626251
Ｄ＝5.86411143
Ｅ＝2.49831660
Ｆ＝0
if  II層（層平均値：−0.0706261）⇒
ｚ＝＋Ａ×（音圧レベル値−音圧レベル平均値）
＋Ｂ×（ラウドネス値−ラウドネス平均値）
＋Ｃ×（シャープネス値−シャープネス平均値）
＋Ｄ×（トーナリティ値−トーナリティ平均値）
＋Ｅ×（インパルシブネス値−インパルシブネス平均値）
＋Ｆ×（F.ストレングス値−F．ストレングス平均値）
Ａ＝0.29415304
Ｂ＝ 0.46277236
Ｃ＝ 1.12479939
Ｄ＝ 8.40500668
Ｅ＝ 3.37198180
Ｆ＝0
if  III層（層平均値：0.5523788）⇒
ｚ＝＋Ａ×（音圧レベル値−音圧レベル平均値）
＋Ｂ×（ラウドネス値−ラウドネス平均値）
＋Ｃ×（シャープネス値−シャープネス平均値）
＋Ｄ×（トーナリティ値−トーナリティ平均値）
＋Ｅ×（インパルシブネス値−インパルシブネス平均値）
＋Ｆ×（F.ストレングス値−F．ストレングス平均値）
Ａ＝0.12767865
Ｂ＝0.43878495
Ｃ＝1.16681535
Ｄ＝0
Ｅ＝3.08130910
Ｆ＝0
if  IV層（層平均値：0.58948295）⇒
ｚ＝＋Ａ×（音圧レベル値−音圧レベル平均値）
＋Ｂ×（ラウドネス値−ラウドネス平均値）
＋Ｃ×（シャープネス値−シャープネス平均値）
＋Ｄ×（トーナリティ値−トーナリティ平均値）
＋Ｅ×（インパルシブネス値−インパルシブネス平均値）
＋Ｆ×（F.ストレングス値−F．ストレングス平均値）
Ａ＝0
Ｂ＝0.63535348
Ｃ＝0.92869305
Ｄ＝5.49307973
Ｅ＝3.82174749
Ｆ＝0
if  Ｖ層（層平均値：0.69003038）⇒
ｚ＝＋Ａ×（音圧レベル値−音圧レベル平均値）
＋Ｂ×（ラウドネス値−ラウドネス平均値）
＋Ｃ×（シャープネス値−シャープネス平均値）
＋Ｄ×（トーナリティ値−トーナリティ平均値）
＋Ｅ×（インパルシブネス値−インパルシブネス平均値）
＋Ｆ×（F.ストレングス値−F．ストレングス平均値）
Ａ＝0
Ｂ＝0.91968054
Ｃ＝0.78312761
Ｄ＝5.29399995
Ｅ＝5.08602977
Ｆ＝0
if  VI層（層平均値：1.12069926）⇒
ｚ＝＋Ａ×（音圧レベル値−音圧レベル平均値）
＋Ｂ×（ラウドネス値−ラウドネス平均値）
＋Ｃ×（シャープネス値−シャープネス平均値）
＋Ｄ×（トーナリティ値−トーナリティ平均値）
＋Ｅ×（インパルシブネス値−インパルシブネス平均値）
＋Ｆ×（F.ストレングス値−F．ストレングス平均値）
Ａ＝0.24159805
Ｂ＝0.40793206
Ｃ＝1.23702636
Ｄ＝5.38364801
Ｅ＝3.54994177
Ｆ＝0
if  VII層（層平均値：1.70518814）⇒
ｚ＝＋Ａ×（音圧レベル値−音圧レベル平均値）
＋Ｂ×（ラウドネス値−ラウドネス平均値）
＋Ｃ×（シャープネス値−シャープネス平均値）
＋Ｄ×（トーナリティ値−トーナリティ平均値）
＋Ｅ×（インパルシブネス値−インパルシブネス平均値）
＋Ｆ×（F.ストレングス値−F．ストレングス平均値）
Ａ＝0.63307170
Ｂ＝0.52423191
Ｃ＝2.16581638
Ｄ＝11.83662780
Ｅ＝2.45003365
Ｆ＝10.23925380
if  VIII層（層平均値：2.24648746）
ｚ＝＋Ａ×（音圧レベル値−音圧レベル平均値）
＋Ｂ×（ラウドネス値−ラウドネス平均値）
＋Ｃ×（シャープネス値−シャープネス平均値）
＋Ｄ×（トーナリティ値−トーナリティ平均値）
＋Ｅ×（インパルシブネス値−インパルシブネス平均値）
＋Ｆ×（F.ストレングス値−F．ストレングス平均値）
Ａ＝0.19307892
Ｂ＝0.47512151
Ｃ＝1.50392757
Ｄ＝7.28249947
Ｅ＝3.52318670
Ｆ＝0
if  IX層（層平均値：2.37734355）⇒
ｚ＝＋Ａ×（音圧レベル値−音圧レベル平均値）
＋Ｂ×（ラウドネス値−ラウドネス平均値）
＋Ｃ×（シャープネス値−シャープネス平均値）
＋Ｄ×（トーナリティ値−トーナリティ平均値）
＋Ｅ×（インパルシブネス値−インパルシブネス平均値）
＋Ｆ×（F.ストレングス値−F．ストレングス平均値）
Ａ＝0.31764449
Ｂ＝0
Ｃ＝0.71962000
Ｄ＝2.86942452
Ｅ＝2.02961962
Ｆ＝0
・・・・・・・・・・（ｄ）
【０２４８】
今回は、全データの平均値を基準値に使ったが、環境変化により基準値を変更することが可能である。また、改良前の画像形成装置の音から得られる心理音響パラメータ値を基準値として、改良後の画像形成装置の発する音の不快確率を算出することも可能である。
【０２４９】
以上のようにして導出された上記（ｄ）式は、平均値からのずれによる優劣の確率の変化を推定するものであり、音の物理量の平均値を入力した場合の確率は０.５ として計算している。この確率が大きくなるにつれて不快さが増すことになる。この音質評価式を用いることで確率Ｐが所定の確率以下になる心理音響パラメータの条件を求めることができる。
【０２５０】
また、上記（ｄ）式から、各音響物理量に対応する音の要素を低減すれば、つまり、(1)音圧レベルを小さくする、(2)聞こえの大きさを小さくする（ラウドネス）、(3)高周波成分を少なくする（シャープネス）、(4)純音成分を少なくする（トーナリティ）、(5)衝撃音を小さくする（インパルシブネス）、(6)変動強度（うなり感）を小さくすることにより不快さを低減させることができることがわかる。
【０２５１】
なお、従来のシェッフェの一対比較法（浦の変法）によって、複数の機種や複数のモードの供試音を全て実験するのは非常に困難である。シェッフェの一対比較法（浦の変法）では供試音の総当りの組合わせを一対比較する必要があるためである。
【０２５２】
例えば、今回の実施形態の様に、９音での供試音の実験が８通り、１２音の供試音での実験が１通りある。１２音の供試音での実験は、９音の実験の中から音を取りだして実験しているので、新たな供試音ではないので除くとして、供試音の数は、９×８＝７２である。
【０２５３】
つまり、７２音の総当り組合わせで一対比較をしなければならず、被験者一人が、７２×７１＝５１１２通りの比較をする必要がある。これは実質的に不可能である。実施例では、７２通りの比較実験を９通り行なっているので６４８通りの比較であり、桁違いに被験者の負荷は少ない。
【０２５４】
また、従来のシェッフェ法では、新たな供試音を組み込んで評価を行ないたい場合は、再び総当りの組合わせ実験が必要である。
ところが本実施形態の方法では、新しい機械の供試音（例えば９音）の総当りの組合わせで一対比較を行ない、その差データを、これまでのデータに加えて分析すればよい。本実施形態の方法は、差データによる音質評価式を求め、全体平均値を使って単独の音の音質評価式を導出するという２段階に分けて式を導出する必要があるが、以上の様な利点がある。
【０２５５】
なお、上記（８）で説明したように、表１４〜表２２に示す回帰分析結果として取得した９５％以上の信頼性をもつ回帰係数の範囲をとると、以下の式（ａ）が得られる。
【０２５６】
［式（ａ）］
不快確率Ｐ＝１／（１＋exp（−ｚ））
【表２４】
2006214911.tif 000031
if  Ｉ層（層平均値：−0.851538）⇒
ｚ＝＋Ａ×（音圧レベル値−音圧レベル平均値）
＋Ｂ×（ラウドネス値−ラウドネス平均値）
＋Ｃ×（シャープネス値−シャープネス平均値）
＋Ｄ×（トーナリティ値−トーナリティ平均値）
＋Ｅ×（インパルシブネス値−インパルシブネス平均値）
＋Ｆ×（F.ストレングス値−F．ストレングス平均値）
0.17459921 ≦Ａ ≦ 0.25650429
0.08954826 ≦Ｂ ≦ 0.26709314
0.87674777 ≦Ｃ ≦ 1.19578972
4.67553345 ≦Ｄ ≦ 7.05271429
2.04427886 ≦Ｅ ≦ 2.95236972
Ｆ＝０
if  II層（層平均値：−0.0706261）⇒
ｚ＝＋Ａ×（音圧レベル値−音圧レベル平均値）
＋Ｂ×（ラウドネス値−ラウドネス平均値）
＋Ｃ×（シャープネス値−シャープネス平均値）
＋Ｄ×（トーナリティ値−トーナリティ平均値）
＋Ｅ×（インパルシブネス値−インパルシブネス平均値）
＋Ｆ×（F.ストレングス値−F．ストレングス平均値）
0.17712057 ≦Ａ ≦ 0.41122376
0.34459228 ≦Ｂ ≦ 0.58256976
0.93882176 ≦Ｃ ≦ 1.31455684
6.57701754 ≦Ｄ ≦ 10.2722954
2.66553478 ≦Ｅ ≦ 4.09204697
Ｆ＝０
if  III層（層平均値：0.5523788）⇒
ｚ＝＋Ａ×（音圧レベル値−音圧レベル平均値）
＋Ｂ×（ラウドネス値−ラウドネス平均値）
＋Ｃ×（シャープネス値−シャープネス平均値）
＋Ｄ×（トーナリティ値−トーナリティ平均値）
＋Ｅ×（インパルシブネス値−インパルシブネス平均値）
＋Ｆ×（F.ストレングス値−F．ストレングス平均値）
0.05217947 ≦Ａ ≦ 0.20400871
0.29360137 ≦Ｂ ≦ 0.5873409
0.87202954 ≦Ｃ ≦ 1.46762402
Ｄ＝０
2.30105319 ≦Ｅ ≦ 3.88509254
Ｆ＝０
if  IV層（層平均値：0.58948295）⇒
ｚ＝＋Ａ×（音圧レベル値−音圧レベル平均値）
＋Ｂ×（ラウドネス値−ラウドネス平均値）
＋Ｃ×（シャープネス値−シャープネス平均値）
＋Ｄ×（トーナリティ値−トーナリティ平均値）
＋Ｅ×（インパルシブネス値−インパルシブネス平均値）
＋Ｆ×（F.ストレングス値−F．ストレングス平均値）
Ａ＝０
0.38508559 ≦Ｂ ≦ 0.89131794
0.47781725 ≦Ｃ ≦ 1.38759467
3.10067427 ≦Ｄ ≦ 7.94452001
2.67714335 ≦Ｅ ≦ 4.99843731
Ｆ＝０
if  Ｖ層（層平均値：0.69003038）⇒
ｚ＝＋Ａ×（音圧レベル値−音圧レベル平均値）
＋Ｂ×（ラウドネス値−ラウドネス平均値）
＋Ｃ×（シャープネス値−シャープネス平均値）
＋Ｄ×（トーナリティ値−トーナリティ平均値）
＋Ｅ×（インパルシブネス値−インパルシブネス平均値）
＋Ｆ×（F.ストレングス値−F．ストレングス平均値）
Ａ＝０
0.67510108 ≦Ｂ ≦ 1.17240664
0.36212612 ≦Ｃ ≦ 1.20868807
2.7784442  ≦Ｄ ≦ 7.85993889
4.069329   ≦Ｅ ≦ 6.14635806
Ｆ＝０
if  VI層（層平均値：1.12069926）⇒
ｚ＝＋Ａ×（音圧レベル値−音圧レベル平均値）
＋Ｂ×（ラウドネス値−ラウドネス平均値）
＋Ｃ×（シャープネス値−シャープネス平均値）
＋Ｄ×（トーナリティ値−トーナリティ平均値）
＋Ｅ×（インパルシブネス値−インパルシブネス平均値）
＋Ｆ×（F.ストレングス値−F．ストレングス平均値）
0.17865148 ≦Ａ ≦ 0.3052116
0.29877118 ≦Ｂ ≦ 0.51759447
1.00111197 ≦Ｃ ≦ 1.47539298
3.89613139 ≦Ｄ ≦ 6.87116467
2.97407435 ≦Ｅ ≦ 4.13523532
Ｆ＝０
if  VII層（層平均値：1.70518814）⇒
ｚ＝＋Ａ×（音圧レベル値−音圧レベル平均値）
＋Ｂ×（ラウドネス値−ラウドネス平均値）
＋Ｃ×（シャープネス値−シャープネス平均値）
＋Ｄ×（トーナリティ値−トーナリティ平均値）
＋Ｅ×（インパルシブネス値−インパルシブネス平均値）
＋Ｆ×（F.ストレングス値−F．ストレングス平均値）
0.39866582 ≦Ａ ≦ 0.87493076
0.34157505 ≦Ｂ ≦ 0.71116464
1.81139192 ≦Ｃ ≦ 2.53882546
7.76070427 ≦Ｄ ≦ 15.9726217
1.24131801 ≦Ｅ ≦ 3.69327198
5.1108143 ≦Ｆ ≦ 15.5038527
if  VIII層（層平均値：2.24648746）
ｚ＝＋Ａ×（音圧レベル値−音圧レベル平均値）
＋Ｂ×（ラウドネス値−ラウドネス平均値）
＋Ｃ×（シャープネス値−シャープネス平均値）
＋Ｄ×（トーナリティ値−トーナリティ平均値）
＋Ｅ×（インパルシブネス値−インパルシブネス平均値）
＋Ｆ×（F.ストレングス値−F．ストレングス平均値）
0.06562274 ≦Ａ ≦ 0.32355283
0.23370151 ≦Ｂ ≦ 0.71540287
1.00831861 ≦Ｃ ≦ 2.01396218
4.35252092 ≦Ｄ ≦ 10.2346432
2.47144678 ≦Ｅ ≦ 4.5862928
Ｆ＝０
if  IX層（層平均値：2.37734355）⇒
ｚ＝＋Ａ×（音圧レベル値−音圧レベル平均値）
＋Ｂ×（ラウドネス値−ラウドネス平均値）
＋Ｃ×（シャープネス値−シャープネス平均値）
＋Ｄ×（トーナリティ値−トーナリティ平均値）
＋Ｅ×（インパルシブネス値−インパルシブネス平均値）
＋Ｆ×（F.ストレングス値−F．ストレングス平均値）
0.29721025 ≦Ａ ≦ 0.33898939
Ｂ＝０
0.49535777 ≦Ｃ ≦ 0.94732127
0.53949286 ≦Ｄ ≦ 5.184987
1.33596983 ≦Ｅ ≦2.72919696
Ｆ＝０
・・・・・・・・・（ａ）
【０２５７】
この（ａ）式を不快確率Ｐを予測する音質評価式として用いることができる。
また、表１４〜表２２に示す結果に基づいて上記（ａ）式は回帰係数のとり得る値に幅を持たせたものであるが、これらの回帰係数の推定値を固定した場合（つまり各心理音響パラメータに乗算する係数を固定した場合）、ロジットｚに±２σを加えたものが、９５％の信頼区間の範囲を示すものとなる。ここで、σは誤差の標準偏差である。
【０２５８】
ロジットｚの標準誤差は、差モデルの状態で求める。ロジットｚは以下の式（９）なので、不快さの実確率Ｐ（２音を比較した時の不快確率）を用いてｚを算出する。
【０２５９】
【数５】
2006214911.tif 000032
【０２６０】
ｚの標準誤差の求め方は、まず実測した不快さの確率ｐを用い、上記（９）式によりロジットｚを導出する一方で、統計解析ソフトウェア「ＪＭＰ（SAS Institute の登録商標）」等を用いてロジットｚの予測値を導出する。そして、実測値から求められたロジットｚと、予測値のｚとの相関関係を散布図にプロットし、上記統計解析ソフトウェアを用いて、その差（誤差）の標準偏差を求めることができる。
【０２６１】
その結果を、層ごとにまとめたのが表２５である。
【表２５】
2006214911.tif 000033
【０２６２】
よって、この誤差を含んだ形の式は以下の式(ｃ)の様になる。
［式（ｃ）］
不快確率Ｐ＝１／（１＋exp（−ｚ±２σ））
【表２４】
2006214911.tif 000034
if  Ｉ層（層平均値：−0.851538）⇒
ｚ＝＋Ａ×（音圧レベル値−音圧レベル平均値）
＋Ｂ×（ラウドネス値−ラウドネス平均値）
＋Ｃ×（シャープネス値−シャープネス平均値）
＋Ｄ×（トーナリティ値−トーナリティ平均値）
＋Ｅ×（インパルシブネス値−インパルシブネス平均値）
＋Ｆ×（F.ストレングス値−F．ストレングス平均値）
Ａ＝0.21555107
Ｂ＝0.17832089
Ｃ＝1.03626251
Ｄ＝5.86411143
Ｅ＝2.49831660
Ｆ＝0
σ＝0.753153
if  II層（層平均値：−0.0706261）⇒
ｚ＝＋Ａ×（音圧レベル値−音圧レベル平均値）
＋Ｂ×（ラウドネス値−ラウドネス平均値）
＋Ｃ×（シャープネス値−シャープネス平均値）
＋Ｄ×（トーナリティ値−トーナリティ平均値）
＋Ｅ×（インパルシブネス値−インパルシブネス平均値）
＋Ｆ×（F.ストレングス値−F．ストレングス平均値）
Ａ＝0.29415304
Ｂ＝0.46277236
Ｃ＝1.12479939
Ｄ＝8.40500668
Ｅ＝3.37198180
Ｆ＝0
σ＝0.900555
if  III層（層平均値：0.5523788）⇒
ｚ＝＋Ａ×（音圧レベル値−音圧レベル平均値）
＋Ｂ×（ラウドネス値−ラウドネス平均値）
＋Ｃ×（シャープネス値−シャープネス平均値）
＋Ｄ×（トーナリティ値−トーナリティ平均値）
＋Ｅ×（インパルシブネス値−インパルシブネス平均値）
＋Ｆ×（F.ストレングス値−F．ストレングス平均値）
Ａ＝0.12767865
Ｂ＝0.43878495
Ｃ＝1.16681535
Ｄ＝0
Ｅ＝3.08130910
Ｆ＝0
σ＝0.816356
if  IV層（層平均値：0.58948295）⇒
ｚ＝＋Ａ×（音圧レベル値−音圧レベル平均値）
＋Ｂ×（ラウドネス値−ラウドネス平均値）
＋Ｃ×（シャープネス値−シャープネス平均値）
＋Ｄ×（トーナリティ値−トーナリティ平均値）
＋Ｅ×（インパルシブネス値−インパルシブネス平均値）
＋Ｆ×（F.ストレングス値−F．ストレングス平均値）
Ａ＝0
Ｂ＝0.63535348
Ｃ＝0.92869305
Ｄ＝5.49307973
Ｅ＝3.82174749
Ｆ＝0
σ＝0.485654
if  Ｖ層（層平均値：0.69003038）⇒
ｚ＝＋Ａ×（音圧レベル値−音圧レベル平均値）
＋Ｂ×（ラウドネス値−ラウドネス平均値）
＋Ｃ×（シャープネス値−シャープネス平均値）
＋Ｄ×（トーナリティ値−トーナリティ平均値）
＋Ｅ×（インパルシブネス値−インパルシブネス平均値）
＋Ｆ×（F.ストレングス値−F．ストレングス平均値）
Ａ＝0
Ｂ＝0.91968054
Ｃ＝0.78312761
Ｄ＝5.29399995
Ｅ＝5.08602977
Ｆ＝0
σ＝0.643639
if  VI層（層平均値：1.12069926）⇒
ｚ＝＋Ａ×（音圧レベル値−音圧レベル平均値）
＋Ｂ×（ラウドネス値−ラウドネス平均値）
＋Ｃ×（シャープネス値−シャープネス平均値）
＋Ｄ×（トーナリティ値−トーナリティ平均値）
＋Ｅ×（インパルシブネス値−インパルシブネス平均値）
＋Ｆ×（F.ストレングス値−F．ストレングス平均値）
Ａ＝0.24159805
Ｂ＝0.40793206
Ｃ＝1.23702636
Ｄ＝5.38364801
Ｅ＝3.54994177
Ｆ＝0
σ＝0.635901
if  VII層（層平均値：1.70518814）⇒
ｚ＝＋Ａ×（音圧レベル値−音圧レベル平均値）
＋Ｂ×（ラウドネス値−ラウドネス平均値）
＋Ｃ×（シャープネス値−シャープネス平均値）
＋Ｄ×（トーナリティ値−トーナリティ平均値）
＋Ｅ×（インパルシブネス値−インパルシブネス平均値）
＋Ｆ×（F.ストレングス値−F．ストレングス平均値）
Ａ＝0.63307170
Ｂ＝0.52423191
Ｃ＝2.16581638
Ｄ＝11.83662780
Ｅ＝2.45003365
Ｆ＝10.23925380
σ＝0.925801
if  VIII層（層平均値：2.24648746）
ｚ＝＋Ａ×（音圧レベル値−音圧レベル平均値）
＋Ｂ×（ラウドネス値−ラウドネス平均値）
＋Ｃ×（シャープネス値−シャープネス平均値）
＋Ｄ×（トーナリティ値−トーナリティ平均値）
＋Ｅ×（インパルシブネス値−インパルシブネス平均値）
＋Ｆ×（F.ストレングス値−F．ストレングス平均値）
Ａ＝0.19307892
Ｂ＝0.47512151
Ｃ＝1.50392757
Ｄ＝7.28249947
Ｅ＝3.52318670
Ｆ＝0
σ＝0.872629
if  IX層（層平均値：2.37734355）⇒
ｚ＝＋Ａ×（音圧レベル値−音圧レベル平均値）
＋Ｂ×（ラウドネス値−ラウドネス平均値）
＋Ｃ×（シャープネス値−シャープネス平均値）
＋Ｄ×（トーナリティ値−トーナリティ平均値）
＋Ｅ×（インパルシブネス値−インパルシブネス平均値）
＋Ｆ×（F.ストレングス値−F．ストレングス平均値）
Ａ＝0.31764449
Ｂ＝0
Ｃ＝0.71962000
Ｄ＝2.86942452
Ｅ＝2.02961962
Ｆ＝0
σ＝0.710973
・・・・・・・・・・・・・（ｃ）
【０２６３】
この(ｃ)式を不快確率Ｐを予測する音質評価式として用いることもできる。
また、実測値から求められた不快確率Ｐと、予測値の不快確率Ｐとの相関関係を散布図にプロットし、ＪＭＰを用いて、その差（誤差）の標準偏差σを用い、以下のような式によって不快確率を求めることも考えられる。
不快確率Ｐ ＝｛１／（１＋exp（−ｚ））｝±２σ
しかしながら、この式を用いて不快確率を導出した場合、導出される不快確率Ｐの範囲が０〜１までの範囲を超えてしまうことがあり、不快確率を予測する式としては不適当である。
【０２６４】
（12）導出した音質評価式の検証
次に、上記のように導出した不快確率Ｐ の予測式（音質評価式）の予測精度を検証することとした。
【０２６５】
この検証としては、不快確率Ｐの実測値と、上記音質評価式（ｄ）を用いて導出した予測値とを比較することにより行った。不快確率Ｐの実測値は、上記８つの実験（「カラー２８ｐｐｍ」、「カラー１４ｐｐｍ」、「モノクロ３８ｐｐｍ」、「モードＭｉｘ」、「モノクロ２０ｐｐｍ」、「モノクロ２７ｐｐｍ」、「モノクロ６５ｐｐｍ」、「モノクロＭｉｘ」）の結果から不快確率の実測値を求めるとともに、これらに対応する予測値を音質評価式を用いて導出することとした。
【０２６６】
不快確率の実測値としては、各供試音の不快評価数の和を全体の評価数で割った値を用いる。より具体的には、表１１より、「カラー２８ｐｐｍ(1)〜(9)」の供試音に関する実験においては、不快確率の分母は次の値となる。実験を３５人で実施した場合、各供試音については９音の各々について、他の８音と比較するので、８音×２（比較順序の入れ替え）×３５人＝５６０人となる。
【０２６７】
一方、分子は、例えば「カラー２８ｐｐｍ(1)〜(9)」の供試音(1)を例にとって説明すると、他の供試音(2)〜(9)と比較した際（順序逆も含む）に供試音(1)を不快と判断した人数が、それぞれ１０人（(1)−(2)でＩが不快２人，(2)−(1)でＪが不快８人の合計。以下同様）、２０人、２０人、１９人、１９人、５０人、５ 人、５人であれば、その和１４８人が分子となる。
【０２６８】
よって、この場合「カラーモード(1)」の供試音(1)の不快確率の実測値は４８／５６０＝０．２６となる。
ただし、この実測値は、「カラー28ppm(1)〜(9)」の供試音において一対比較実験を行なった結果であるので、この９音の中で相対比較をした場合に成り立つ結果である。
【０２６９】
そこで、予測値の方では、式（ｄ）を利用し、例えば、カラー28ppm(1)の不快確率を予測する場合は、カラー28ppm(1)の音響物理量と、「カラー28ppm(1)〜(9)」の音響物理量の平均値の差の値を用いて、層別と層別結果による計算を行なう。
【０２７０】
なお、この様な調整を行なうのは一対比較法の実測結果と音質評価式による予測結果とを比較したいためであり、通常、音の不快確率を予測する場合には、母集団の中における音響物理量の平均値と比較したという定義の式（ｄ）を用いればよい。
【０２７１】
以上のような手順で８つの実験のそれぞれの供試音ごとに不快確率の実測値を求めるとともに、音の物理量（心理音響パラメータ）と、各実験ごとの音響物理量の平均値を上記音質評価式（ｄ）に代入することで予測値を得る。このようにして、各モードの各供試音についての実測不快確率と予測不快確率とを求めることができ、その結果を表２６に示す。
【０２７２】
【表２６】
2006214911.tif 000035
【０２７３】
図４１〜４８は、８つの実験（「モノクロ２０ｐｐｍ」、「モノクロ２７ｐｐｍ」、「モノクロ６５ｐｐｍ」、「モノクロＭｉｘ」、「カラー２８ｐｐｍ」、「カラー１４ｐｐｍ」、「モノクロ３８ｐｐｍ」、「モードＭｉｘ」）ごとに、上記式（ｄ）を用いて予測した値（横軸）と、実測値（縦軸）とを比較プロットしたグラフである。図４９は、これら全結果をまとめたものである。
【０２７４】
表９に示す、複数モード（カラー１４ｐｐｍ，カラー２８ｐｐｍ，モノクロ３８ｐｐｍ）を持つ画像形成装置に関係する６音と、モノクロの単独モードを持つ画像形成装置に関係する６音の比較の実験は、総当り組合わせの比較ではないため、１２音の相対的な不快確率の算出ができない。このため、グラフにはプロットすることができなかった。
【０２７５】
図４９に示すように、このグラフの総合的な傾きは１．００であり、総合的な寄与率も９２％である。したがって、未知の画像形成装置の音についても上記の式（ｄ）によって算出される不快確率の予測値の精度が高いと考えられる。
【０２７６】
さて、上述したように導出した式（ｄ）によって求められる予測不快確率の精度が高いと考えられるが、このように得られた不快確率Ｐがどのくらいの値になると人が不快と感じなくなるかが重要である。
【０２７７】
そこで、これを確認するため次のような実験を行った。カラ−１４ｐｐｍ，カラー２８ｐｐｍ，モノクロ３８ｐｐｍ，モノクロ６５ｐｐｍの供試音を対象に、被験者に対して速度実験別に供試音(1)〜(9)をランダムにすべて聞いてもらった後、再び１音づつ聞いてもらい、各々の供試音について不快さを３段階評価するという実験を行なった。
【０２７８】
なお、モノクロ６５ｐｐｍの供試音は供試音(1)と供試音(5)の間が他の音の間隔に比較して大きかったため、供試音(1)と(5)の間に予め作成しておいた未評価供試音(10)，(11)を用意した。
その結果、表２７〜表３０に示す結果を得た。供試音(10)，(11)の物理量は表３１に示す。
【０２７９】
【表２７】
2006214911.tif 000036
【０２８０】
【表２８】
2006214911.tif 000037
【０２８１】
【表２９】
2006214911.tif 000038
【０２８２】
【表３０】
2006214911.tif 000039
【０２８３】
【表３１】
2006214911.tif 000040
【０２８４】
なお、表中の評価“Ａ”は許容できる音、評価“Ｃ”は許容できない音、評価“Ｂ”はその中間ぐらいの音という評価である。そして、“Ａ”と評価された音の音質評価値（式（ｄ）によって算出された値）のうち、最も大きな値を許容値とすると、各実験のｐｐｍおよび画像形成速度（ｍｍ／ｓ）ごとの許容値は表３２に示すようになる。
【０２８５】
【表３２】
2006214911.tif 000041
【０２８６】
図５０は表３２に示される結果に基づき、ｐｐｍ値と許容値との関係を近似させたグラフである。近似式は、
Ｐ≦ 0.3077Ln(ppm) - 0.726・・・・・・（ｂ）
14≦ppm≦65
である。
【０２８７】
また、図５１は表３２に示される結果に基づき、画像形成速度ｖ（ｍｍ／ｓ）と許容値との関係を近似させたグラフである。近似式は、
Ｐ≦ 0.2714Ln(ｖ) - 1.028・・・・・・（ｅ）
62.5≦ｖ≦362
である。
【０２８８】
表３２に示すように、各速度（ｐｐｍまたは画像形成速度ｍｍ／ｓ）で動作するときに発する音から算出される不快確率Ｐが許容値以下であれば、ほとんど不快さを感じないものとなる。
【０２８９】
以上のように上記式（ｄ）、（ｃ）または（ａ）式を利用することで、実際に主観的な評価実験を行うことなく、音の物理量から取得できる心理音響パラメータ値等を取得するだけで不快さの評価である不快確率Ｐを求めることができる。そして、上述した式（ｂ）、（ｅ）により、画像形成速度（ｍｍ／ｓやｐｐｍ）が異なる複数の動作モードを有する機器や、画像形成速度が異なる画像形成装置であっても、各実験ごとごとに求めた不快確率Ｐがどのような値であれば不快さを感じさせないかを判断することができる。
【０２９０】
以上が画像形成装置が発する音の質を評価する方法、および当該音質評価に用いる音質評価式の導出方法である。
【０２９１】
［II．発明の適用］
本発明は、上記のようにして導出した音質評価式を用い、画像形成装置の音質評価を行い、かかる評価結果（不快確率Ｐ）が所定の条件を満たすような画像形成装置を提供できるようにするものである。したがって、本発明は、図５２に示すように、新製品の開発・製造の際に適用することができる。
【０２９２】
具体的には、図５２のフローチャートに示すように、上記音質評価式による音質評価（不快確率Ｐ）が所定の条件を満たすよう、画像形成装置の装置各部にどのような構成を採用するかを設計する（Ｓ１：設計過程）。そして、画像形成装置の発する音から得られる不快確率Ｐが所定の条件を満たすようになされた設計内容にしたがって画像形成装置を製造する（Ｓ２：製造過程）。このような製造工程を経ることで、不快な騒音をほとんど発しない画像形成装置を製造することができ、かかる画像形成装置をユーザに提供することができる。
【０２９３】
［III．画像形成装置の構成］
次に、上記音質評価に用いた４例の画像形成装置について説明する。
図５３は、複数モードを有する画像形成装置の一例であるタンデム型カラープリンタの概略を示す断面構成図である。この図に示すカラープリンタ１００は、書込み光学ユニット１と、感光体ユニット３と、現像ユニット４と、転写ユニット５と、定着ユニット４６と、給紙部１１とを備えている。
【０２９４】
画像形成時には、当該画像形成装置の最下部に配置された給紙部１１に収容された画像形成対象シート（印刷用紙やＯＨＰシート等も含むが、以下用紙とする）が図の右下側から左斜め上側へ上がる所定の搬送経路に沿って搬送させられる。このように搬送される用紙は、給紙部１１から繰り出されて、給紙部１１の上方側に図の右下から左上側への斜め方向の搬送経路に沿って搬送される。この間、用紙は同様に搬送経路に沿って並んで配置される４つの感光体ユニット３および現像ユニット４と転写ユニット５との間を通過させられ、所定の画像が転写される。かかる画像転写がなされた用紙は、感光体ユニット３、現像ユニット４および転写ユニット５のさらに左斜め上側に配置される定着ユニット４６へ搬送され、定着ユニット４６によって転写画像が定着させられる。
【０２９５】
図５４に示すように、光学ユニット１は、図５３の右下から左上方向といった斜め方向である用紙搬送路に沿って延在するユニットであって、その方向に沿って配置されるハウジング１２を有している。ハウジング１２の上部には、４つの色毎のレーザダイオード（ＬＤ）１７（Ｂｋ：ブラック），１８（Ｃ：シアン），１９（Ｍ：マゼンダ），２０（Ｙ：イエロー）が取り付けられている。
【０２９６】
また、ハウジング１２には、主操作ライン操作のためのポリゴンミラーモータ２、ドット位置補正のための２層ｆθレンズ２１，２２、面倒れ補正を行うための長尺ＷＴＬレンズ２３，２４，２５，２６、図示せぬレーザビーム径補正のためのシリンダレンズ等が取り付けられている。
【０２９７】
ポリゴンミラーモータ２には、上下２枚の６面ミラー２７が一体となって形成されており、このポリゴンミラー２７にＬＤ１７，１８，１９，２０が発したレーザ光が照射される。
【０２９８】
各色に対応するＬＤ１７，１８，１９，２０は、用紙の搬送タイミングにあわせて発光し、その光（図中太線で示す）がシリンダレンズ、ポリゴンミラー２７、２層ｆθレンズ２１，２２、長尺ＷＴＬレンズ２３，２４，２５，２６を経由して各色の感光体ドラム２８に照射される。
【０２９９】
なお、ブラックに対応するＬＤユニット１７については、２ビーム方式のものを採用することが好ましい。すなわち、２ビーム方式のＬＤを採用することで、モノクロ画像形成時に２ビームを同時に書き込むことができ、ポリゴンミラーモータ２の回転数を抑えながら、かつ迅速な書き込みを行うことができるからである。このようにポリゴンミラーモータ２の回転数を低減することで、騒音が抑制されるといった効果や、モータの寿命が延びるといった効果も得られる。例えば、カラーモードで印刷する場合にポリゴンミラー２７の回転数が２９５２８ｒｐｍ（revolutions per minute）で印刷速度２８ｐｐｍ（pages per minute）であるが、モノクロ印刷時にはポリゴンミラー２７の回転数が２１８５０ｒｐｍと回転速度が小さいにもかかわらず、印刷速度３８ｐｐｍとなるといった具合である。
【０３００】
図５３に戻り、この画像形成装置における感光体ユニット３、現像ユニット４および転写ユニット５の構成について説明する。同図に示すように、この画像形成装置は、４連ドラムのタンデム作像方式を採用した装置であり、この方式を採用することでフルカラー印刷モードおよびモノクロ印刷モードの印刷速度を向上させている。また、上述したように感光体ユニット３、現像ユニット４および転写ユニット５を斜めに配置することで設置スペースを小さくし、これにより装置全体を小型にしている。
【０３０１】
感光体ユニット３、現像ユニット４は、それぞれ各色で独立したユニットとなっている。つまり、マゼンダ（Ｍ）用の感光体ユニット３および現像ユニット４、シアン（Ｃ）用の感光体ユニット３および現像ユニット４、イエロー（Ｙ）用の感光体ユニット３および現像ユニット４、ブラック（Ｂｋ）用の感光体ユニット３および現像ユニット４があり、これらが図５３の右下側から左上側に上記順序で並んで配置されている。なお、Ｂｋ用を除いたＭ用、Ｃ用、Ｙ用の感光体ユニット３は全く同一の構成であるため、新しいユニットであればどの色用（Ｍ、Ｃ、Ｙ）に用いるようにしてもよい。
【０３０２】
転写ユニット５は、上述した順序で斜め方向に配置される感光体ユニット３および現像ユニット４の下方側に、当該斜め方向に沿って延在するユニットであり、その斜め方向に沿うよう配置されている。転写ユニット５は、複数のローラと、当該ローラに巻き掛けられたエンドレスの転写ベルト２９とを有している。図示せぬモータによってローラが回転させられることにより転写ベルト２９が図中半時計回りに回転させられ、給紙部１１０から送り出された用紙はかかる転写ベルト２９に載って図の右下側から左上側に搬送させられる。また、転写ユニット５の搬送方向の下流側（図の左上側）には、Ｐセンサ６が配置されており、かかるＰセンサ６が転写ベルト２９上に形成されたＰセンサパターンの濃度を検知し、かかる検知結果が制御に利用される。
【０３０３】
ここで図５５に、ある色に対応する感光体ユニット３および現像ユニット４の断面図を示す。同図に示すように、感光体ユニット３は、感光体ドラム２８（例えばφ３０）を有している。感光体ドラム２８は中空円柱状であり、後述する駆動機構によって図中時計回りに回転させられるようになっている。
【０３０４】
感光体ドラム２８の上方側には帯電ローラ３６（例えば、φ１１）が配置されている。帯電ローラ３６は、その表面が感光体ドラム２８の表面から０．０５ｍｍ程度離間した位置に配置されている。そして、帯電ローラ３６は、感光体ドラム２８と逆方向、つまり図中半時計周りに回転させられ、感光体ドラム２８の面上に均一な電荷を印加している。
【０３０５】
また、帯電ローラ３６の上方側にはクリーニングブラシ３７が配置されている。感光体ドラム２８の左斜め上側にはクリーニングブラシ３９およびカウンターブレード３８が配置され、これらによって感光体ドラム２８のクリーニングがなされる。
【０３０６】
また、クリーニングブラシ３９の左側には、廃トナー回収コイル４０が配置されており、かかる廃トナー回収コイル４０によって回収された廃トナーは、図５３に示す廃トナーボルト１６に搬送されるようになっている。
【０３０７】
現像ユニット４は、乾式２成分磁気ブラシ現像方式を採用したものであり、現像ローラ３０と、現像ドクタ３１と、搬送スクリュー左３２と、搬送スクリュー右３３と、トナー濃度センサ３４と、剤カートリッジ３５とを備える。
【０３０８】
次に、図５６を参照しながら感光体ユニット３の駆動機構について説明する。感光体ユニット３は、各色毎に設けられており、４つのユニットがあるが、Ｍ用、Ｃ用、Ｙ用（カラー用）の３つの感光体ユニット３と、Ｂｋ用の感光体ユニット３とは別々の駆動機構によって駆動されるようになっている。すなわち、カラー用の感光体ユニット３の駆動は、カラードラム駆動モータ４１を駆動源とし、この駆動力を伝達するギヤ４３，４４、ジョイント４５とによって行われる。
【０３０９】
一方、ブラック用の感光体ユニット３の駆動は、別の黒ドラム駆動モータ４２を駆動源とし、この駆動力を伝達する別のギヤ４４、ジョイント４５によって行われる。したがって、カラーモード印刷時には、カラードラム駆動モータ４１のみが動作し、黒ドラム駆動モータ４２は停止している。一方、モノクロモード印刷時には、黒ドラム駆動モータ４２のみが動作し、カラードラム駆動モータ４１は停止している。なお、カラードラム駆動モータ４１および黒ドラム駆動モータ４２はステッピングモータである。
【０３１０】
図５７および図５８に示すように、この定着ユニット４６は、ベルト定着方式を採用したものであり、ベルトは定着ローラと比べて熱容量が小さいことから、この方式を採用することで、定着ローラを用いる方式よりもウォームアップ時間の短縮、待機時のローラ設定温度を低下できる等のメリットがある。
【０３１１】
この定着ユニット４６は、画像が転写された用紙を加熱・加圧し、用紙上にトナー像を定着させるものであり、定着ベルト１３と、オイル塗布ユニット４７とを有している。オイル塗布ユニット４７内には、ジェルがオイルから染み出し、これが塗布フェルト４８から塗布ローラ４９に供給される。そして、塗布ローラ４９が回転しながら定着ベルト１３に微量のシリコーンオイルを塗布している。このように定着ベルト１３にオイルを塗布することで、定着ベルト１３と用紙とが剥離しやすくなるようにしている。なお、かかるオイル塗布ユニット４７による塗布動作は、用紙が１枚搬送される毎になされるようになっており、図示せぬソレノイドやスプリングを有する機構によって、用紙１枚が搬送される都度オイル塗布ユニット４７が駆動され、定着ベルト１３と接触させられる。一方、用紙１枚が通過すると、上記機構によってオイル塗布ユニット４７が定着ベルト１３から離間させられるようになっている。
【０３１２】
また、図５７に示すように、定着ベルト１３の用紙搬送方向上流側には、クリーニングローラ５０が設けられており、かかるクリーニングローラ５０が定着ベルト１３上の汚れを吸着し、これによりベルトクリーニングがなされる。
【０３１３】
以上が定着ユニット４６の構成であり、かかる定着ユニット４６を通過した用紙は、搬送ローラによって図５３に示す本体トレー１５に搬送される。
【０３１４】
次に、図５９を参照しながら給紙部１１の構成について説明する。かかる給紙部１１は、第１トレー９と、第２トレー１０と、手差し給紙トレー８といった３つのトレーを有している。これらの各トレーは、トレーに収容された用紙を送り出す方式として、ＦＲＲ給紙方式を採用している。ＦＲＲ給紙方式による送り出し機構は、給紙トレー内に積層された用紙束中から送り出された用紙を一枚づつに分離する為に、給紙方向に回転駆動される給紙コロに対して逆転コロを当接させた構成となっている。
【０３１５】
この構成の下、逆転コロは、給紙コロとは逆方向へ向かう弱いトルクがトルクリミッタを介して付与されているため、給紙コロと接触している状態、或は一枚の用紙が両コロ間に進入した状態では給紙コロに連れ回りする一方で、給紙コロと離間した状態、或は２枚以上の用紙が両コロ間に進入した状態では逆回転する。このため、重送用紙の進入時には逆転コロに接する側の用紙は給紙方向下流側へ戻されて、重送が防止されることとなる。
【０３１６】
第１トレー９に収容された用紙は、第１給紙ユニット５１によって１枚分離されて第１トレー９から送り出される。そして、送り出された用紙は、中継ローラ５３によって搬送され、搬送ローラ５５に到達する。ここで、用紙は搬送ローラ５５によってターンさせられながら、左斜め上方側のレジストローラ７に向けて搬送される。
【０３１７】
搬送された用紙は、停止しているレジストローラ７に突き当たり、これにより用紙の斜行が補正される。そして、感光体ユニット３等による画像形成工程とのタイミング調整を行い、所定のタイミングで図示せぬレジストクラッチがつながれてレジストローラ７が駆動され、用紙が転写ユニットへ向けて搬送される。以降用紙は、上述したように転写ベルト２９によって搬送され、所定の画像転写等の処理がなされる。
【０３１８】
なお、第２トレー１０に収容された用紙の送り出しは、第２給紙ユニット５２、中継ローラ５４によって搬送ローラ５５に向けて用紙が搬送され、その後は第１トレー９に収容された用紙と同様である。また、手差しトレー８にセットされた用紙は、給紙ユニット５６によってレジストローラ７に向けて搬送され、以降は上記第１トレー９からの用紙搬送と同様である。
【０３１９】
次に、上述したように第１トレー９および第２トレー１０から用紙を送り出す第１給紙ユニット５１および第２給紙ユニットを駆動する構成について説明する。図６０に示すように、これらの両ユニットは、１つのステッピングモータ５６によって駆動されており、各々のユニットへの駆動力伝達は第１給紙クラッチ５７および第２給紙クラッチ５８を介して行われる。すなわち、第１トレー９から用紙を送り出すときは第１給紙クラッチ５７のみがつながれた状態となり、第２トレー１０から用紙を送り出すときは第２給紙クラッチ５８のみがつながれた状態となる。  この画像形成装置は、上述したようにカラー用感光体ユニット３等を有しており、モノクロ印刷のみならず、カラー印刷もできるようになっている。より具体的には、表３３に示すように、「モノクロモード」、「カラーモード(1)」、「カラーモード(2)」、「ＯＨＰ／厚紙モード」といった４つの印刷モードを有しており、ユーザが操作部等を操作してモードを選択した場合、その選択にしたがって図示せぬ当該画像形成装置の制御部（動作制御手段）が装置各部を制御し、その動作モードで各部を動作させる。この画像形成装置では、制御部がユーザに選択されたモードによって画像形成速度を３種類（１８２．５ｍｍ／ｓ＝３８ｐｐｍ（pages per minute）、１２５．０ｍｍ／ｓ＝２８ｐｐｍ、６２．５ｍｍ／ｓ＝１４ｐｐｍ）に切り替えるようになっている。すなわち、選択された動作モードによってステッピングモータ５６、黒ドラム駆動モータ４２、カラードラム駆動モータ４１といったモータの回転速度を変化させるよう制御しているのである。
【０３２０】
【表３３】
2006214911.tif 000042
【０３２１】
ここで、高解像度の「カラーモード(2)」や「ＯＨＰ／厚紙モード」では、印刷速度（画像形成速度）が１４ｐｐｍであるのに対し、「モノクロモード」では印刷速度が３８ｐｐｍであり、３倍近い速度差がある。このような大きな速度差を１つのモータで実現するため、この画像形成装置では用紙搬送機構系等の駆動源としてステッピングモータを採用している。
【０３２２】
図６１は、卓上型（デスクトップ）画像形成装置の一例であるモノクロプリンタ２００の概略を示す断面構成図である。本例の画像形成装置は、電子写真方式を採用したディジタルプリンタであり、単一モード（モノクロプリントのみ）の動作を行なうものである。
【０３２３】
図６１において、符号２０１は静電潜像およびトナー像が形成される感光体ドラム、符号２０２は感光体ドラム２０１上に形成されたトナー像を記録紙に転写するための転写ローラ、符号２０３は感光体ドラム２０１上にトナー像を形成するためのプロセスカートリッジ、符号２０４は記録紙を１枚ずつ繰り出す本体給紙トレイ、符号２０５は本体給紙トレイ２０４と同様に記録紙を１枚ずつ繰り出すバンク給紙トレイ、符号２０６は記録紙を１枚差し込むことで給紙を行なうための手差しトレイ、符号２０７は記録紙に転写されたトナー像を熱・圧力の作用で定着する定着ユニット、符号２０８は感光体ドラム２０１上に画像を書き込むための書き込みユニット、符号２０９は定着後の記録紙を排紙する排紙トレイ、符号２１０は記録紙を繰り出す給紙ローラ、符号２１１は感光体ドラム２０１上のトナー像と位置合わせを行なうように起動／停止するレジストローラ、符号２１２は記録紙を排紙トレイ２０９に搬送する排紙ローラ、符号２１３は搬送ローラを示している。
【０３２４】
図６１に示す画像形成装置では、本体給紙トレイ２０４、バンク給紙トレイ２０５、手差しトレイ２０６、給紙ローラ２１０、レジストローラ２１１などの給紙搬送系が配設されている、記録紙は、給紙搬送系からプロセスカートリッジ２０３の作像側を通って画像が転写された後、定着ユニット２０７、排紙ローラ２１２を経て排紙トレイ２０９ に排紙される。画像形成速度は９０mm／ｓである。
【０３２５】
また、プロセスカートリッジ２０３の上方には、ＬＤユニット、ポリゴンミラー、ｆθレンズ（いずれも不図示）などから構成される書き込みユニット２０８が配設されている。この他に図示しないが、感光体ドラム２０１や各ローラの回転駆動を行なうための駆動モータ、ソレノイド、クラッチ（メカクラッチ、電磁クラッチ）を含む駆動伝達系が設けられている。このように構成された画像形成装置では、画像形成時に、上記駆動モータと駆動伝達系の駆動音、ソレノイド・クラッチの動作音、記録紙の給紙搬送音、帯電音などが放射される。
【０３２６】
図６２は、図６１におけるプロセスカートリッジ２０３の構成例を示す断面図である。このプロセスカートリッジ２０３は、帯電手段としての帯電ローラ２２１と、現像手段としての現像ローラ２２２と、クリーニング手段としてのクリーニングブレード２２３と、トナー２２４を攪拌し現像ローラ２２２に送り出すアジテータ２２５と、攪拌軸２２６と、現像ブレード２２７と、を備えている。帯電ローラ２２１は、芯金部２２１ａ、帯電部２２１ｂと、から構成される。
【０３２７】
像担持体としての感光体ドラム２０１の周りには、帯電ローラ２２１、現像ローラ２２２、クリーニングブレード２２３が所定の条件で配置されている。そして、プロセスカートリッジ２０３内のトナー２２４は、アジテータ２２５ 、攪拌軸２２６によって攪拌され、現像ローラ２２２まで運ばれる。現像ローラ２２２内の磁力によってローラ表面に付着したトナー２２４は、現像ブレード２２７を通過するとき、摩擦帯電によってマイナスに帯電する。マイナスに帯電したトナーは、バイアス電圧によって感光体ドラム２０１に移動し、静電潜像に付着する。
【０３２８】
レジストローラ２１１により送られた記録紙が感光体ドラム２０１と転写ローラ２０２の間を通過するとき、転写ローラ２０２からのプラス電荷により、感光体ドラム２０１上のトナーが記録紙に転写する。感光体ドラム２０１上に残ったトナーは、クリーニングブレード２２３によって掻き取られ、クリーニングブレード２２３の上方にあるタンク内に廃トナーとして回収される。転写ローラ２０２以外はプロセスカートリッジ２０３として一体化されており、ユーザが交換できるようになっている。
【０３２９】
図６３は、図６２における帯電ローラ２２１の構成を示す説明図である。図６２及び図６３に示すように、帯電ローラ２２１は、感光体ドラム２０１に常に所定圧で接触しながら、摩擦力による従動回転を行なって感光体ドラム２０１の表面を一様に一次帯電する帯電部材である。この帯電ローラ２２１は、図６２に示すように、回転軸となる芯金部２２１ａと、芯金部２２１ａの周りに同心状に形成される帯電部２２１ｂと、から構成されている。
【０３３０】
そして、この帯電ローラ２２１には、帯電処理を行なうにあたり、高圧電源から電極端子２３１、帯電ローラ加圧スプリング２３２、導電性軸受２３３を介し、その芯金部２２１ａに、直流電圧に交流電圧が重畳されたバイアス電圧が印加され、この帯電ローラ２２１は、感光体ドラム２０１を、バイアス電圧の直流成分と同一電圧に一様に帯電させる。バイアス電圧の交流成分は、感光体ドラム２０１を、帯電ローラ２２１によってむらなく一様に帯電させる働きをしている。
【０３３１】
ところで、帯電ローラ２２１によって感光体ドラム２０１を接触帯電させる場合、バイアス電圧の交流成分に起因して、帯電ローラ２２１と感光体ドラム２０１の表面間に引力と斥力が交互に作用し、帯電ローラ２２１に振動を生じさせる。そして、帯電ローラ２２１のこの振動は、帯電ローラ２２１自身に周波数の高い耳障りな振動音（帯電音）を生じさせると共に、感光体ドラム２０１側にも伝わり、感光体ドラム２０１を振動させ騒音を発生させる。
【０３３２】
図６４は、中速の画像形成装置の一例である胴内排紙型のデジタル複写機３００の概略を示す断面構成図である。
図６４において、画像形成装置は、本体３０１と、２段給紙が可能な給紙バンクユニット３０２を主体に構成されている。本体３０１には２段給紙トレーが付いているので、給紙バンクユニット３０２がなくても、本体３０１だけで画像形成装置の機能を発揮できる。また、給紙バンクユニット３０２の代わりに、同じ外形で安価なサプライ収納テーブル（図示せず）を取り付けることも可能である。図において実線の矢印で示すルートは本体３０１の１段目トレー３１０から給紙した場合の画像形成時の紙搬送ルートである。本体３０１の２段目トレー３１１、給紙バンクユニット３０２の１段目トレー３１２、２段目トレー３１３から給紙する場合は、破線で示す紙搬送ルートであり、どのトレーを使用しても最終的には本体３０１の１段目トレー３１０と同じルートに合流する。
【０３３３】
本体３０１の内部には、ドラム状の感光体３０６を中心として、その周りに配置された帯電ローラ３０７、書き込み系光学ユニット３０４、現像ローラ３０８、転写ローラ３０９などが配置され、さらに、読み取り系光学ユニット３０３、レジストローラ対３１６、トナーボトル３２１、定着装置３１７、排紙ローラ対３１９などが配置されている。
【０３３４】
上記のように構成された複写機３００の動作について簡単に説明する。まず、読み取り系光学ユニット３０３で原稿のデータを読み取り、デジタル電気信号に変換する。このデジタル電気信号は、画像処理され、書き込み系光学ユニット３０４に送られる。書き込み系光学ユニット３０４からは、上記デジタル信号に基づく光ビーム３０５を発し、感光体３０６上に照射される。感光体３０６は図６４の反時計方向に回転駆動され、帯電ローラ３０７によって表面を一様に帯電され、その帯電面に上述の如く書き込み系光学ユニット３０４によって原稿画像が書き込まれる。これによって感光体３０６上に静電潜像が形成され、この潜像は現像ローラ３０８によってトナー像として可視像化される。トナーはトナーボトル３２１から上記現像ローラ３０８を含む現像ユニットに供給される。
【０３３５】
一方、用紙の供給動作を本体３０１の１段目トレー３１０から給紙する場合の例で説明する。用紙が重ねて収容されている１段目トレー３１０から給紙ローラ３１４によって１枚だけ用紙を分離する。分離された１枚の用紙は、搬送補助ローラ３１５に補助をされながらきつくターンして上方に向かい、レジストローラ対３１６に突き当てられてレジスト調整とタイミング調整をされたあと、作像部に向かう。
【０３３６】
感光体３０６上にトナーによって形成されている画像は、用紙が感光体３０６と転写ローラ３０９の間を通過するときに用紙に転写される。その後、定着装置３１７に搬送され、定着装置３１７の定着ローラ対３１８によってトナーが用紙に定着され、排紙ローラ対３１９によって排紙トレー３２０に排出される。本例における画像形成速度は、例えば１２２ｍｍ／ｓ程度であり、１分間に２７枚の画像形成が可能である。
【０３３７】
図６５は、大型（コンソール型）画像形成装置の一例であるＡＤＦ付複写機４００の概略を示す断面構成図である。本例のＡＤＦ付複写機４００は床面に設置して使用されるように全高が高く設計され、上部ユニットであるＡＤＦ（自動原稿搬送装置）４１０、スキャナ４２０，書き込みユニット４３０，作像エンジン４４０等からなる装置本体、下部ユニットであるバンク給紙ユニット５７０とから構成されるコンソール型のデジタルＭＦＰ（マルチ・ファンクション・プリンタ）である。つまり、通常のコピー機能、パソコンからの指示によるプリンタ機能、さらにはファクシミリ機能を備える場合もある。このようなタイプの画像形成装置は一般的に高速機である。
【０３３８】
装置本体部は、筐体内に光学要素（スキャナ４２０、書き込みユニット４３０）を収容した光学ユニット４２１と、その下方に位置する作像エンジン４４０と、を有しており、筐体上部にＡＤＦ４１０を配置している。
【０３３９】
図６５において、符号４０１は静電潜像が形成される像担持体としての感光体ドラム、符号４０２は帯電チャージャ、符号４０３は現像ユニット、符号４０４は転写・分離チャージャ、符号４０５はクリーニングユニット、符号４０６は定着ユニット、符号４０７はレジストローラ、符号４１１は原稿台、符号４１２はコンタクトガラス、符号４１３は露光ランプ、符号４１４は第１ミラー、符号４１５は第２ミラー、符号４１６は第３ミラー、符号４１７は結像レンズ、符号４１８はＣＣＤ、符号４１９はミラー、符号４９０はロック機能付きのキャスターである。
【０３４０】
すなわち、スキャナ４２０は、原稿を載置するコンタクトガラス４１２と走査光学系で構成されている。走査光学系は、露光ランプ４１３と第１ミラー４１４を搭載した第１キャリッジと、第２ミラー４１５と第３ミラー４１６を保持する第２キャリッジと、結像レンズ４１７と、ＣＣＤ４１８と、を備えている。なお、原稿読み取り時にはステッピングモータにより駆動されて一定の速度で移動する第１キャリッジと、第１キャリッジの１／２の速度で駆動される第２キャリッジとを備えている。
【０３４１】
この第１キャリッジ、第２キャリッジによりコンタクトガラス４１２上の原稿（不図示）が光学的に走査され、そこで得られた反射光は、露光ランプ４１３、第１ミラー４１４、第２ミラー４１５、第３ミラー４１６、結像レンズ４１７を介してＣＣＤ４１９上に結像され光電変換される。
【０３４２】
書き込みユニット４３０は、レーザ出力ユニット、ｆθレンズ、ミラー（いずれも不図示）などを備えている。レーザ出力ユニットの内部には、レーザ光源であるレーザダイオードやポリゴンミラーが備わっている。
【０３４３】
画像処理部から出力された画像信号は、書き込みユニット４３０により、この画像信号に対応した強度を有するレーザ光に変換され、コリメートレンズ、アパーチャー、シリンダレンズにより一定形状の光束に整形されてポリゴンミラーに照射され、出力される。書き込みユニット４３０ から出力されたレーザ光は、ミラー４１９を介して感光体ドラム４０１に照射される。また、ｆθレンズを通過したレーザ光は、画像領域外に配置された主走査同期検知信号を発生するビームセンサー（不図示）に照射される。
【０３４４】
ＡＤＦ４１０は、原稿台４１１にセットされた原稿を１枚ずつコンタクトガラス４１２へ搬送し、読み取り後に排紙する。すなわち、原稿は原稿台４１１にセットされ、サイドガイドにより幅方向が揃えられる。原稿台４１１上の原稿は、一番下の原稿から給紙ローラにより１枚づつ給紙され、搬送ベルト４５３により、コンタクトガラス４０１上に送られる。コンタクトガラス４１２上の原稿は読み取り終了後、搬送ベルトおよび排紙ローラにより排紙トレイ上に排紙される。
【０３４５】
バンク給紙ユニット４７０の、第１トレイ４７１、第２トレイ４７２、第３トレイ４７３、第４トレイ４７４に積載された記録紙は、それぞれ第１給紙装置４７５、第２給紙装置４７６、第３給紙装置４７７、第４給紙装置４７８によって給紙され、さらにバンク縦搬送ユニット４７９、本体縦搬送ユニット４８０によって搬送される。この記録紙の先端がレジストセンサー（不図示）で検出されると一定時間搬送された後、レジストローラ４０７のニップ部分で一旦停止して待機状態となる。
【０３４６】
上記待機した記録紙は、画像有効信号のタイミングに合わせて感光体ドラム４０１側に送出され、転写・分離チャージャ４０４の転写オンにより感光体ドラム４０１に密着し、画像が転写される。さらに感光体ドラム４０１から分離オンにより記録紙を感光体ドラム４０１から分離する。このトナー像が転写された記録紙は、搬送装置により搬送され、定着ローラおよび加圧ローラでなる定着ユニット４０６の熱・加圧作用により定着され、排紙ローラ４８１によって機外に排紙される。本例における画像形成速度は、例えば３６２ｍｍ／ｓ程度である。
【０３４７】
このように、感光体ドラム４０１への画像形成は、帯電チャージャ４０２によって感光体ドラム４０１上に帯電された電荷をレーザ光を照射することにより静電潜像を形成し、現像ユニット４０３によって感光体ドラム４０１上に画像を形成する。
【０３４８】
両面ユニット４８５を使用して両面印刷を行なう場合には、定着後の記録紙を、切り換え爪４２８によって両面搬送路４８６に導き、フィードローラ４３２、分離コロ４３３を通過して両面トレイに集積する。トレイに集積された記録紙は、トレイが上昇することによりフィードローラと接触し、フィードローラが回転することにより本体縦搬送ユニット４８０に送られ、レジストローラ４０７へ再給紙された後に裏面に対して印刷が行なわれる。
【０３４９】
反転排紙を行なう場合には、切り替え爪４６７によって記録紙を反転専用トレイ４６４方向に導き、さらに記録紙の後端が反転検知センサー４６８を通過すると、搬送コロ４６９が逆転し、排紙トレイ方向に導き、あらかじめ設定したトレイに排紙する。
【０３５０】
［IV．画像形成装置の改造方法］
ところで、本発明の音質評価方法は、既に製造したあるいは既に販売等がされた画像形成装置の騒音対策にも適用できるものである。すなわち、すでに販売等がされた画像形成装置が発する音を上記のように測定し、その測定結果から上記音質評価式を用いて不快確率Ｐを導出する。そして、算出した不快確率Ｐが所定の条件を満たすか否かを検討し、満たしている場合には不快な騒音をほとんど発していないと考えられるので改造は不要であると判断する。一方、算出された不快確率Ｐが所定の条件を満たさない場合には、不快確率Ｐが所定の条件を満たすよう、画像形成装置の各部に対し種々の改造を施すことにより、不快な騒音をほとんど発しない画像形成装置を提供することができる。
【０３５１】
以下、画像形成装置を改造し、画像形成装置が発する音が人に不快感を与えることを低減するための対策の具体例について、上記説明した４例の画像形成装置の場合を例に挙げて説明する。
【０３５２】
まず、画像形成装置が発する音を評価するため、上述した音質評価手法の（１）と同様の手法で画像形成装置が発する音を採取する。ここで、採取位置は、ＩＳＯ７７７９に規定されている近在者位置であり、基準箱の水平面の投影から１．００±０．０３ｍの距離で、高さは床上１．２±０．０３ｍまたは１．５０±０．０３ｍの位置である。
【０３５３】
また、図２に示すように、操作部のある前面、左右面および後面といった４面側すべてについて音の採取を行い、各々の収音結果から音響物理量を取得して不快確率Ｐを上記音質評価式により求め、各面ごとの不快確率Ｐが許容値内か否かを判定するようにしてもよいし、前面のみ、あるいはいずれか１の面側のみで採取した収音結果から不快確率Ｐを求めて判定を行うようにしてもよい。
【０３５４】
また、４面側で採取した音から得られた音響物理量の平均値を導出し、かかる平均値から求めた不快確率Ｐが許容値内か否かを判定するようにしてもよい。
なお、４面側のいずれに位置する人も不快さを感じないようにさせるためには４面側すべての位置で音を採取することが好ましいが、１面のみ、特に最も人が位置する可能性が高い前面側での音を採取することでも十分な評価ができる。
【０３５５】
以上のようにして求めた不快確率Ｐが上述した許容値を超える場合には、人が不快であると感じているおそれが非常に高いので、かかる不快確率Ｐが許容値以下となるよう装置各部に種々の改造を施す。一方、不快確率Ｐが許容値以下である場合には、人が不快に感じるおそれは少なく、特に騒音対策を施す必要はないと判断することができる。
【０３５６】
上述したように不快確率Ｐは、音圧レベルを小さくする、聞こえの大きさを小さくする（ラウドネス）、高周波成分を少なくする（シャープネス）、純音成分を少なくする（トーナリティ）、衝撃音を小さくする（インパルシブネス）といった対策を施すことにより小さくすることができ、これを小さくすることで人に与える不快さを低減できることになる。よって、以下においては、上記の心理音響パラメータを低減させるための具体的な対策例について説明する。
【０３５７】
（１）トーナリティ（純音成分）の低減対策
複数モードを有する画像形成装置について
【０３５８】
(1-1)ドラム駆動ステッピングモータ音の低減
まず、トーナリティの低減対策例について説明する。トーナリティの低減対策としては、ドラム駆動ステッピングモータ音を低減する方法がある。図３、図４および図５に示すように、いずれの動作モードにおいてもドラム駆動モータの音が発生している。そして、この音はステッピングモータへの入力パルスの周波数成分を多く含むものである。
【０３５９】
図６６及び図６７は改造前のカラードラム駆動モータ４１と黒ドラム駆動モータ４２とを含むドラム駆動機構を示す図である。これらの図に示すように、カラードラム駆動モータ４１、黒ドラム駆動モータ４２、ギヤ４３，４４はモータブラケット５９によって保持されている。
【０３６０】
モータブラケット５９は、板金を絞り加工等で強度を持たせた部材である。そして、曲げ加工により当該画像形成装置の筐体取り付け部（ねじ穴等）が形成されており、モータブラケット５９はこの取り付け部において筐体に固定されている。
【０３６１】
モータブラケット５９には、並んで配置される４つのギヤ４４が回転可能に保持されている。これらのギヤ４４のうち、図６６の最も右側のギヤ４４と黒ドラム駆動モータ４２のモータ軸に取り付けられたギヤ６１とが歯合されている。これにより黒ドラム駆動モータ４２によってギヤ４４が回転させられ、これに伴ってモノクロ画像形成用の感光体ドラム２８（図５５参照）が回転させられるようになっている。
【０３６２】
また、上記のギヤ４４以外の３つのギヤ４４のうち図６６の左側の２つのギヤ４４は、カラードラム駆動モータ４１のモータ軸６２によって回転させられる。
また、左から２番目のギヤ４４と３番目のギヤ４４とはともに中継ギヤ４３に歯合されており、これにより２番目のギヤ４４の回転に伴って３番目のギヤ４４が回転させられる。つまり、カラードラム駆動モータ４１の回転に伴って３つのギヤ４４が回転させられ、これによりＣ用、Ｍ用、Ｙ用の感光体ドラム２８（図５５参照）が同時に回転させられるようになっている。
【０３６３】
以上のような感光体ドラムを駆動するためのギヤはモジュール０．５でギヤの軸間距離を設計値に正確にあわせることができるよう、モータの取り付けに対して特殊な防振構造等を採用していない。つまり、黒ドラム駆動モータ４２およびカラードラム駆動モータ４１は直接モータブラケット５９に取り付けられて固定されている。
【０３６４】
このようにモータをモータブラケット５９に直接取り付けることによって動作時のモータの振動がモータブラケット５９に固体伝搬し、増幅されて放射される。これに起因して発せられる音は、ドラム駆動モータであるステッピングモータの駆動周波数成分を多く含む音である。
【０３６５】
このようなステッピングモータの駆動周波数成分が顕著な音の発生を低減するため、図６８に示すように、カラードラム駆動モータ４１および黒ドラム駆動モータ４２を防振ゴムマウント６０を介してモータブラケット６５に取り付けるようにする。すなわち、この防振ゴムマウント６０は、上記のように発生する音を低減させる低減手段となる。
【０３６６】
防振ゴムマウント６０としては、例えば株式会社ＮＯＫ製のステッピングモータマウントを使用することができ、後述する騒音対策による効果を試す試験においては当該ステッピングモータマウントを使用している。
【０３６７】
モータブラケット６５とドラム駆動モータとの間に防振ゴムマウント６０を介在させたドラム駆動機構について図６９および図７０を参照しながら説明する。
防振ゴムマウント６０をドラム駆動モータとモータブラケット６５の間に介在させると、各ギヤの軸間距離の精度が悪化する。このため、このドラム駆動機構では、モータ軸を直接ギヤに歯合させるのではなく、モータ軸からタイミングベルト機構を介してギヤ４４等に駆動力を伝達する構成とした。
【０３６８】
より具体的には、カラードラム駆動モータ４１および黒ドラム駆動モータ４２のモータ軸にはそれぞれタイミングプーリ６６，６７を取り付け、かかるタイミングプーリ６６，６７に巻きかけられたタイミングベルト７０によって２段ギヤ／プーリ６３，６４にモータの駆動力を伝達する。つまり、モータ軸の回転に伴って２段ギヤ／プーリ６３，６４を回転させる。
【０３６９】
かかる２段ギヤ／プーリのギヤは上述したドラム駆動用のギヤ４４に歯合されている。これにより上記改造前の構成と同様、ドラム駆動モータの回転に伴ってギヤ４４を回転させることができ、感光体ドラム２８（図５５参照）を回転させることができる。
【０３７０】
モータブラケット６５は、モータを保持する部分（図７０の下側の部分）がその上の部分よりもモータと反対側に突出するよう曲げ加工がなされている。かかる突出部分にできた空間に防振ゴムマウント６０がモータブラケット６５と接するよう配置され、防振ゴムマウント６０のモータブラケット６５と反対側にモータ（４１，４２）がそのモータ軸がモータブラケット６５の反対側（図７０の左側）の面に突出するよう配置される。このようにモータブラケット６５とモータとを直接保持する構造とせず、防振ゴムマウント６０を介在させて保持する構造としている。
【０３７１】
本構成では、２段ギヤ／プーリ６３，６４がモータブラケット６５の図７０の左側（ギヤ４４が配置される側）に配置されるので、モータ軸はその分だけ図７０の左側の位置まで突出させる必要がある。しかしながら、上記のようにモータブラケット６５に突出部分を作ることで、モータの配置位置そのものを図７０の左側にすることでき、これによりモータ軸を長くする必要がなくなる。よって、モータ軸を長くすることで生じるおそれのあるモータ軸の偏心やそれに起因した騒音発生等を抑制することができる。
【０３７２】
なお、本構成においては、２段ギヤ／プーリ６３，６４を取り付けるためのスタッド６９の強度を大きくすることが好ましい。スタッド６９の強度が不足している場合には、ギヤ４４と２段ギヤ／プーリとが偏心しながら噛み合うこととなり、ベアリング７０を介してドラム軸６８も偏心することになる。ドラム軸６８の偏心は用紙に形成される画像に影響を与えることがあり、かかる不具合を起こさないため、スタッド６９の強度を大きくする必要があるからである。
【０３７３】
また、上述した防振ゴムマウント以外にも、モータの振動をある程度吸収することができる弾性体を用いるようにしてもよい。
以上がドラム駆動ステッピングモータ音の低減対策である。
【０３７４】
（1-2）給紙用ステッピングモータ音の低減
次に、給紙用のステッピングモータ音の低減対策について説明する。上述したように上記画像形成装置の給紙用のモータは、ステッピングモータ８３であり（図６０参照）、かかるステッピングモータの駆動を制御することでトレーからの用紙搬送を行うようになっている。このモータ音の低減対策としては、ステッピングモータ５６の駆動制御内容を以下のようにする方法があり、以下その制御内容について説明する。
【０３７５】
図７１は、ステップ角θ０で駆動されるステッピングモータのロータの動きを説明するための図である。ステッピングモータのステップ角は機械構造的に決められるものであり、通常はかかるステップ角θづつロータが一度に移動するのでかかるステップ角θが大きい場合にはその動きが滑らかではなく、振動等が生じこれが騒音の原因となる。
【０３７６】
そこで、本構成では、図示のように電子回路による制御によって機械的構造によってきめられているステップ角θよりも小さいステップ角でステッピングモータを駆動する、いわゆるマイクロステップ駆動を行うようにする。すなわち、励磁相の１相に供給する電流値を徐々に増加させる一方で、他の１相へ供給する電流値を徐々に低下させるといった電流供給制御を行うことで（図７１の(1)〜(5)参照）、ステップ角θよりも小さいステップ角での駆動を可能とし、その動きを滑らかにして騒音を低減しようというのである。
【０３７７】
また、図７２は、ステッピングモータのマイクロステップ駆動の１つである１−２相励磁のシーケンスを示す図である。１−２相励磁は、コイルを１相づつ励磁する１相励磁とコイルを２相づつ励磁する２相励磁を交互に繰り返す励磁方式であり、この励磁方式を用いてステッピングモータを駆動した場合、モータのステップ角が１／２となり、通常の駆動を行うよりもロータの動きが滑らかになり、振動を低減することができる。
【０３７８】
（1-3）ポリゴンミラーモータ音の低減
次に、ポリゴンミラーモータが発する音を低減するための対策について図７３を参照しながら説明する。同図に示すように、この対策では、ポリゴンミラーモータ２の近傍にヘルムホルツ共鳴器７１を取り付けている。より具体的には、ポリゴンミラーモータ２を保持するハウジング１２の上部にヘルムホルツ共鳴器７１を取り付けている。
【０３７９】
ヘルムホルツ共鳴器７１は、体積Ｖ１の空洞７２を形成するための空洞形成部材７２ａを有している。空洞形成部材７２ａはハウジング１２と一体になって形成されており、そのポリゴンミラーモータに対向する位置にある部分には空洞７２に通じる開口穴７３（断面積Ｓｂ）が形成されている。ここで、開口穴７３が形成された部分の板厚がＴｂであるとすると、かかる開口穴７３は一般的なヘルムホルツ共鳴器における、長さＴｂ、開口面積Ｓｂの短管に相当することになり、この構造体はヘルムホルツ共鳴器７１として機能するのである。
【０３８０】
この構成の下、ポリゴンミラーモータ２が駆動され、その振動によって開口穴７３の入り口に音圧が作用すると、開口穴７３（短管）内の空気（媒質）が一体運動を行い、空洞７２内の空気に圧力変化を生じさせる。このような現象は、開口穴７３（短管）内の空気を質点、空洞７２内の空気の体積変化による圧力変化をバネと仮定すると、力学系の質点−バネモデルと等価となり、後述する周波数（ヘルムホルツ共鳴周波数）に対して共振（共鳴）が生じることとなる。つまり、このヘルムホルツ共鳴周波数の音響エネルギーが空洞７２に閉じ込められるので外部空間にとっては音が低減されることになるのである。
【０３８１】
ここで、ヘルムホルツ共鳴周波数Ｆｈ （Ｈｚ ）は次式により算出される。
Ｆｈ＝Ｃ／２π（Ｓｂ／（Ｖ１・Ｔｂ））１／２
Ｃ：音速
【０３８２】
すなわち、開口穴７３の開口面積Ｓｂ、長さＴｂ（つまりハウジング１１の開口穴７３が設けられる部分の板厚）、空洞形成部材７２ａによって形成される空洞７２の体積Ｖ１を変化させることによって共鳴周波数Ｆｈ、つまり低減させたい音の周波数を変化させることができる。そこで、ポリゴンミラーモータ２を駆動したときに発生する音のうち最もレベルが大きくなる周波数に合致するよう上記各部の寸法等の設計を行うようにすれば、ポリゴンミラーモータ２の発する音を効果的に低減させることができる。
【０３８３】
なお、上述した騒音測定結果からは（図３〜図５参照）、カラーモード時にはポリゴンミラーモータ音が騒音として抽出されるものの、モノクロモード時には当該音はあまり騒音としては目立ったものとなっていない。このような場合には上記のようにカラーモード時にポリゴンミラーモータが発する音のうち、最もレベルが大きくなる周波数にヘルムホルツ共鳴周波数が合致するよう各部の寸法等を決定すればよい。一方、モノクロモード時に他の周波数のレベルが大きいような場合には、この周波数が共鳴周波数となるようなヘルムホルツ共鳴器を別途設けるようにすればよい。
【０３８４】
また、上記のように対応する周波数ごとにヘルムホルツ共鳴器を併設するようにしてもよいが、カラーモード時とモノクロモード時で開口穴７３の開口面積Ｓｂを変化させる機構を設けるようにしてもよい。例えば、開口穴７３をある程度ふさぐ位置とふさがない位置との間で移動可能なふた部材等を設け、かかるふた部材をモードに応じて移動させることで、各々のモード時における共鳴周波数を各々のモード時にレベルが大きくなる周波数と合致するよう可変させるようにしてもよい。
【０３８５】
（1-4）帯電音の低減
次に、帯電音の低減対策について説明する。帯電音とは、以下のようにして発生する音である。すなわち、帯電ローラ３６が感光体ドラム２８を帯電する際には（図５５参照）、一般にバイアス電圧の交流成分に起因して帯電ローラ３６の表面と感光体ドラム２８の表面との間に引力と斥力が交互に作用し、両者の間に振動を生じさせる。この振動によって感光体ドラム２８が放射する音が帯電音であり、当該音は周杷数の高い耳障りな純音であり、一般的に交流成分の周波数とその整数倍の周波数成分（高調波成分）からなる。
【０３８６】
このような帯電音の低減対策について図７４および図７５を参照しながら説明する。図７４に示すように、帯電音対策がなされた感光体ドラム２８の中空部分には、制振部材７４が配置されている。制振部材７４は、感光体ドラム２８の軸方向に延びる中空円筒状の基部７５と、当該基部７５から放射状に突出する複数の羽根部７６とを有しており、基部７５の中心軸が感光体ドラム２８の中心軸と略一致するよう配置される。
【０３８７】
制振部材の各羽根部７６の先端が感光体ドラム２８の内面に圧接しており、これにより制振部材７４が感光体ドラム２８内において保持されている。ここで、羽根部７６は、ゴム、樹脂またはこれらを含む材料、例えばウレタンゴムを含む材料、ポリプロピレン樹脂、ポリアミド樹脂などの熱可塑性樹脂材料等の弾性材料によって構成されていることが好ましい。羽根部７６として弾性材料を用いることによって、羽根部７６の先端がその弾性力によって感光体ドラム２８に圧接され、保持される。したがって、接着剤等による接着作業や位置だし作業が不要であるので、取り付け作業および取り出し作業が容易となるからである。
【０３８８】
上記のように感光体ドラム２８の内面側に羽根部７６が圧接するよう制振部材７４を配置することで、かかる制振部材７４が感光体ドラム２８の振動を抑制するよう作用する。したがって、上述した帯電ローラ３６による帯電の際に生じる感光体ドラム２８の振動を抑制することができる。また、このように感光体ドラム２８の振動を抑制するための部材が感光体ドラム２８の内部に設置されているので、新たに制振部材を設置するスペースをとる等の対策を施す必要がない。
【０３８９】
なお、感光体ドラム２８の振動を抑制して騒音を低減する手段としては、上記構成の制振部材７４に限らず、感光体ドラム２８の中空部分に金属柱を嵌合するといった対策を施すようにしてもよく、市販されている制振材（例えば、横浜ゴム株式会社製ハマダンパーなど）を貼り付ける等するようにしてもよい。
【０３９０】
卓上型（デスクトップ）画像形成装置について
図６に示す通り、卓上型（デスクトップ）画像形成装置であるモノクロプリンタ２００においてもＡＣ帯電音が発生している。これについても、上記カラープリンタ１００の場合と同様の手段によってＡＣ帯電音の発生を抑えることができる。
【０３９１】
（２）シャープネス（高周波成分）の低減対策
複数モードを有する画像形成装置（モノクロプリンタ２００）について
【０３９２】
（2-1）用紙摺動音の低減
次に、シャープネス（高周波成分）の低減対策について説明する。シャープネスの低減対策としては、用紙摺動音を低減する方法がある。なお、用紙摺動音とは、搬送される用紙が部材等と摺動することによって生じる音である。
【０３９３】
上述したように、複数モードを有する画像形成装置の第1トレー９または第２トレー１０に収容された用紙は、第1給紙ユニット５１または第２給紙ユニット５２によって各トレーから繰り出され、中継ローラ５３および搬送ローラ５５によってレジストローラ７の位置まで搬送される（図５９参照）。
【０３９４】
ここで、図７６は、第１トレー９または第２トレー１０に収容された用紙を搬送して画像形成を行うとき（通常のプリント時）と、用紙を搬送せずにプリントを行うとき（フリーラン時）とで画像形成装置が発する騒音を測定して周波数分析（１／３オクターブバンド分析）した結果を示す。図７７は、この分析結果に示される通常のプリント時とフリーラン時の騒音から得られる各周波数帯域の音圧レベル差を示すグラフである。
【０３９５】
すなわち、図７７に示す周波数帯域ごとの音圧レベルは、用紙を第１トレー９または第２トレー１０から送り出して搬送するか否かに起因する、画像形成装置が発する騒音内容の差であり、用紙を搬送することによって図７７に示すように各周波数帯域で音圧レベルが増加していることを意味する。
【０３９６】
図７７に示すグラフから、通常のプリント時とフリーラン時とで３（ｄＢ）以上の差があるのは、２００〜２５０Ｈｚを中心とした帯域と、３．１５ｋＨｚ以上の帯域の２つである。なお、３ｄＢ以上の差は、音響エネルギーが２倍以上の差があることになる。
【０３９７】
以上の分析結果を検討すると、２００〜２５０Ｈｚを中心とした帯域の成分は、用紙とレジストローラ７が衝突する際に発生する音に起因するものであることがわかった。一方、３．１５ｋＨｚ以上の周波数帯域の成分は、用紙搬送時に用紙が部材等に摺動することで発生する音に起因するものであることがわかった。
【０３９８】
また、１２．５ｋＨｚ〜１６ｋＨｚを中心とした帯域では、７（ｄＢ）以上の差があり、またこの帯域はシャープネス値に与える影響が大きい。このことから、用紙摺動音の低減を図ることが騒音対策として効果的であることがわかる。
【０３９９】
以下、給紙ユニット、中継ローラ５３および搬送ローラ５５によって搬送される用紙の摺動音を低減するための対策について図７８を参照しながら説明する。
同図に示すように、搬送ローラ５５は、複数のコロを軸に通したローラであり、用紙搬送路を挟んで対向配置されるローラ５５ａとローラ５５ｂとを有している。そして、搬送路Ａに沿って搬送される用紙（第１トレー９から繰り出された用紙）、または搬送路Ｂに沿って搬送される用紙（第２トレー１０ から繰り出された用紙）はかかるローラ５５ａ、５５ｂ間に案内され、ローラ５５ａ、５５ｂによってレジストローラ７に向けて搬送される。
【０４００】
搬送ローラ５５の近傍には、用紙を所定の経路に沿って搬送するためのガイド部材８０，８１，８２が配置されている。
ガイド部材８０は、ローラ５５ａとともに搬送路Ａに沿って搬送される用紙をローラ５５ａ、５５ｂ間に案内する空間を形成する。また、ガイド部材８０は、ガイド部材８１とともに搬送路Ｂに沿って搬送される用紙をローラ５５ａ、５５ｂ間に向けて案内する空間を形成する。
【０４０１】
ガイド部材８０の搬送方向下流側（図７８の上側）の部分には、用紙搬送方向（図の上下方向）に延びる可踏性シート（例えばマイラーシート）からなる案内部材７７が取り付けられている。この案内部材７７は搬送路Ａ，Ｂから搬送される用紙をローラ５５ａ、５５ｂ間に向けて案内する。
【０４０２】
図７９に示すように、案内部材７７の先端部分における、ローラ５５ａと交錯しないようローラ５５ａが配置される位置には、切り欠き部分７７ａが裁断等することで形成されており、これにより用紙をその先端部分に接触させて確実にローラ５５ａ、５５ｂ間に向けて案内する。
【０４０３】
したがって、図８０に示すように搬送路Ａからの用紙は、案内部材７７の先端部分に摺動しながら搬送されることになる。従来の一般的な案内部材７７は、可撓性シートを所定形状にせん断することによって作製されており、その先端部分（せん断部分）にはバリが出ているのが通常である。このようなバリを１枚づつ取り除くのは非常に困難な作業であり、コストと時間を要することになる。したがって、通常はこのような作業は行われず、バリがある先端部分と用紙が摺動することで耳障りな騒音を発生してしまう。
【０４０４】
そこで、本構成では、図８１に示す構成の案内部材７８を採用することで、上記のような用紙と案内部材７８の先端部分が摺動することに起因する耳障りな騒音を低減することができる。
【０４０５】
図８２に示すように、従来の可撓性シートからなる案内部材は、所定の形状にせん断した厚さｔの可撓性シートをそのまま案内部材７７としているものであり、用紙が摺動する先端部分はせん断部分となっている。これに対し、図８１に示す構成では、厚さｔ／２の可撓性シートを折り曲げて２枚重ねとしその折り曲げ部分が案内部材７８の先端部分となるようにしている。このような構成の案内部材７８を採用することで、上記のように搬送される用紙が摺動する先端部分は折り曲げ部分であり、せん断加工がなされていない部分であり、かつ滑らかなＲ形状となる。よって、上記のようなせん断加工部分にみられるバリに起因する耳障りな騒音の発生を低減することができるのである。また、２枚重ねとした厚みも従来の案内部材７７と同様の厚みとなるため、必要とされる弾性力を発揮することもでき、案内部材としての機能に支障をきたすこともない。
【０４０６】
大型（コンソール型）画像形成装置について
大型（コンソール型）画像形成装置であるＡＤＦ付複写機４００について用紙摺動音の低減の実施例を示す。
【０４０７】
まず、紙摺動音の音源である搬送路の構成および発生原因について述べる。図８３は、図６５に示した画像形成装置における本体縦搬送ユニット４８０のコロおよびガイド板の詳細構成を示す説明図である。すなわち、給紙トレイからの搬送と両面複写のための中間トレイからの搬送を、レジストローラ方向に案内する搬送部分の断面図である。また、図８４は、騒音未対策時における記録紙と可撓性シート４５９との関係を示す説明図である。
【０４０８】
図８３において、符号４５０、４５１は複数のコロを団子状に軸に設けたローラである。ローラ４５０とローラ４５１を対にして記録紙を搬送する第１の搬送ローラ対とし、給紙トレイから搬送してきた記録紙を図示するＡ方向へ搬送するように回転する。また、符号４５２、４５３、４５４は複数のコロを団子状に軸に設けたローラである。ローラ４５２とローラ４５３を対にして記録紙を搬送する第２の搬送ローラ対を形成し、中間トレイから搬送される記録紙を図示するＢ方向へ搬送するように回転する。また、ローラ４５２とローラ４５４を対にして記録紙を搬送する第３の搬送ローラ対を形成し、図中のＣ方向、すなわちレジストローラ方向へ搬送するように回転する。
【０４０９】
矢印Ａ方向へ搬送するように回転される第１の搬送ローラ対の搬送路には、ガイド板４５５、４５６が設けてあり、これらのガイド板４５５、４５６にはローラ４５０、４５１のコロの部分を逃げるように穴があけてある。同様に、矢印Ｂ方向へ搬送するように回転する第２の搬送ローラ対の搬送路には、ガイド板４５７、４５８が設けてあり、これらのガイド板４５７、４５８には、ローラ４５２、４５３のコロの部分を逃げるような穴があいている。また、矢印Ｃ方向に搬送するように回転する第３の搬送ローラ対の搬送路には、ガイド板４５６、４５７の延長部があり、これらには、ローラ４５２、４５４のコロの部分を逃げるように穴があいている。すなわち、搬送ローラ対による搬送力とガイド板による搬送性を確保した構成となっている。
【０４１０】
ガイド板４５５の下流側の端部には、記録紙の搬送方向に延びる可撓性シート４５９が取りつけられており、記録紙を案内するように設けられている。そして、Ａ方向から搬送させてきた記録紙も、共にＣ方向へ搬送されるように搬送路が形成されている。
【０４１１】
ここで、中間トレイからＢ方向に搬送されてくる記録紙は、下向きカールがついている場合が多く、折れやジャム（紙詰まり）の発生を防止するために、可撓性シート（具体的にはポリエステルフィルム、製品名：マイラー）４５９は図中右方向に折り曲げてある。したがって、給紙トレイからＡ方向に搬送されてきた記録紙は、可撓性シート４５９の先端を迂回してローラ４５２、４５４間へ進入する。
【０４１２】
このとき、図８４に示すような未対策の可撓性シート４５９の場合、記録紙が可撓性シート４５９の先端を摺動しながら搬送する。ところが、記録紙の表面は繊維の凹凸があり、さらに、可撓性シート４５９はせん断加工により端面はバリがでているため、記録紙表面の繊維に凹凸が進行することにより、可撓性シート４５９のエッジ部のバリと記録紙が振動して大きな音を発生して騒音となる。なお、可撓性シート４５９のエッジ部分のバリを１枚ずつ取るのは非常にコストと時間がかかる。そこで、以下に示すように可撓性シート５９の工夫による紙摺動音の低減対策を行なった。
【０４１３】
本発明の実施の形態にかかる可撓性シートの例を図８５、図８６に示す。なお、行なうことは複数モードを有する画像形成装置の場合と同じである。
この図８５、図８６において、ガイド板５５５に取りつけた可撓性シート４５９Ｂの先端は、図８３の矢印Ａ方向から搬送されてきた記録紙をひっかくように摺動するときに発生する摺動音（紙の表面はある程度の表面粗さがあり、エッジを摺動させると高周波成分を多く含む音を発生する）を低減させるために、屈曲部４５９ａを形成する。可撓性シート４５９Ｂの表面は極めて平滑であり、屈曲部４５９ａを設けてもその平滑性は失われない。
【０４１４】
（３）インパルシブネス（衝撃成分）の低減対策
複数モードを有する画像形成装置について
上記構成の画像形成装置（カラープリンタ１００）においては、インパルシブネスの発生はほとんど定着オイル塗布音に起因するものである（図３〜図５参照）。定着オイル塗布音は、上述した構成の画像形成装置では、オイル消費量の増加を抑制するため、用紙が搬送されると、その都度オイル塗布ユニット４７を駆動して定着ベルト１３と接触させる構成を採用している（図５８参照）。このような用紙が搬送されるごとになされる接触・離間の音が衝撃的に発生するので不快感を与えることになる。
【０４１５】
このような定着オイル塗布音による騒音問題は、画像形成のために用いるトナーとして、オイルレストナーを使用することで解消することができる。すなわち、かかるオイルレストナーはトナーにワックスが包含されているので、上述したようにオイル塗布作業を行わなくても、定着ベルトと用紙との乖離性がよい。このため、オイル塗布ユニット４７を利用する必要がなく、上述したオイル塗布ユニット４７と定着ベルト１３との接離に起因する衝撃音の発生を防止することができる。なお、オイルレストナーを使用するにあたっては、感光体ユニット３等の作像プロセス構成をオイルレストナーに適するよう修正する必要がある。
【０４１６】
大型（コンソール型）画像形成装置について
図８７は、図６５におけるバンク給紙ユニット４７０の給紙・駆動系の構成を示す説明図である。この実施の形態における画像形成装置は図６５で示したように、４段給紙が可能に構成されており、上の段ほど搬送経路が短くなるので画像形成が速くなる。したがって、１段目（１番上の段）にはよく使用されるＡ４サイズの記録紙がセットされ、３、４段目（下の段）には一般的に使用頻度の少ないＢ４やＡ３サイズの記録紙がセットされることが多い。
【０４１７】
図８７において、４段それぞれの給紙装置には、グリップローラ４６７が配設され、各給紙装置から給紙された記録紙は、グリップローラ４６７を介して上方に向かう。グリップローラ４６７にはそれぞれ従動コロ４６９が対向して設けられ、加圧スプリング４７０で加圧されている。これらグリップローラ４６７や用紙分離機構（不図示）はバンクモータ４６１で駆動され、上部４００に記録紙を搬送する。
【０４１８】
グリップローラ４６７の各軸には、上から、中間クラッチ４６２、中間クラッチ４６３、中間クラッチ４６４、中間クラッチ４６５が設けられている。これらの中間クラッチ４６２〜４６５は電磁クラッチで構成され、タイミングベルト、ギヤ列を介して電磁クラッチのギヤに伝達されているバンクモータ４５１を駆動源とする駆動力を、電流のオン／オフでグリップローラ４６７を回転したり、非回転するものである。この駆動機構は、画像形成中に記録紙を送って記録紙間を最小限に制御し、処理効率を上げるために設けられている。中継センサ４６６は、画像書き込みのタイミングをとるため、およびジャム（紙詰まり）検知として用いられる。
【０４１９】
ところで、画像形成装置における金属衝撃音の主な要因は、バンク給紙ユニット５７０の中間クラッチの動作音（クラッチＯＮ動作において、円盤どうしが電磁石の力で吸い付く金属性の衝突音）であることが分かっている。これらの４つの中間クラッチは、記録紙を１枚給紙するたびに動作する。制御を簡単にするためにバンク給紙ユニット４７０のどの段から給紙しても動作するように構成されている。このため、バンク給紙ユニット４７０の１段目から給紙しても、駆動の必要のない２〜４段目のグリップローラ４６７も駆動する。なお、４段目（１番下）から給紙した場合は、すべてのグリップローラ４６７が動作しないと記録紙は上方に搬送されないので、中間クラッチ４６２〜中間クラッチ４６５はすべて動作する必要がある。
【０４２０】
ただし、前述したように使用頻度の高いのはバンク給紙ユニット４７０の最上段または２番目のトレイからの給紙である。３、４段目は使用頻度の低いサイズの記録紙をセットしてあるので使用頻度が少ない。
【０４２１】
金属衝撃音は、バンク給紙ユニット４７０の中間クラッチ４６２〜４６５が同時に動作することによって衝撃音が大きく発生するので、バンク１段目を使用するときは中間クラッチ４６２だけを動作するようにすれば、金属衝撃音のエネルギー発生は１／４に抑えることができる。このように、給紙に使用しているバンクの上の段の中間クラッチだけを動作するように制御することで、騒音も電気エネルギーの消費も抑制することができる。
【０４２２】
図８８は、バンク給紙ユニット４７０の中間クラッチの制御例を示すフローチャートである。まず、１段目給紙であるか否かを判断し（ステップＳ１１）、１段目給紙である場合、中間クラッチ４６２を動作させる（ステップＳ１２）。ステップＳ１１において、１段目給紙ではない場合にはさらに２段目給紙であるか否かを判断し（ステップＳ１３）、２段目給紙である場合には中間クラッチ４６２，４６３を動作する（ステップＳ１４）。ステップＳ１３において、２段目給紙ではない場合さらに３段目給紙であるか否かを判断し（ステップＳ１５）、３段目給紙であれば、中間クラッチ４６２〜４６４を動作させ（ステップＳ１６）、３段目給紙でない、すなわち４段目給紙（最下位のトレイからの給紙）の場合には中間クラッチ４６２〜４６５を動作させる（ステップＳ１７）。
【０４２３】
このように、必要部分だけの中間クラッチをオンさせる制御を行ない、使用頻度の少ない下段の中間クラッチは動作させないことにより、金属衝撃音の発生を抑制することができ
る。
【０４２４】
図８９は、中間クラッチの制御の改良前と改善後における金属衝撃音の変化を示すグラフである。改良前とは、４つの中間クラッチを同時に動作させたものである。金属衝撃音改善は、１段目の中間クラッチ４６２だけを動作させたものである。これによると、クラッチの衝撃音は約１ｋ〜２０ｋＨｚの高周波の広帯域ノイズであり、インパルシブネスだけでなく、シャープネスやラウドネスに寄与する。このように、衝撃音の音源を抑えることにより、不快音を低減させることができる。
【０４２５】
これらの音源を低減することで、第１因子（音量）も自動的に低減できる。
以上が不快確率Ｐを低減するための対策の具体例である。
本願発明者は、上記のような対策を施した画像形成装置が発する音を、対策前の画像形成装置が発する音を測定した際と同様の条件で測定し、その測定結果から対策の効果を確認した。なお、以下において比較する測定結果は、各々画像形成装置をカラー２８ｐｐｍで動作させたときに画像形成装置の前面側で音を採取することで得られたものである。
【０４２６】
図９０に、カラー２８ｐｐｍ機の前面対策後の騒音の分析結果を示す。上側が時間軸の音圧の変化、下側が周波数軸の音圧レベルを示している。同図に示す対策後の分析結果と、対策前の分析結果（図３参照）を比較すると、周波数軸の比較より、給紙ステッピングモータ音は１０（ｄＢ）程度低減され、帯電音は約５（ｄＢ）、ドラム駆動モータ音は約８（ｄＢ）低減され、ポリゴンミラーモータ音も１０（ｄＢ）程度低減されている。
【０４２７】
また、時間軸の音圧の比較より、定着オイル塗布音もなくなった。以上のことから、上記対策を施すことによって各音源の発する音を低減させることができることがわかる。
【０４２８】
図９１〜図９４は、さらに、カラー２８ｐｐｍ機の前後左右４方向別の周波数分布を対策前後で比較したものである。各方向とも純音成分が低減している。また、４方向で原因は不明だが４００Ｈｚが上昇した。
【０４２９】
また、対策前の測定結果から得られた音響物理量および上記音質評価式（ｃ）による音質評価値Ｓの比較結果を表３４に示す。そして、対策後の測定結果から得られた音響物理量および上記音質評価式（ｃ）による音質評価値Ｓの比較結果を表３５に示す。
【０４３０】
【表３４】
2006214911.tif 000043
【０４３１】
【表３５】
2006214911.tif 000044
【０４３２】
この表からわかるように、各方向、４方向の平均値とも対策後の方が不快確率Ｐの値が下がっている。
また、
Ｐ≦ 0.3077Ln(ppm) − 0.726・・・・・・（ｂ）
あるいは
Ｐ≦ 0.2714Ln(ｖ) - 1.028・・・・・・（ｅ）
より、２８ｐｐｍ（１２５ｍｍ／ｓ）時の不快確率Ｐの許容値は、式（ｂ）の場合、０．３０であり、式（ｅ）の場合は０．２８である。
【０４３３】
右面だけが許容値を超えているが、その他の面と、４方向の平均値は許容値よりも小さかった。
したがって、上記の対策によって右面以外はほとんど不快感を与えることがないよう画像形成装置の改造がなされ、４方向の平均値を考えると、ほとんど不快さを感じない画像形成装置となったといえる。また、図９１〜図９４の結果より、原因不明の４００Ｈｚ音を低減することでさらに音質改善が期待でき、右側面も許容値以下にする事が可能である。
【０４３４】
以上、本発明を説明したが、本発明は上記例に限定されるものではない。
例えば、本発明による音質評価方法は、画像形成装置以外のＯＡ機器全般、印刷機、家電機器等の出す騒音（音質）の評価に用いることができ、それらの機器の製造あるいは改造に適用できるものである。
【図面の簡単な説明】
【０４３５】
【図１】ロジット変換による効果を示すグラフである。
【図２】画像形成装置の動作音を採取する様子を示す模式図である。
【図３】カラー２８ｐｐｍ時に採取した音を示すグラフである。
【図４】カラー１４ｐｐｍ時に採取した音を示すグラフである。
【図５】モノクロ３８ｐｐｍ時に採取した音を示すグラフである。
【図６】卓上型画像形成装置（２０ｐｐｍ）動作音の分析結果を示すグラフである。
【図７】中速の画像形成装置（２７ｐｐｍ）動作音の分析結果を示すグラフである。
【図８】大型の画像形成装置（６５ｐｐｍ）動作音の分析結果を示すグラフである。
【図９】測定した音源の水準と主観評価値との関係を示すグラフである。
【図１０】測定した音源の水準と主観評価値との関係を示すグラフである。
【図１１】測定した音源の水準と主観評価値との関係を示すグラフである。
【図１２】測定した音源の水準と主観評価値との関係を示すグラフである。
【図１３】測定した音源の水準と主観評価値との関係を示すグラフである。
【図１４】測定した音源の水準と主観評価値との関係を示すグラフである。
【図１５】測定した音源の水準と主観評価値との関係を示すグラフである。
【図１６】測定した音源の水準と主観評価値との関係を示すグラフである。
【図１７】測定した音源の水準と主観評価値との関係を示すグラフである。
【図１８】測定した音源の水準と主観評価値との関係を示すグラフである。
【図１９】測定した音源の水準と主観評価値との関係を示すグラフである。
【図２０】測定した音源の水準と主観評価値との関係を示すグラフである。
【図２１】測定した音源の水準と主観評価値との関係を示すグラフである。
【図２２】測定した音源の水準と主観評価値との関係を示すグラフである。
【図２３】測定した音源の水準と主観評価値との関係を示すグラフである。
【図２４】測定した音源の水準と主観評価値との関係を示すグラフである。
【図２５】測定した音源の水準と主観評価値との関係を示すグラフである。
【図２６】測定した音源の水準と主観評価値との関係を示すグラフである。
【図２７】測定した音源の水準と主観評価値との関係を示すグラフである。
【図２８】測定した音源の水準と主観評価値との関係を示すグラフである。
【図２９】測定した音源の水準と主観評価値との関係を示すグラフである。
【図３０】測定した音源の水準と主観評価値との関係を示すグラフである。
【図３１】測定した音源の水準と主観評価値との関係を示すグラフである。
【図３２】測定した音源の水準と主観評価値との関係を示すグラフである。
【図３３】測定した音源の水準と主観評価値との関係を示すグラフである。
【図３４】測定した音源の水準と主観評価値との関係を示すグラフである。
【図３５】測定した音源の水準と主観評価値との関係を示すグラフである。
【図３６】測定した音源の水準と主観評価値との関係を示すグラフである。
【図３７】測定した音源の水準と主観評価値との関係を示すグラフである。
【図３８】音の不快さに関わる予測値の散布図である。
【図３９】作成した決定木を示すブロック図である。
【図４０】不快さ予測値とロジットの関係を示す散布図である。
【図４１】装置動作モードの音質評価予測値と実測値とを比較プロットしたグラフである。
【図４２】装置動作モードの音質評価予測値と実測値とを比較プロットしたグラフである。
【図４３】装置動作モードの音質評価予測値と実測値とを比較プロットしたグラフである。
【図４４】装置動作モードの音質評価予測値と実測値とを比較プロットしたグラフである。
【図４５】装置動作モードの音質評価予測値と実測値とを比較プロットしたグラフである。
【図４６】装置動作モードの音質評価予測値と実測値とを比較プロットしたグラフである。
【図４７】装置動作モードの音質評価予測値と実測値とを比較プロットしたグラフである。
【図４８】装置動作モードの音質評価予測値と実測値とを比較プロットしたグラフである。
【図４９】図４３〜５０の比較プロットをまとめたグラフである。
【図５０】音質評価におけるｐｐｍ値と許容値との関係を近似させたグラフである。
【図５１】音質評価における画像形成速度と許容値との関係を近似させたグラフである。
【図５２】新製品の開発・製造に本発明の音質評価方法を適用するフローチャートである。
【図５３】音質評価に用いたタンデム型カラープリンタの概略を示す断面構成図である。
【図５４】そのカラープリンタの光学ユニットを示す断面構成図である。
【図５５】そのカラープリンタの感光体ユニットおよび現像ユニットの断面図である。
【図５６】そのカラープリンタの感光体ユニットの駆動機構を示す斜視図である。
【図５７】そのカラープリンタの定着ユニットを示す透視斜視図である。
【図５８】定着ユニットの一部の断面図である。
【図５９】そのカラープリンタの給紙部の構成を示す断面図である。
【図６０】給紙ユニットを駆動する構成を示す斜視図である。
【図６１】音質評価に用いた卓上型画像形成装置の概略を示す断面構成図である。
【図６２】その画像形成装置のプロセスカートリッジの構成例を示す断面図である。
【図６３】帯電ローラの構成を示す説明図である。
【図６４】音質評価に用いた中速の画像形成装置の概略を示す断面構成図である。
【図６５】音質評価に用いた大型画像形成装置の概略を示す断面構成図である。
【図６６】騒音対策を施す前のドラム駆動機構の斜視図である。
【図６７】そのドラム駆動機構のモータ取り付け部を説明するための模式図である。
【図６８】ドラム駆動機構のモータ取り付け部に施す騒音対策を示す模式図である。
【図６９】騒音対策を施したドラム駆動機構の斜視図である。
【図７０】そのモータ取り付け部を示す平面図である。
【図７１】給紙用のステッピングモータのロータの動きを説明するための図である。
【図７２】ステッピングモータのマイクロステップ駆動の１つである１−２相励磁のシーケンスを示す図である。
【図７３】ポリゴンミラーモータが発する音を説明するための部分断面図である。
【図７４】帯電音対策がなされた感光体ユニットの断面図である。
【図７５】感光体ドラム内に配置される制振部材を示す斜視図である。
【図７６】通常のプリント時とフリーラン時の騒音を測定して周波数分析した結果を示すグラフである。
【図７７】その分析結果から得られる各周波数帯域の音圧レベル差を示すグラフである。
【図７８】用紙摺動音低減対策について説明するための用紙搬送部の側面図である。
【図７９】用紙搬送部に配置されたガイド部材を示す正面図である。
【図８０】用紙が搬送される様子を示す用紙搬送部の側面図である。
【図８１】騒音対策を施した案内部材を示す側面図である。
【図８２】従来の案内部材を示す側面図である。
【図８３】図６７の画像形成装置における用紙搬送部の詳細構成を示す側面図である。
【図８４】騒音未対策時における記録紙と可撓性シートとの関係を示す説明図である。
【図８５】騒音対策を施した可撓性シートを取り付けた用紙搬送路の部分側面図である。
【図８６】その正面図である。
【図８７】図６７の画像形成装置における給紙・駆動系の構成を示す説明図である。
【図８８】その給紙・駆動系の制御例を示すフローチャートである。
【図８９】中間クラッチ制御の改良前後における金属衝撃音の変化を示すグラフである。
【図９０】カラー２８ｐｐｍ機の前面対策後の騒音の分析結果を示すグラフである。
【図９１】カラー２８ｐｐｍ機の前側面の周波数分布を対策前後で比較したグラフである。
【図９２】カラー２８ｐｐｍ機の後側面の周波数分布を対策前後で比較したグラフである。
【図９３】カラー２８ｐｐｍ機の左側面の周波数分布を対策前後で比較したグラフである。
【図９４】カラー２８ｐｐｍ機の右側面の周波数分布を対策前後で比較したグラフである。
【符号の説明】
【０４３６】
６０            防振ゴムマウント
６５            モータブラケット
４２            ドラム駆動モータ
７４            制振部材
７８            用紙案内部材
１００          カラープリンタ（複数モードを有する画像形成装置）
２００          モノクロプリンタ（卓上型画像形成装置）
３００          胴内排紙型複写機（中速の画像形成装置）
４００          ＡＤＦ付複写機（大型画像形成装置）
５０１          被測定機器
５０３          ダミーヘッド
５０４          耳の位置（収音位置）
【図１】
2006214911.tif 000066
【図２】
2006214911.tif 000067
【図３】
2006214911.tif 000068
【図４】
2006214911.tif 000069
【図５】
2006214911.tif 000070
【図６】
2006214911.tif 000071
【図７】
2006214911.tif 000072
【図８】
2006214911.tif 000073
【図９】
2006214911.tif 000074
【図１０】
2006214911.tif 000075
【図１１】
2006214911.tif 000076
【図１２】
2006214911.tif 000077
【図１３】
2006214911.tif 000078
【図１４】
2006214911.tif 000079
【図１５】
2006214911.tif 000080
【図１６】
2006214911.tif 000081
【図１７】
2006214911.tif 000082
【図１８】
2006214911.tif 000083
【図１９】
2006214911.tif 000084
【図２０】
2006214911.tif 000085
【図２１】
2006214911.tif 000086
【図２２】
2006214911.tif 000087
【図２３】
2006214911.tif 000088
【図２４】
2006214911.tif 000089
【図２５】
2006214911.tif 000090
【図２６】
2006214911.tif 000091
【図２７】
2006214911.tif 000092
【図２８】
2006214911.tif 000093
【図２９】
2006214911.tif 000094
【図３０】
2006214911.tif 000095
【図３１】
2006214911.tif 000096
【図３２】
2006214911.tif 000097
【図３３】
2006214911.tif 000098
【図３４】
2006214911.tif 000099
【図３５】
2006214911.tif 000100
【図３６】
2006214911.tif 000101
【図３７】
2006214911.tif 000102
【図３８】
2006214911.tif 000103
【図３９】
2006214911.tif 000104
【図４０】
2006214911.tif 000105
【図４１】
2006214911.tif 000106
【図４２】
2006214911.tif 000107
【図４３】
2006214911.tif 000108
【図４４】
2006214911.tif 000109
【図４５】
2006214911.tif 000110
【図４６】
2006214911.tif 000111
【図４７】
2006214911.tif 000112
【図４８】
2006214911.tif 000113
【図４９】
2006214911.tif 000114
【図５０】
2006214911.tif 000115
【図５１】
2006214911.tif 000116
【図５２】
2006214911.tif 000117
【図５３】
2006214911.tif 000118
【図５４】
2006214911.tif 000119
【図５５】
2006214911.tif 000120
【図５６】
2006214911.tif 000121
【図５７】
2006214911.tif 000122
【図５８】
2006214911.tif 000123
【図５９】
2006214911.tif 000124
【図６０】
2006214911.tif 000125
【図６１】
2006214911.tif 000126
【図６２】
2006214911.tif 000127
【図６３】
2006214911.tif 000128
【図６４】
2006214911.tif 000129
【図６５】
2006214911.tif 000130
【図６６】
2006214911.tif 000131
【図６７】
2006214911.tif 000132
【図６８】
2006214911.tif 000133
【図６９】
2006214911.tif 000134
【図７０】
2006214911.tif 000135
【図７１】
2006214911.tif 000136
【図７２】
2006214911.tif 000137
【図７３】
2006214911.tif 000138
【図７４】
2006214911.tif 000139
【図７５】
2006214911.tif 000140
【図７６】
2006214911.tif 000141
【図７７】
2006214911.tif 000142
【図７８】
2006214911.tif 000143
【図７９】
2006214911.tif 000144
【図８０】
2006214911.tif 000145
【図８１】
2006214911.tif 000146
【図８２】
2006214911.tif 000147
【図８３】
2006214911.tif 000148
【図８４】
2006214911.tif 000149
【図８５】
2006214911.tif 000150
【図８６】
2006214911.tif 000151
【図８７】
2006214911.tif 000152
【図８８】
2006214911.tif 000153
【図８９】
2006214911.tif 000154
【図９０】
2006214911.tif 000155
【図９１】
2006214911.tif 000156
【図９２】
2006214911.tif 000157
【図９３】
2006214911.tif 000158
【図９４】
2006214911.tif 000159
【手続補正書】
【提出日】平成17年3月17日(2005.3.17)
【手続補正１】
【補正対象書類名】明細書
【補正対象項目名】００７６
【補正方法】変更
【補正の内容】
【００７６】
請求項１０の構成により、画像形成速度や動作モードに関わらず、装置動作音がユーザに与える不快感を低減できる。  請求項１１の構成により、画像形成装置のユーザが通常位置する可能性が高い装置前面側の位置で収音した結果から得られた不快確率Ｐが、上述した条件を満たすようになっているので、画像形成装置の動作音がユーザに与える不快感を低減できる。